(57)【要約】  本発明では、無線通信システムにおいて、端末と基地局との上りリンク信号を送受信する方法及びそれを支援する装置を開示する。より具体的には、本発明では、様々なニューマロロジーが適用される場合、端末が基地局から下りリンクデータを受信して、これに対応する上りリンク制御情報を送信する構成及びこれに対応する基地局の動作構成を開示する。【選択図】図１６
2020506579.tif 000002
【特許請求の範囲】
【請求項１】
無線通信システムにおいて、端末が基地局に上りリンク信号を送信する方法であって、
１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を受信して、前記ＤＣＩに基づいて、前記１つ以上の下りリンクデータを受信し、
前記１つ以上の下りリンクデータに対応する上りリンク信号送信のための上りリンクリソースを決定し、
前記ＤＣＩに含まれた指示情報及び前記ＤＣＩに関する情報に基づいて、上位層シグナリング又はシステム情報によって設定される複数の上りリンク候補リソースのうち１つの上りリンク候補リソースを前記１つ以上の下りリンクデータに対応する上りリンク信号送信のための上りリンクリソースとして決定し、
前記決定された上りリンクリソースを介して前記１つ以上の下りリンクデータに対応する上りリンク制御情報送信することを含む、端末の上りリンク信号の送信方法。
【請求項２】
前記指示情報は２ビットサイズで構成され、
前記システム情報は、
システム情報ブロック（ｓｙｓｔｅｍ  ｉｎｆｏｒｍａｔｉｏｎ  ｂｌｏｃｋ；ＳＩＢ）又は残りの最小システム情報（ｒｅｍａｉｎｉｎｇ  ｍｉｎｉｍｕｍ  ｓｙｓｔｅｍ  ｉｎｆｏｒｍａｔｉｏｎ；ＲＭＳＩ）である、請求項１に記載の端末の上りリンク信号の送信方法。
【請求項３】
前記複数の上りリンク候補リソースは、４つを超える上りリンク候補リソースで構成される、請求項１に記載の端末の上りリンク信号の送信方法。
【請求項４】
前記複数の上りリンク候補リソースは、２つ以上の第１の上りリンク候補リソースを含む複数の上りリンク候補リソースグループで構成され、
前記指示情報は、前記複数の上りリンク候補リソースグループのうち１つの上りリンク候補リソースグループを指示して、
前記１つの上りリンク候補リソースは、前記指示情報によって指示された１つの上りリンク候補リソースグループに含まれた２つ以上の上りリンク候補リソースのうち前記ＤＣＩに関する情報に基づいて決定される１つの上りリンクリソースである、請求項３に記載の端末の上りリンク信号の送信方法。
【請求項５】
前記ＤＣＩに関する情報は、
前記ＤＣＩが送信された開始（ｓｔａｒｔｉｎｇ）制御チャンネル要素（ｃｏｎｔｒｏｌ  ｃｈａｎｎｅｌ  ｅｌｅｍｅｎｔ；ＣＣＥ）インデックス、
前記ＤＣＩが送信されたＰＤＣＣＨ候補（ｃａｎｄｉｄａｔｅ）インデックス、
前記ＤＣＩが送信された下りリンク制御領域インデックス、
前記ＤＣＩが指示した前記１つ以上の下りリンクデータの開始物理リソースブロック（ｐｈｙｓｉｃａｌ  ｒｅｓｏｕｒｃｅ  ｂｌｏｃｋ；ＰＲＢ）インデックス、
前記ＤＣＩが指示したＨＡＲＱ（Ｈｙｂｒｉｄ  Ａｕｔｏｍａｔｉｃ  Ｒｅｐｅａｔ  Ｒｅｑｕｅｓｔ）ＡＣＫタイミング、及び
前記ＤＣＩが指示したＢＷＰ（ｂａｎｄｗｉｄｔｈ  ｐａｒｔ）インデックスのうち１つ以上を含む、請求項４に記載の端末の上りリンク信号の送信方法。
【請求項６】
前記決定された上りリンクリソースのサイズは、
前記１つ以上の下りリンクデータの数によって異なるように設定される、請求項１に記載の端末の上りリンク信号の送信方法。
【請求項７】
前記上りリンク制御情報は、
前記１つ以上の下りリンクデータに対する確認応答情報を含む、請求項１に記載の端末の上りリンク信号の送信方法。
【請求項８】
前記下りリンクデータは物理下りリンク共有チャンネル（ｐｈｙｓｉｃａｌ  ｄｏｗｎｌｉｎｋ  ｓｈａｒｅｄ  ｃｈａｎｎｅｌ；ＰＤＳＣＨ）である、請求項１に記載の端末の上りリンク信号の送信方法。
【請求項９】
前記上りリンクリソースは物理上りリンク制御チャンネル（ｐｈｙｓｉｃａｌ  ｕｐｌｉｎｋ  ｃｏｎｔｒｏｌ  ｃｈａｎｎｅｌ；ＰＵＣＣＨ）である、請求項１に記載の端末の上りリンク信号の送信方法。
【請求項１０】
前記複数の上りリンク候補リソースは、帯域幅パート（ｂａｎｄｗｉｄｔｈ  ｐａｒｔ；ＢＷＰ）ごとに設定される、請求項１に記載の端末の上りリンク信号の送信方法。
【請求項１１】
無線通信システムにおいて、基地局が端末から上りリンク信号を受信する方法であって、
前記端末に、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を送信して、前記ＤＣＩに基づいて、前記１つ以上の下りリンクデータを送信し、
特定の上りリンクリソースを介して前記１つ以上の下りリンクデータに対応する上りリンク制御情報を受信することを含み、
前記特定の上りリンクリソースは、前記ＤＣＩに含まれた指示情報及び前記ＤＣＩに関する情報に基づいて、上位層シグナリング又はシステム情報によって設定される複数の上りリンク候補リソースのうち１つの上りリンク候補リソースとして設定される、基地局の上りリンク信号の受信方法。
【請求項１２】
無線通信システムにおいて、基地局に上りリンク信号を送信する端末であって、
送信部と、
受信部と、
前記送信部及び受信部と連結されて動作するプロセッサーを含み、
前記プロセッサーは、
１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を受信して、前記ＤＣＩに基づいて、前記１つ以上の下りリンクデータを受信し、
前記１つ以上の下りリンクデータに対応する上りリンク信号送信のための上りリンクリソースを決定し、
前記ＤＣＩに含まれた指示情報及び前記ＤＣＩに関する情報に基づいて、上位層シグナリング又はシステム情報によって設定される複数の上りリンク候補リソースのうち１つの上りリンク候補リソースを前記１つ以上の下りリンクデータに対応する上りリンク信号送信のための上りリンクリソースとして決定し、
前記決定された上りリンクリソースを介して前記１つ以上の下りリンクデータに対応する上りリンク制御情報を送信するように構成される、端末。
【請求項１３】
無線通信システムにおいて、端末から上りリンク信号を受信する基地局であって、
送信部と、
受信部と、
前記送信部及び受信部と連結されて動作するプロセッサーを含み、
前記プロセッサーは、
前記端末に、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を送信して、前記ＤＣＩに基づいて、前記１つ以上の下りリンクデータを送信し、
特定の上りリンクリソースを介して前記１つ以上の下りリンクデータに対応する上りリンク制御情報を受信するように構成され、
前記特定の上りリンクリソースは、前記ＤＣＩに含まれた指示情報及び前記ＤＣＩに関する情報に基づいて、上位層シグナリング又はシステム情報によって設定される複数の上りリンク候補リソースのうち１つの上りリンク候補リソースとして設定される、基地局。
【発明の詳細な説明】
【技術分野】
【０００１】
以下の説明は、無線通信システムに関し、様々なニューマロロジー（Ｎｕｍｅｒｏｌｏｇｙ）が適用可能な無線通信システムにおいて、端末と基地局との間の物理上りリンク信号を送受信する方法及びそれを支援する装置に関する。
【０００２】
より具体的には、以下の説明は、様々なニューマロロジーが適用される場合、端末が基地局から下りリンクデータを受信して、これに対応する上りリンク制御情報を送信する方法、及びこれに対応する基地局の動作に関する説明を含む。
【背景技術】
【０００３】
無線接続システムが音声やデータなどの種々の通信サービスを提供するために広範囲に展開されている。一般に、無線接続システムは可用のシステムリソース（帯域幅、送信電力など）を共有して複数のユーザとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００４】
なお、多数の通信機器がより大きな通信容量を要求することにより、既存のＲＡＴ（ｒａｄｉｏ  ａｃｃｅｓｓ  ｔｅｃｈｎｏｌｏｇｙ）に比べて向上したモバイルブロードバンド通信の必要性が高まっている。また、多数の機器及びモノを連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考えられている。さらに信頼性（ｒｅｌｉａｂｉｌｉｔｙ）及び遅延（ｌａｔｅｎｃｙ）などに敏感なサービス／ＵＥを考慮した通信システムのデザインも考えられている。
【０００５】
このように向上したモバイルブロードバンド通信、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されている。
【発明の概要】
【発明が解決しようとする課題】
【０００６】
本発明の目的は、新たに提案される通信システムにおいて端末と基地局とで上りリンク信号を送受信する方法を提供することである。
【０００７】
特に、本発明は、新たに提案される通信システムにおいて、様々なニューマロロジーを適用して信号を送受信する場合、端末が基地局から１つ以上の下りリンクデータを受信して、これに対応して上りリンク制御情報を送信する構成、及びこれに対応する基地局の構成を提供することを目的とする。
【０００８】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００９】
本発明は、無線通信システムにおいて、端末と基地局が信号を送受信する方法及び装置を提供する。
【００１０】
本発明の一実施態様として、無線通信システムにおいて、端末が基地局に上りリンク信号を送信する方法であって、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を受信して、前記ＤＣＩに基づいて、前記１つ以上の下りリンクデータを受信し、前記１つ以上の下りリンクデータに対応する上りリンク信号送信のための上りリンクリソースを決定し、前記ＤＣＩに含まれた指示情報及び前記ＤＣＩに関する情報に基づいて、上位層シグナリング又はシステム情報によって設定される複数の上りリンク候補リソースのうち１つの上りリンク候補リソースを前記１つ以上の下りリンクデータに対応する上りリンク信号送信のための上りリンクリソースとして決定し、前記決定された上りリンクリソースを介して前記１つ以上の下りリンクデータに対応する上りリンク制御情報送信することを含む、端末の上りリンク信号の送信方法を提案する。
【００１１】
本発明の他の実施態様として、無線通信システムにおいて、基地局が端末から上りリンク信号を受信する方法であって、前記端末に、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を送信して、前記ＤＣＩに基づいて、前記１つ以上の下りリンクデータを送信し、特定の上りリンクリソースを介して前記１つ以上の下りリンクデータに対応する上りリンク制御情報を受信することを含み、前記特定の上りリンクリソースは、前記ＤＣＩに含まれた指示情報及び前記ＤＣＩに関する情報に基づいて、上位層シグナリング又はシステム情報によって設定される複数の上りリンク候補リソースのうち１つの上りリンク候補リソースとして設定される、基地局の上りリンク信号の受信方法を提案する。
【００１２】
本発明の更に他の実施態様として、無線通信システムにおいて、基地局に上りリンク信号を送信する端末であって、送信部と、受信部と、前記送信部及び受信部と連結されて動作するプロセッサーを含み、前記プロセッサーは、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を受信し、前記ＤＣＩに基づいて、前記１つ以上の下りリンクデータを受信し、前記１つ以上の下りリンクデータに対応する上りリンク信号送信のための上りリンクリソースを決定して、前記ＤＣＩに含まれた指示情報及び前記ＤＣＩに関する情報に基づいて、上位層シグナリング又はシステム情報によって設定される複数の上りリンク候補リソースのうち１つの上りリンク候補リソースを前記１つ以上の下りリンクデータに対応する上りリンク信号送信のための上りリンクリソースとして決定し、前記決定された上りリンクリソースを介して前記１つ以上の下りリンクデータに対応する上りリンク制御情報を送信するように構成される、端末を提案する。
【００１３】
本発明の他の実施態様として、無線通信システムにおいて、端末から上りリンク信号を受信する基地局であって、送信部と、受信部と、前記送信部及び受信部と連結されて動作するプロセッサーを含み、前記プロセッサーは、前記端末に、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を送信し、前記ＤＣＩに基づいて、前記１つ以上の下りリンクデータを送信し、特定の上りリンクリソースを介して前記１つ以上の下りリンクデータに対応する上りリンク制御情報を受信するように構成され、前記特定の上りリンクリソースは、前記ＤＣＩに含まれた指示情報及び前記ＤＣＩに関する情報に基づいて、上位層シグナリング又はシステム情報によって設定される複数の上りリンク候補リソースのうち１つの上りリンク候補リソースとして設定される、基地局を提案する。
【００１４】
上述した構成において、前記指示情報は２ビットサイズで構成され、前記システム情報は、システム情報ブロック（ｓｙｓｔｅｍ  ｉｎｆｏｒｍａｔｉｏｎ  ｂｌｏｃｋ；ＳＩＢ）又は残りの最小システム情報（ｒｅｍａｉｎｉｎｇ  ｍｉｎｉｍｕｍ  ｓｙｓｔｅｍ  ｉｎｆｏｒｍａｔｉｏｎ；ＲＭＳＩ）であってもよい。
【００１５】
また、前記複数の上りリンク候補リソースは、４つを超える上りリンク候補リソースで構成されてもよい。
【００１６】
このとき、前記複数の上りリンク候補リソースは、２つ以上の第１の上りリンク候補リソースを含む複数の上りリンク候補リソースグループで構成され、前記指示情報は、前記複数の上りリンク候補リソースグループのうち１つの上りリンク候補リソースグループを指示して、前記１つの上りリンク候補リソースは、前記指示情報によって指示された１つの上りリンク候補リソースグループに含まれた２つ以上の上りリンク候補リソースのうち前記ＤＣＩに関する情報に基づいて決定される１つの上りリンクリソースであってもよい。
【００１７】
上述した構成において、前記ＤＣＩに関する情報は、（１）前記ＤＣＩが送信された開始（ｓｔａｒｔｉｎｇ）制御チャンネル要素（ｃｏｎｔｒｏｌ  ｃｈａｎｎｅｌ  ｅｌｅｍｅｎｔ；ＣＣＥ）インデックス、（２）前記ＤＣＩが送信されたＰＤＣＣＨ候補（ｃａｎｄｉｄａｔｅ）インデックス、（３）前記ＤＣＩが送信された下りリンク制御領域インデックス、（４）前記ＤＣＩが指示した前記１つ以上の下りリンクデータの開始物理リソースブロック（ｐｈｙｓｉｃａｌ  ｒｅｓｏｕｒｃｅ  ｂｌｏｃｋ；ＰＲＢ）インデックス、（５）前記ＤＣＩが指示したＨＡＲＱ（Ｈｙｂｒｉｄ  Ａｕｔｏｍａｔｉｃ  Ｒｅｐｅａｔ  Ｒｅｑｕｅｓｔ）ＡＣＫタイミング、及び（６）前記ＤＣＩが指示したＢＷＰ（ｂａｎｄｗｉｄｔｈ  ｐａｒｔ）インデックスのうち１つ以上を含んでもよい。
【００１８】
また、前記決定された上りリンクリソースのサイズは、前記１つ以上の下りリンクデータの数によって異なるように設定されてもよい。
【００１９】
また、前記上りリンク制御情報は、前記１つ以上の下りリンクデータに対する確認応答情報を含んでもよい。
【００２０】
また、前記下りリンクデータは物理下りリンク共有チャンネル（ｐｈｙｓｉｃａｌ  ｄｏｗｎｌｉｎｋ  ｓｈａｒｅｄ  ｃｈａｎｎｅｌ；ＰＤＳＣＨ）に対応して、前記上りリンクリソースは物理上りリンク制御チャンネル（ｐｈｙｓｉｃａｌ  ｕｐｌｉｎｋ  ｃｏｎｔｒｏｌ  ｃｈａｎｎｅｌ；ＰＵＣＣＨ）に対応してもよい。
【００２１】
また、前記複数の上りリンク候補リソースは、帯域幅パート（ｂａｎｄｗｉｄｔｈ  ｐａｒｔ；ＢＷＰ）ごとに設定されてもよい。
【００２２】
上述した本発明の様態は、本発明の好適な実施例の一部に過ぎず、本願発明の技術的特徴が反映された様々な実施例が、当該技術の分野における通常的な知識を有する者にとって、以下に詳述する本発明の詳細な説明に基づいて導出され理解され得るだろう。
【発明の効果】
【００２３】
本発明の実施例によれば、次のような効果がある。
【００２４】
本発明によれば、端末は、状況に応じて異なる方法によって決定される上りリンクリソースを用いて、基地局に上りリンク制御情報を送信することができる。
【００２５】
特に、本発明が適用可能なＮＲシステムでは、１つ又は２つのシンボルを介して送信されるＰＵＣＣＨ（以下、Ｓｈｏｒｔ  ＰＵＣＣＨ）及び４つ以上のシンボルを介して送信されるＰＵＣＣＨ（以下、Ｌｏｎｇ  ＰＵＣＣＨ）を支援するため、従来のＬＴＥシステムに比べて、様々なＰＵＣＣＨリソースを必要とする。このとき、本発明による端末は、従来のＬＴＥシステムに比べて、シグナリングオーバーヘッドが増加することなく、特定のＰＵＣＣＨリソースを決定することができる。
【００２６】
本発明の実施例から得られる効果は、以上で言及した効果に限定されず、言及していない別の効果は、以下の本発明の実施例に関する記載から、本発明の属する技術の分野における通常の知識を有する者に明確に導出され理解されるであろう。すなわち、本発明を実施することに伴う意図していない効果も、本発明の実施例から当該技術の分野における通常の知識を有する者によって導出され得る。
【図面の簡単な説明】
【００２７】
以下に添付する図面は、本発明に関する理解を助けるためのものであり、詳細な説明と共に本発明に関する実施例を提供する。ただし、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ  ｎｕｍｅｒａｌｓ）は構造的構成要素（ｓｔｒｕｃｔｕｒａｌ  ｅｌｅｍｅｎｔｓ）を意味する。
【００２８】
【図１】物理チャンネル及びそれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ  ｓｕｂｆｒａｍｅ  ｓｔｒｕｃｔｕｒｅ）を示す図である。
【図７】ＴＸＲＵとアンテナ要素（ｅｌｅｍｅｎｔ）の代表的な連結方式を示す図である。
【図８】ＴＸＲＵとアンテナ要素（ｅｌｅｍｅｎｔ）の代表的な連結方式を示す図である。
【図９】本発明の一例によるＴＸＲＵ及び物理アンテナ観点におけるハイブリッドビームフォーミングの構造を簡単に示す図である。
【図１０】本発明の一例による下りリンク（Ｄｏｗｎｌｉｎｋ，ＤＬ）送信の過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスイーピング（Ｂｅａｍ  ｓｗｅｅｐｉｎｇ）動作を簡単に示す図である。
【図１１】複数のＤＬスロットに対する複数のＨＡＲＱ−ＡＣＫが単一ＰＵＣＣＨリソースを介して送信される動作を簡単に示す図である。
【図１２】基地局が２つのＤＣＩを介してＨＡＲＱ−ＡＣＫリソース集合及び選択されたリソース集合内のＨＡＲＱ−ＡＣＫリソースを指示する動作を簡単に示す図である。
【図１３】本発明の一例によって、Ｌａｓｔ  ＤＡＩ値に対応するＰＤＳＣＨがＫ＝４番目のスケジューリング順である場合を簡単に示す図である。
【図１４】本発明の別の例によって、Ｌａｓｔ  ＤＡＩ値（Ｍ）が１であり、ＤＡＩ値の数（Ｌ）は４であり、ポーリング動作によって結合されるＰＤＳＣＨ数（Ｎ）は６である場合を簡単に示す図である。
【図１５】本発明によって、ポーリング対象ＰＤＳＣＨ数又はポーリング対象ＨＡＲＱ−ＡＣＫビットの総和によって結合されたＨＡＲＱ−ＡＣＫの構成方式を変更する構成を簡単に示す図である。
【図１６】本発明による端末の上りリンク信号の送信方法を示すフローチャートである。
【図１７】提案する実施例が具現できる端末及び基地局の構成を示す図である。
【発明を実施するための形態】
【００２９】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００３０】
図面に関する説明において、本発明の要旨を曖昧にさせ得る手順又は段階などは記述を省略し、当業者のレベルで理解可能な程度の手順又は段階も記述を省略する。
【００３１】
明細書全体を通じて、ある部分がある構成要素を「含む（ｃｏｍｐｒｉｓｉｎｇ又はｉｎｃｌｕｄｉｎｇ）」というとき、これは、別に反対の記載がない限り、他の構成要素を除外するものではなく、他の構成要素をさらに含み得ることを意味する。また、明細書でいう「…部」、「…器」、「モジュール」などの用語は、少なくとも１つの機能や動作を処理する単位を意味し、これは、ハードウェア、ソフトウェア、又はハードウェア及びソフトウェアの結合によって具現することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３２】
本明細書において本発明の実施例は基地局と移動局との間のデータ送受信関係を中心に説明される。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００３３】
すなわち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）、又はアクセスポイント（ａｃｃｅｓｓ  ｐｏｉｎｔ）などの用語に言い換えることができる。
【００３４】
また、本発明の実施例において、端末（Ｔｅｒｍｉｎａｌ）は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に言い換えることができる。
【００３５】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３６】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び  ３ＧＰＰ  ＴＳ  ３６．３３１の文書によってサポートすることができる。すなわち、本発明の実施例のうち、説明していない自明な段階又は部分は、上記文書を参照して説明することができる。また、本文書に開示している用語はいずれも、上記標準文書によって説明することができる。
【００３７】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３８】
また、本発明の実施例で使われる特定用語は本発明の理解易さのために提供されるものであり、このような特定用語の使用は本発明の技術的思想を逸脱しない範囲で他の形態に変更されてもよい。
【００３９】
例えば、送信機会区間（ＴｘＯＰ：Ｔｒａｎｓｍｉｓｓｉｏｎ  Ｏｐｐｏｒｔｕｎｉｔｙ  Ｐｅｒｉｏｄ）という用語は、送信区間、送信バースト（Ｔｘ  ｂｕｒｓｔ）又はＲＲＰ（Ｒｅｓｅｒｖｅｄ  Ｒｅｓｏｕｒｃｅ  Ｐｅｒｉｏｄ）という用語と同じ意味で使うことができる。また、ＬＢＴ（Ｌｉｓｔｅｎ  Ｂｅｆｏｒｅ  Ｔａｌｋ）過程は、チャンネル状態が遊休であるか否かを判断するためのキャリアセンシング過程、ＣＣＡ（Ｃｌｅａｒ  Ｃｈａｎｎｅｌ  Ａｃｃｅｓｓｍｅｎｔ）、チャンネル接続過程（ＣＡＰ：Ｃｈａｎｎｅｌ  Ａｃｃｅｓｓ  Ｐｒｏｃｅｄｕｒｅ）と同じ目的で行うことができる。
【００４０】
以下では、本発明の実施例を利用可能な無線接続システムの一例として３ＧＰＰ  ＬＴＥ／ＬＴＥ−Ａシステムについて説明する。
【００４１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４２】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００４３】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ  ＬＴＥシステムを改良したシステムである。本発明の技術的特徴に関する説明を明確にするために、本発明の実施例は３ＧＰＰ  ＬＴＥ／ＬＴＥ−Ａシステムを中心に述べられるが、ＩＥＥＥ  ８０２．１６ｅ／ｍシステムなどに適用されてもよい。
【００４４】
１．３ＧＰＰ  ＬＴＥ／ＬＴＥ  Ａ  システム
【００４５】
１．１．物理チャンネル及びこれを用いた信号の送受信方法
【００４６】
無線接続システムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャンネルが存在する。
【００４７】
図１は、本発明の実施例で使用可能な物理チャンネル及びそれらを用いた信号送信方法を説明するための図である。
【００４８】
電源が消えた状態で電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局からプライマリ同期チャンネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャンネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００４９】
その後、端末は基地局から物理放送チャンネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００５０】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャンネル状態を確認することができる。
【００５１】
初期セル探索を終えた端末は、Ｓ１２段階で、物理下りリンク制御チャンネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャンネル情報に対応する物理下りリンク共有チャンネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【００５２】
その後、端末は基地局への接続を完了するために、段階Ｓ１３〜段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャンネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ１３）、物理下りリンク制御チャンネル及びそれに対応する物理下りリンク共有チャンネルでプリアンブルに対する応答メッセージを受信することができる（Ｓ１４）。競合ベースのランダムアクセスでは、端末は、更なる物理ランダムアクセスチャンネル信号の送信（Ｓ１５）、及び物理下りリンク制御チャンネル信号及びそれに対応する物理下りリンク共有チャンネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５３】
上述したような手順を行った端末は、その後、一般的な上りリンク／下りリンク信号送信手順として、物理下りリンク制御チャンネル信号及び／又は物理下りリンク共有チャンネル信号の受信（Ｓ１７）、及び物理上りリンク共有チャンネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャンネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５４】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５５】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５６】
１．２．リソース構造
【００５７】
図２は、本発明の実施例で用いられる無線フレームの構造を示す図である。
【００５８】
図２（ａ）にはタイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも半二重（ｈａｌｆ  ｄｕｐｌｅｘ）ＦＤＤシステムにも適用可能である。
【００５９】
１無線フレーム（ｒａｄｉｏ  ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２つの連続したスロットで定義され、ｉ番目のサブフレームは、２ｉと２ｉ＋１に該当するスロットで構成される。すなわち、無線フレーム（ｒａｄｉｏ  ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００６０】
１スロットは時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは下りリンクにおいてＯＦＤＭＡを用いるので、ＯＦＤＭシンボルは１シンボル区間（ｓｙｍｂｏｌ  ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ  ｂｌｏｃｋ）はリソース割り当て単位であり、１つのスロットで複数の連続した副搬送波（ｓｕｂｃａｒｒｉｅｒ）を含む。
【００６１】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００６２】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６３】
図２（ｂ）にはタイプ２フレーム構造（ｆｒａｍｅ  ｓｔｒｕｃｔｕｒｅ  ｔｙｐｅ２）を示す。タイプ２フレーム構造はＴＤＤシステムに適用される。１無線フレーム（ｒａｄｉｏ  ｆｒａｍｅ）はＴｆ＝３０７２００＊Ｔｓ＝１０ｍｓの長さを有し、１５３６００＊Ｔｓ＝５ｍｓの長さを有する２つのハーフフレーム（ｈａｌｆ−ｆｒａｍｅ）で構成される。各ハーフフレームは３０７２０＊Ｔｓ＝１ｍｓの長さを有する５つのサブフレームで構成される。ｉ番目のサブフレームは２ｉと２ｉ＋１に該当する各Ｔｓｌｏｔ＝１５３６０＊Ｔｓ＝０．５ｍｓの長さを有する２つのスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６４】
タイプ２フレームにはＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末における初期セル探索、同期化又はチャンネル推定に用いられる。ＵｐＰＴＳは、基地局におけるチャンネル推定と端末の上り送信同期化に用いられる。保護区間は、上りリンクと下りリンクとの間に下りリンク信号の多重経路遅延によって上りリンクに生じる干渉を除去するための区間である。
【００６５】
次の表１は、特別フレームの構成（ＤｗＰＴＳ／ＧＰ／ＵｐＰＴＳの長さ）を表す。
【００６６】
【表１】
2020506579.tif 000003
【００６７】
図３は、本発明の実施例で利用可能な下りリンクスロットに対するリソースグリッド（ｒｅｓｏｕｒｃｅ  ｇｒｉｄ）を例示する図である。
【００６８】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００６９】
リソースグリッド上で各要素（ｅｌｅｍｅｎｔ）をリソース要素（ｒｅｓｏｕｒｃｅ  ｅｌｅｍｅｎｔ）といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。上りリンクスロット構造は、下りリンクスロットの構造と同様であってもよい。
【００７０】
図４は、本発明の実施例で利用可能な上りリンクサブフレームの構造を示す。
【００７１】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２つのスロットのそれぞれにおいて異なる副搬送波を占める。このようなＰＵＣＣＨに割り当てられたＲＢ対は、スロット境界（ｓｌｏｔ  ｂｏｕｎｄａｒｙ）で周波数跳躍（ｆｒｅｑｕｅｎｃｙ  ｈｏｐｐｉｎｇ）する、という。
【００７２】
図５は、本発明の実施例で利用可能な下りリンクサブフレームの構造を示す図である。
【００７３】
図５を参照すると、サブフレームにおける第１番目のスロットにおいてＯＦＤＭシンボルインデックス０から最大で３つまでのＯＦＤＭシンボルが、制御チャンネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられる下りリンク制御チャンネルの例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７４】
ＰＣＦＩＣＨはサブフレームの第１番目のＯＦＤＭシンボルで送信され、サブフレームにおいて制御チャンネルの送信のために用いられるＯＦＤＭシンボルの数（すなわち、制御領域のサイズ）に関する情報を搬送する。ＰＨＩＣＨは、上りリンクに対する応答チャンネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００７５】
１．３．ＣＳＩフィードバック
【００７６】
３ＧＰＰ  ＬＴＥ又はＬＴＥ−Ａシステムでは、ユーザ機器（ＵＥ）がチャンネル状態情報（ＣＳＩ）を基地局（ＢＳ又はｅＮＢ）に報告するように定義される。ここで、チャンネル状態情報（ＣＳＩ）は、ＵＥとアンテナポートとの間に形成される無線チャンネル（又は、リンク）の品質を示す情報を総称する。
【００７７】
例えば、前記チャンネル状態情報（ＣＳＩ）は、ランク指示子（ｒａｎｋ  ｉｎｄｉｃａｔｏｒ，ＲＩ）、プリコーディング行列指示子（ｐｒｅｃｏｄｉｎｇ  ｍａｔｒｉｘ  ｉｎｄｉｃａｔｏｒ，ＰＭＩ）、チャンネル品質指示子（ｃｈａｎｎｅｌ  ｑｕａｌｉｔｙ  ｉｎｄｉｃａｔｏｒ，ＣＱＩ）などを含む。
【００７８】
ここで、ＲＩは当該チャンネルのランク（ｒａｎｋ）情報を示し、これはＵＥが同一の時間−周波数リソースを介して受信するストリーム数を意味する。この値は、チャンネルの長期フェーディング（Ｌｏｎｇ  Ｔｅｒｍ  Ｆａｄｉｎｇ）によって従属されて決定される。次いで、 通常、ＲＩはＰＭＩ、ＣＱＩより長い周期でＵＥによってＢＳにフィードバックされる。
【００７９】
ＰＭＩはチャンネル空間特性を反映した値であって、ＳＩＮＲなどのメートル（ｍｅｔｒｉｃ）を基準としてＵＥが選考するプリコーディングインデックスを示す。
【００８０】
ＣＱＩはチャンネルの強度を示す値であって、通常、ＢＳがＰＭＩを用いるときに得られる受信ＳＩＮＲを意味する。
【００８１】
３ＧＰＰ  ＬＴＥ又はＬＴＥ−Ａシステムにおいて、基地局は、複数のＣＳＩプロセスをＵＥに設定して、各プロセスに対するＣＳＩをＵＥから報告される。ここで、ＣＳＩプロセスは、基地局からの信号品質の特定のためのＣＳＩ−ＲＳと干渉測定のためのＣＳＩ干渉測定（ＣＳＩ−ｉｎｔｅｒｆｅｒｅｎｃｅ  ｍｅａｓｕｒｅｍｅｎｔ，ＣＳＩ−ＩＭ）リソースで構成する。
【００８２】
１．４．ＲＲＭ測定
【００８３】
ＬＴＥシステムでは、電力制御（Ｐｏｗｅｒ  ｃｏｎｔｒｏｌ）、スケジューリング（Ｓｃｈｅｄｕｌｉｎｇ）、セル検索（Ｃｅｌｌ  ｓｅａｒｃｈ）、セル再選択（Ｃｅｌｌ  ｒｅｓｅｌｅｃｔｉｏｎ）、ハンドオーバー（Ｈａｎｄｏｖｅｒ）、ラジオリンク又は連結モニタリング（Ｒａｄｉｏ  ｌｉｎｋ  ｏｒ  Ｃｏｎｎｅｃｔｉｏｎ  ｍｏｎｉｔｏｒｉｎｇ）、連結確率／再確立（Ｃｏｎｎｅｃｔｉｏｎ  ｅｓｔａｂｌｉｓｈ／ｒｅ−ｅｓｔａｂｌｉｓｈ）などを含むＲＲＭ（Ｒａｄｉｏ  Ｒｅｓｏｕｒｃｅ  Ｍａｎａｇｅｍｅｎｔ）動作を支援する。このとき、サービングセルは端末にＲＲＭ動作を行うための測定値であるＲＲＭ測定（ｍｅａｓｕｒｅｍｅｎｔ）情報を要請することができる。代表的な情報として、ＬＴＥシステムにおいて端末は各セルに対するセル検索（Ｃｅｌｌ  ｓｅａｒｃｈ）情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定して報告することができる。具体的には、ＬＴＥシステムにおいて端末はサービングセルからＲＲＭ測定のための上位層信号として「ｍｅａｓＣｏｎｆｉｇ」が伝達され、端末はこの「ｍｅａｓＣｏｎｆｉｇ」の情報に従ってＲＳＲＰ又はＲＳＲＱを測定する。
【００８４】
ここで、ＬＴＥシステムにおいて定義するＲＳＲＰ、ＲＳＲＱ、ＲＳＳＩは、以下のように定義される。
【００８５】
先ず、ＲＳＲＰは考慮される測定周波数帯域内のセル−特定の参照信号を送信するリソース要素の電力分布（ｐｏｗｅｒ  ｃｏｎｔｒｉｂｕｔｉｏｎ、［Ｗ］単位）の線形平均で定義される。（Ｒｅｆｅｒｅｎｃｅ  ｓｉｇｎａｌ  ｒｅｃｅｉｖｅｄ  ｐｏｗｅｒ  （ＲＳＲＰ）,  ｉｓ  ｄｅｆｉｎｅｄ  ａｓ  ｔｈｅ  ｌｉｎｅａｒ  ａｖｅｒａｇｅ  ｏｖｅｒ  ｔｈｅ  ｐｏｗｅｒ  ｃｏｎｔｒｉｂｕｔｉｏｎｓ  （ｉｎ  [Ｗ]）  ｏｆ  ｔｈｅ  ｒｅｓｏｕｒｃｅ  ｅｌｅｍｅｎｔｓ  ｔｈａｔ  ｃａｒｒｙ  ｃｅｌｌ−ｓｐｅｃｉｆｉｃ  ｒｅｆｅｒｅｎｃｅ  ｓｉｇｎａｌｓ  ｗｉｔｈｉｎ  ｔｈｅ  ｃｏｎｓｉｄｅｒｅｄ  ｍｅａｓｕｒｅｍｅｎｔ  ｆｒｅｑｕｅｎｃｙ  ｂａｎｄｗｉｄｔｈ．）一例として、ＲＳＲＰ決定のためにセル−特定の参照信号Ｒ０が活用できる。（Ｆｏｒ  ＲＳＲＰ  ｄｅｔｅｒｍｉｎａｔｉｏｎ  ｔｈｅ  ｃｅｌｌ−ｓｐｅｃｉｆｉｃ  ｒｅｆｅｒｅｎｃｅ  ｓｉｇｎａｌｓ  Ｒ０  ｓｈａｌｌ  ｂｅ  ｕｓｅｄ．）仮に、ＵＥがセル−特定の参照信号Ｒ１が利用可能であると検出する場合、ＵＥはＲ１をさらに用いてＲＳＲＰを決定する。（Ｉｆ  ｔｈｅ  ＵＥ  ｃａｎ  ｒｅｌｉａｂｌｙ  ｄｅｔｅｃｔ  ｔｈａｔ  Ｒ１  ｉｓ  ａｖａｉｌａｂｌｅ  ｉｔ  ｍａｙ  ｕｓｅ  Ｒ１  ｉｎ  ａｄｄｉｔｉｏｎ  ｔｏ  Ｒ０  ｔｏ  ｄｅｔｅｒｍｉｎｅ  ＲＳＲＰ．）
【００８６】
ＲＳＲＰのための参照ポイントは、ＵＥのアンテナコネクターとなり得る。（Ｔｈｅ  ｒｅｆｅｒｅｎｃｅ  ｐｏｉｎｔ  ｆｏｒ  ｔｈｅ  ＲＳＲＰ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００８７】
仮に、ＵＥが受信機ダイバーシティを用いる場合、報告される値は個別のダイバーシティブランチに対応するＲＳＲＰより小さくならないようにする。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＲＳＲＰ  ｏｆ  ａｎｙ  ｏｆ  ｔｈｅ  ｉｎｄｉｖｉｄｕａｌ  ｄｉｖｅｒｓｉｔｙ  ｂｒａｎｃｈｅｓ．）
【００８８】
次いで、ＮがＥ−ＵＴＲＡ搬送波ＲＳＳＩ測定帯域幅のＲＢの数であるとき、ＲＳＲＱはＥ−ＵＴＲＡ搬送波ＲＳＳＩに対するＲＳＲＰの比率として、Ｎ＊ＲＳＲＰ／（Ｅ−ＵＴＲＡ  ｃａｒｒｉｅｒ  ＲＳＳＩ）と定義される。（Ｒｅｆｅｒｅｎｃｅ  Ｓｉｇｎａｌ  Ｒｅｃｅｉｖｅｄ  Ｑｕａｌｉｔｙ  （ＲＳＲＱ）  ｉｓ  ｄｅｆｉｎｅｄ  ａｓ  ｔｈｅ  ｒａｔｉｏ  ＮかけるＲＳＲＰ/（Ｅ−ＵＴＲＡ  ｃａｒｒｉｅｒ  ＲＳＳＩ）,  ｗｈｅｒｅ  Ｎ  ｉｓ  ｔｈｅ  ｎｕｍｂｅｒ  ｏｆ  ＲＢ’ｓ  ｏｆ  ｔｈｅ  Ｅ−ＵＴＲＡ  ｃａｒｒｉｅｒ  ＲＳＳｉ  ｍｅａｓｕｒｅｍｅｎｔ  ｂａｎｄｗｉｄｔｈ．）この測定値の分母及び分子は、リソースブロックの同一のセットによって決定される。（Ｔｈｅ  ｍｅａｓｕｒｅｍｅｎｔｓ  ｉｎ  ｔｈｅ  ｎｕｍｅｒａｔｏｒ  ａｎｄ  ｄｅｎｏｍｉｎａｔｏｒ  ｓｈａｌｌ  ｂｅ  ｍａｄｅ  ｏｖｅｒ  ｔｈｅ  ｓａｍｅ  ｓｅｔ  ｏｆ  ｒｅｓｏｕｒｃｅ  ｂｌｏｃｋｓ．）
【００８９】
Ｅ−ＵＴＲＡ搬送波ＲＳＳＩは共同−チャンネル（ｃｏ−ｃｈａｎｎｅｌ）サービング及び非−サービングセル、隣接チャンネルの干渉、熱雑音などを含む全てのソースからの受信信号に対して、Ｎ個のリソースブロックにわたって、測定帯域幅でアンテナポート０に対する参照シンボルを含むＯＦＤＭシンボルのみで端末によって測定された受信全電力（［Ｗ］単位）の線形平均を含む。（Ｅ−ＵＴＲＡ  Ｃａｒｒｉｅｒ  Ｒｅｃｅｉｖｅｄ  Ｓｉｇｎａｌ  Ｓｔｒｅｎｇｔｈ  Ｉｎｄｉｃａｔｏｒ  （ＲＳＳＩ）,  ｃｏｍｐｒｉｓｅｓ  ｔｈｅ  ｌｉｎｅａｒ  ａｖｅｒａｇｅ  ｏｆ  ｔｈｅ  ｔｏｔａｌ  ｒｅｃｅｉｖｅｄ  ｐｏｗｅｒ  （ｉｎ  [Ｗ]）  ｏｂｓｅｒｖｅｄ  ｏｎｌｙ  ｉｎ  ＯＦＤＭ  ｓｙｍｂｏｌｓ  ｃｏｎｔａｉｎｉｎｇ  ｒｅｆｅｒｅｎｃｅ  ｓｙｍｂｏｌｓ  ｆｏｒ  ａｎｔｅｎｎａ  ｐｏｒｔ  ０,  ｉｎ  ｔｈｅ  ｍｅａｓｕｒｅｍｅｎｔ  ｂａｎｄｗｉｄｔｈ,  ｏｖｅｒ  Ｎ  ｎｕｍｂｅｒ  ｏｆ  ｒｅｓｏｕｒｃｅ  ｂｌｏｃｋｓ  ｂｙ  ｔｈｅ  ＵＥ  ｆｒｏｍ  ａｌｌ  ｓｏｕｒｃｅｓ,  ｉｎｃｌｕｄｉｎｇ  ｃｏ−ｃｈａｎｎｅｌ  ＳＥＲＶＩＮＧ  ａｎｄ  ｎｏｎ−ＳＥＲＶＩＮＧ  ｃｅｌｌｓ,  ａｄｊａｃｅｎｔ  ｃｈａｎｎｅｌ  ｉｎｔｅｒｆｅｒｅｎｃｅ,  ｔｈｅｒｍａｌ  ｎｏｉｓｅ  ｅｔｃ．）仮に、上位層シグナリングがＲＳＲＱ測定のためにあるサブフレームを指示した場合、指示されたサブフレームにおける全てのＯＦＤＭシンボルに対してＲＳＳＩが測定される。（Ｉｆ  ｈｉｇｈｅｒ−ｌａｙｅｒ  ｓｉｇｎａｌｌｉｎｇ  ｉｎｄｉｃａｔｅｓ  ｃｅｒｔａｉｎ  ｓｕｂｆｒａｍｅｓ  ｆｏｒ  ｐｅｒｆｏｒｍｉｎｇ  ＲＳＲＱ  ｍｅａｓｕｒｅｍｅｎｔｓ,  ｔｈｅｎ  ＲＳＳＩ  ｉｓ  ｍｅａｓｕｒｅｄ  ｏｖｅｒ  ａｌｌ  ＯＦＤＭ  ｓｙｍｂｏｌｓ  ｉｎ  ｔｈｅ  ｉｎｄｉｃａｔｅｄ  ｓｕｂｆｒａｍｅｓ．）
【００９０】
ＲＳＲＱのための参照ポイントは、ＵＥのアンテナコネクターになり得る。（Ｔｈｅ  ｒｅｆｅｒｅｎｃｅ  ｐｏｉｎｔ  ｆｏｒ  ｔｈｅ  ＲＳＲＱ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００９１】
仮に、ＵＥが受信機ダイバーシティを用いる場合、報告される値は個別のダイバーシティブランチに対応するＲＳＲＱより小さくならないようにする。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＲＳＲＱ  ｏｆ  ａｎｙ  ｏｆ  ｔｈｅ  ｉｎｄｉｖｉｄｕａｌ  ｄｉｖｅｒｓｉｔｙ  ｂｒａｎｃｈｅｓ．）
【００９２】
次いで、ＲＳＳＩは受信機パルス状フィルターによって定義された帯域幅内の熱雑音及び受信機から生成された雑音を含む受信された広帯域電力で定義される。（Ｒｅｃｅｉｖｅｄ  Ｓｉｇｎａｌ  Ｓｔｒｅｎｇｔｈ  Ｉｎｄｉｃａｔｏｒ  （ＲＳＳＩ）  ｉｓ  ｄｅｆｉｎｅｄ  ａｓ  ｔｈｅ  ｒｅｃｅｉｖｅｄ  ｗｉｄｅ  ｂａｎｄ  ｐｏｗｅｒ,  ｉｎｃｌｕｄｉｎｇ  ｔｈｅｒｍａｌ  ｎｏｉｓｅ  ａｎｄ  ｎｏｉｓｅ  ｇｅｎｅｒａｔｅｄ  ｉｎ  ｔｈｅ  ｒｅｃｅｉｖｅｒ,  ｗｉｔｈｉｎ  ｔｈｅ  ｂａｎｄｗｉｄｔｈ  ｄｅｆｉｎｅｄ  ｂｙ  ｔｈｅ  ｒｅｃｅｉｖｅｒ  ｐｕｌｓｅ  ｓｈａｐｉｎｇ  ｆｉｌｔｅｒ．）  
【００９３】
測定のための参照ポイントは、ＵＥのアンテナコネクターになり得る。（Ｔｈｅ  ｒｅｆｅｒｅｎｃｅ  ｐｏｉｎｔ  ｆｏｒ  ｔｈｅ  ｍｅａｓｕｒｅｍｅｎｔ  ｓｈａｌｌ  ｂｅ  ｔｈｅ  ａｎｔｅｎｎａ  ｃｏｎｎｅｃｔｏｒ  ｏｆ  ｔｈｅ  ＵＥ．）
【００９４】
仮に、ＵＥが受信機ダイバーシティを用いる場合、報告される値は個別のダイバーシティブランチに対応するＵＴＲＡ搬送波ＲＳＳＩより小さくならないようにする。（Ｉｆ  ｒｅｃｅｉｖｅｒ  ｄｉｖｅｒｓｉｔｙ  ｉｓ  ｉｎ  ｕｓｅ  ｂｙ  ｔｈｅ  ＵＥ,  ｔｈｅ  ｒｅｐｏｒｔｅｄ  ｖａｌｕｅ  ｓｈａｌｌ  ｎｏｔ  ｂｅ  ｌｏｗｅｒ  ｔｈａｎ  ｔｈｅ  ｃｏｒｒｅｓｐｏｎｄｉｎｇ  ＵＴＲＡ  ｃａｒｒｉｅｒ  ＲＳＳＩ  ｏｆ  ａｎｙ  ｏｆ  ｔｈｅ  ｉｎｄｉｖｉｄｕａｌ  ｒｅｃｅｉｖｅ  ａｎｔｅｎｎａ  ｂｒａｎｃｈｅｓ．）
【００９５】
上述した定義に従って、ＬＴＥシステムにおいて動作する端末は、周波数間の測定（Ｉｎｔｒａ−ｆｒｅｑｕｅｎｃｙ  ｍｅａｓｕｒｅｍｅｎｔ）の場合、ＳＩＢ３（ｓｙｓｔｅｍ  ｉｎｆｏｒｍａｔｉｏｎ  ｂｌｏｃｋ  ｔｙｐｅ  ３）から送信される許容された測定帯域幅（Ａｌｌｏｗｅｄ  ｍｅａｓｕｒｅｍｅｎｔ  ｂａｎｄｗｉｄｔｈ）関連のＩＥ（ｉｎｆｏｒｍａｔｉｏｎ  ｅｌｅｍｅｎｔ）を介して指示される帯域幅でＲＳＲＰを測定することができる。また、周波数内の測定（Ｉｎｔｅｒ−ｆｒｅｑｕｅｎｃｙ  ｍｅａｓｕｒｅｍｅｎｔ）である場合、端末はＳＩＢ５から送信される許容された測定帯域幅を介して指示された６、１５、２５、５０、７５、１００ＲＢ（ｒｅｓｏｕｒｃｅ  ｂｌｏｃｋ）のうち１つに対応する帯域幅でＲＳＲＰを測定することができる。また、上述したようなＩＥがない場合、端末はデフォルト動作として全体ＤＬ（ｄｏｗｎｌｉｎｋ）システムの周波数帯域でＲＳＲＰを測定することができる。
【００９６】
このとき、端末が許容された測定帯域幅に対する情報を受信する場合、端末は当該値を最大の測定帯域幅（ｍａｘｉｍｕｍ  ｍｅａｓｕｒｅｍｅｎｔ  ｂａｎｄｗｉｄｔｈ）として当該値においてＲＳＲＰの値を自由に測定することができる、。ただし、サービングセルがＷＢ−ＲＳＲＱと定義されるＩＥを端末に送信して、許容された測定帯域幅を５０ＲＢ以上に設定する場合、端末は許容された測定帯域幅に対するＲＳＲＰ値を全て算出する必要がある。一方、端末はＲＳＳＩを測定するとき、ＲＳＳＩ帯域幅の定義に従って端末の受信機が有する周波数帯域を用いてＲＳＳＩを測定する。
【００９７】
２．新たな無線接続技術（Ｎｅｗ  Ｒａｄｉｏ  Ａｃｃｅｓｓ  Ｔｅｃｈｎｏｌｏｇｙ）システム
【００９８】
より多い通信機器がより大きい通信容量を要求するにつれて、従来の無線接続技術（ｒａｄｉｏ  ａｃｃｅｓｓ  ｔｅｃｈｎｏｌｏｇｙ，ＲＡＴ）に比べて向上した端末広帯域（ｍｏｂｉｌｅ  ｂｒｏａｄｂａｎｄ）通信の必要性が高まっている。また、複数の機器及びモノを連結していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が考慮されている。のみならず、信頼性（ｒｅｌｉａｂｉｌｉｔｙ）及び遅延（ｌａｔｅｎｃｙ）に敏感なサービス／ＵＥを考慮した通信システムデザインも論議されている。
【００９９】
このように、向上した端末広帯域通信（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した新たな無線接続技術の導入が論議されつつあり、本発明では、便宜のために、当該技術をＮｅｗ  ＲＡＴ又はＮＲ（Ｎｅｗ  Ｒａｄｉｏ）と称する。
【０１００】
２．１．セルフサブフレーム構造（Ｓｅｌｆ−ｃｏｎｔａｉｎｅｄ  ｓｕｂｆｒａｍｅ  ｓｔｒｕｃｔｕｒｅ）
【０１０１】
図６は、本発明に適用可能なセルフサブフレーム構造（Ｓｅｌｆ−ｃｏｎｔａｉｎｅｄ  ｓｕｂｆｒａｍｅ  ｓｔｒｕｃｔｕｒｅ）を示す図である。
【０１０２】
本発明が適用可能なＮＲシステムでは、ＴＤＤシステムにおいてデータ送信遅延を最小化するために、図６のようなセルフサブフレーム構造を説明する。
【０１０３】
図６において、斜線領域（例えば、ｓｙｍｂｏｌ  ｉｎｄｅｘ＝０）は、下りリンク制御（ｄｏｗｎｌｉｎｋ  ｃｏｎｔｒｏｌ）領域を示し、黒塗り領域（例えば、ｓｙｍｂｏｌ  ｉｎｄｅｘ＝１３）は、上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は、下りリンクデータ送信のために用いられてもよく、上りリンクデータ送信のために用いられてもよい。
【０１０４】
このような構造の特徴は、１つのサブフレームにおいてＤＬ送信とＵＬ送信とを順次に行うことができ、１つのサブフレームにおいてＤＬデータを送受信して、これに対するＵＬ  ＡＣＫ／ＮＡＣＫを送受信することもできる。結果として、かかる構造は、データ送信エラー発生時にデータの再送信までかかる時間を減らし、これによって最終データ伝達の遅延を最小化することができる。
【０１０５】
このようなセルフサブフレーム（ｓｅｌｆ−ｃｏｎｔａｉｎｅｄ  ｓｕｂｆｒａｍｅ）構造において、基地局とＵＥが送信モードから受信モードに切り替えられ、又は受信モードから送信モードに切り替えられるためには、所定時間長さのタイムギャップ（ｔｉｍｅ  ｇａｐ）が必要である。そのために、セルフサブフレーム構造において、ＤＬからＵＬに切り替えられる時点の一部のＯＦＤＭシンボルは、ガード区間（ｇｕａｒｄ  ｐｅｒｉｏｄ，ＧＰ）として設定される。
【０１０６】
上述では、セルフサブフレーム（ｓｅｌｆ−ｃｏｎｔａｉｎｅｄ  ｓｕｂｆｒａｍｅ）構造がＤＬ制御領域及びＵＬ制御領域を両方含む場合を説明したが、制御領域はセルフサブフレーム構造に選択的に含まれてもよい。換言すれば、本発明によるセルフサブフレーム構造は、図６のように、ＤＬ制御領域及びＵＬ制御領域を両方含む場合に限られず、ＤＬ制御領域又はＵＬ制御領域のみを含む場合であってもよい。
【０１０７】
また、説明の便宜のために、上述したようなフレーム構造をサブフレームと総称したが、当該構成は、フレーム又はスロットなどと称されてもよい。一例として、ＮＲシステムでは、複数のシンボルからなる１つの単位をスロットと称してもよく、以下の説明では、サブフレーム又はフレームは、上述したスロットに振り替えてもよい。
【０１０８】
２．２．ＯＦＤＭニューマロロジー（ｎｕｍｅｒｏｌｏｇｙ）
【０１０９】
ＮＲシステムは、ＯＦＤＭ送信方式又はこれと類似した送信方式を用いる。代表的に、ＮＲシステムは、表２のようなＯＦＤＭニューマロロジーを有する。
【０１１０】
【表２】
2020506579.tif 000004
【０１１１】
また、ＮＲシステムは、ＯＦＤＭ送信方式又はこれと類似した送信方式を用いて、表３のような多数のＯＦＤＭニューマロロジーから選ばれたＯＦＤＭニューマロロジーを用いることができる。具体的には、表３に示すように、ＮＲシステムは、ＬＴＥシステムで用いられる１５ｋＨｚ副搬送波スペーシング（ｓｕｂｃａｒｒｉｅｒ−ｓｐａｃｉｎｇ）をベースとして、上述の１５ｋＨｚ副搬送波スペーシングの倍数の関係にある３０、６０、１２０ｋＨｚの副搬送波スペーシングを有するＯＦＤＭニューマロロジーを用いることができる。  
【０１１２】
このとき、表３に示す循環前置（Ｃｙｃｌｉｃ  Ｐｒｅｆｉｘ）、システム帯域幅（Ｓｙｓｔｅｍ  ＢＷ）、利用可能な副搬送波（ａｖａｉｌａｂｌｅ  ｓｕｂｃａｒｒｉｅｒｓ）の数は、本発明によるＮＲシステムに適用可能な一例に過ぎず、具現方式によって上述した値は変更されてもよい。代表的に、６０ｋＨｚの副搬送波スペーシングの場合、システム帯域幅は１００ＭＨｚと設定されてもよく、この場合、利用可能な副搬送波の数は１５００超え１６６６未満の値である。また、表４に示すサブフレームの長さ（Ｓｕｂｆｒａｍｅ  ｌｅｎｇｔｈ）及びサブフレーム当たりＯＦＤＭシンボルの数も本発明によるＮＲシステムに適用可能な一例に過ぎず、具現方式によって上述した値は変更されてもよい。
【０１１３】
【表３】
2020506579.tif 000005
【０１１４】
２．３．アナログビームフォーミング（Ａｎａｌｏｇ  Ｂｅａｍｆｏｒｍｉｎｇ）
【０１１５】
ミリ波（Ｍｉｌｌｉｍｅｔｅｒ  Ｗａｖｅ，ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネル（ｐａｎｅｌ）に０．５ｌａｍｂｄａ（波長）間隔で２次元（２−ｄｉｍｅｎｓｉｏｎ）配列する場合、全１００個のアンテナ要素を設けることができる。これにより、ミリ波（ｍｍＷ）では多数のアンテナ要素を使用してビームフォーミング（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１１６】
この時、アンテナ要素ごとに送信パワー及び位相の調節ができるように、各々のアンテナ要素はＴＸＲＵ（Ｔｒａｎｓｃｅｉｖｅｒ Ｕｎｉｔ）を含む。これにより、各々のアンテナ要素は周波数リソースごとに独立したビームフォーミングを行うことができる。
【０１１７】
しかし、１００余個の全てのアンテナ要素にＴＸＲＵを設けることは費用面で実効性が乏しい。従って、１つのＴＸＲＵに多数のアンテナ要素をマップし、アナログ位相シフター（ａｎａｌｏｇ  ｐｈａｓｅ  ｓｈｉｆｔｅｒ）でビーム（ｂｅａｍ）方向を調節する方式が考えられている。かかるアナログビームフォーミング方式では全帯域において１つのビーム方向のみが形成できるので、周波数選択的なビームフォーミングが難しいというデメリットがある。
【０１１８】
これを解決するために、デジタルビームフォーミング及びアナログビームフォーミングの中間形態として、Ｑ個のアンテナ要素より少ない数のＢ個のＴＸＲＵを有するハイブリッドビームフォーミング（ｈｙｂｒｉｄ  ＢＦ）が考えられる。この場合、Ｂ個のＴＸＲＵとＱ個のアンテナ要素の連結方式によって差はあるが、同時に送信可能なビーム（ｂｅａｍ）の方向はＢ個以下に制限される。
【０１１９】
図７及び図８は、ＴＸＲＵとアンテナ要素（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【０１２０】
図７はＴＸＲＵがサブアレイ（ｓｕｂ−ａｒｒａｙ）に連結された方式を示している。図７の場合、アンテナ要素は１つのＴＸＲＵにのみ連結される。
【０１２１】
反面、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図８に示したように、別の加算器が必要である。
【０１２２】
図７及び図８において、Ｗはアナログ位相シフター（ａｎａｌｏｇ  ｐｈａｓｅ  ｓｈｉｆｔｅｒ）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは１：１又は１：多（１−ｔｏ−ｍａｎｙ）である。
【０１２３】
図７の構成によれば、ビームフォーミングのフォーカシングが難しいというデメリットがあるが、全てのアンテナ構成を低価で構成できるというメリットがある。
【０１２４】
図８の構成によれば、ビームフォーミングのフォーカシングが容易であるというメリットがある。但し、全てのアンテナ要素にＴＸＲＵが連結されるので、全体費用が増加するというデメリットがある。
【０１２５】
本発明が適用可能なＮＲシステムにおいて複数のアンテナが用いられる場合、デジタルビームフォーミング（Ｄｉｇｉｔａｌ  ｂｅａｍｆｏｒｍｉｎｇ）とアナログビームフォーミング（Ａｎａｌｏｇ  ｂｅａｍｆｏｒｍｉｎｇ）とを組み合わせたハイブリッドビームフォーミング（Ｈｙｂｒｉｄ  ｂｅａｍｆｏｒｍｉｎｇ）法が適用される。このとき、アナログビームフォーミング（又は、ＲＦ（Ｒａｄｉｏ  Ｆｒｅｑｕｅｎｃｙ）ビームフォーミング）は、ＲＦ端においてプリコーディング（又は、コンバイニング（Ｃｏｍｂｉｎｉｎｇ））を行う動作を意味する。また、ハイブリッドビームフォーミングでベースバンド（Ｂａｓｅｂａｎｄ）端とＲＦ端はそれぞれプリコーディング（又は、コンバイニング）を行う。これによって、ＲＦチェーン数とＤ／Ａ（Ｄｉｇｉｔａｌ−ｔｏ−Ａｎａｌｏｇ）（又は、Ａ／Ｄ（Ａｎａｌｏｇ−ｔｏ−Ｄｉｇｉｔａｌ）コンバータ数を減らしながらもデジタルビームフォーミングに近づく性能が発揮できるというメリットがある。
【０１２６】
説明の便宜のために、ハイブリッドビームフォーミング構造は、Ｎ個の送受信端（Ｔｒａｎｓｃｅｉｖｅｒ  ｕｎｉｔ，ＴＸＲＵ）とＭ個の物理アンテナで表現される。このとき、送信端から送信するＬ個のデータ階層（Ｄａｔａ  ｌａｙｅｒ）に対するデジタルビームフォーミングはＮ＊Ｌ（Ｎ  ｂｙ  Ｌ）行列で表現される。この後、変換されたＮ個のデジタル信号はＴＸＲＵを経てアナログ信号に変換され、変換された信号に対してＭ＊Ｎ（Ｍ  ｂｙ  Ｎ）行列で表現されるアナログビームフォーミングが適用される。
【０１２７】
図９は、本発明の一例によるＴＸＲＵ及び物理アンテナの観点におけるハイブリッドビームフォーミングの構造を簡単に示す図である。このとき、図９においてデジタルビーム数はＬ個であり、アナログビーム数はＮ個である。
【０１２８】
さらに、本発明が適用可能なＮＲシステムでは、基地局がアナログビームフォーミングをシンボル単位に変更できるように設計して、特定の地域に位置した端末により効率的なビームフォーミングを支援する方法を考慮している。また、図９のように、特定のＮ個のＴＸＲＵとＭ個のＲＦアンテナを１つのアンテナパネル（ｐａｎｅｌ）と定義するとき、本発明によるＮＲシステムでは、互いに独立したハイブリッドビームフォーミングが適用可能な複数のアンテナパネルを導入する方案まで考慮されている。
【０１２９】
上述したように、基地局が複数のアナログビームを活用する場合、各々の端末において信号受信に有利なアナログビームが異なる。これにより、本発明が適用できるＮＲシステムでは、基地局が特定のサブフレーム（ＳＦ）においてシンボルごとに異なるアナログビームを適用して（少なくとも同期信号、システム情報、ページング（Ｐａｇｉｎｇ）など）信号を送信することで、全ての端末が受信機会を得るようにするビームスイーピング（Ｂｅａｍ  ｓｗｅｅｐｉｎｇ）動作が考慮されている。
【０１３０】
図１０は、本発明の一例による下りリンク（Ｄｏｗｎｌｉｎｋ，ＤＬ）送信過程において、同期信号（Ｓｙｎｃｈｒｏｎｉｚａｔｉｏｎ  ｓｉｇｎａｌ）とシステム情報（Ｓｙｓｔｅｍ  ｉｎｆｏｒｍａｔｉｏｎ）に対するビームスイーピング（Ｂｅａｍ  ｓｗｅｅｐｉｎｇ）動作を簡単に示す図である。
【０１３１】
図１０において、本発明が適用可能なＮＲシステムのシステム情報がブロードキャスティング(Ｂｒｏａｄｃａｓｔｉｎｇ)方式で送信される物理的リソース(又は物理チャンネル)を、ｘＰＢＣＨ(ｐｈｙｓｉｃａｌ  ｂｒｏａｄｃａｓｔ  ｃｈａｎｎｅｌ)と称する。この時、１つのシンボル内で互いに異なるアンテナパネルに属する複数のアナログビームは同時に送信可能である。
【０１３２】
また図１０に示したように、本発明が適用可能なＮＲシステムにおいて、アナログビームごとのチャンネルを測定するための構成であって、(所定のアンテナパネルに対応する)単一のアナログビームが適用されて送信される参照信号(Ｒｅｆｅｒｅｎｃｅ  ｓｉｇｎａｌ，ＲＳ)であるビーム参照信号(Ｂｅａｍ  ＲＳ，ＢＲＳ)の導入が論議されている。ＢＲＳは複数のアンテナポートに対して定義され、ＢＲＳの各々のアンテナポートは単一のアナログビームに対応する。この時、ＢＲＳとは異なり、同期信号又はｘＰＢＣＨは、任意の端末がよく受信するようにアナログビームのグループ内の全てのアナログビームが適用されて送信される。
【０１３３】
３．提案する実施例
【０１３４】
以下、上述したような技術的構成に基づいて、基地局と端末とから成る無線通信システムにおいて、任意のスロット（又は、サブフレーム）が動的にＤＬ（ｄｏｗｎｌｉｎｋ）又はＵＬ（ｕｐｌｉｎｋ）用途として設定される場合、端末が１つ以上のＤＬデータ送信に対するＨＡＲＱ−ＡＣＫ（ｈｙｂｒｉｄ  ａｕｔｏｍａｔｉｃ  ｒｅｐｅａｔ  ｒｅｑｕｅｓｔ−ａｃｋｎｏｗｌｅｄｇｅ）情報を送信する方法について詳細に説明する。
【０１３５】
より具体的には、本発明では、ＨＡＲＱ−ＡＣＫ情報を送信するためのＰＵＣＣＨリソースを割り当てる方法について説明して、さらに、ＨＡＲＱ−ＡＣＫ情報が複数のＤＬデータ送信に対するＨＡＲＱ−ＡＣＫを含む場合のＨＡＲＱ−ＡＣＫ情報の送信方法について詳細に説明する。
【０１３６】
本発明が適用可能なＮＲシステムでは、単一の物理ネットワーク上に複数の論理ネットワークを具現するネットワークスライシング（Ｎｅｔｗｏｒｋ  ｓｌｉｃｉｎｇ）法が支援される。そのために、この論理ネットワークは様々な要求条件を有するサービス（例えば、ｅＭＢＢ（ｅｎｈａｎｃｅｄ  Ｍｏｂｉｌｅ  ＢｒｏａｄＢａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ）など）を支援する必要があり、本発明が適用可能なＮＲシステムの物理層システムでは、上述した様々なサービスによって可変的なニューマロロジーを有する直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ，ＯＦＤＭ）方式を支援する必要がある。換言すれば、本発明が適用可能なＮＲシステムでは、時間及び周波数リソース領域ごとに互いに独立したニューマロロジーを有するＯＦＤＭ方式（又は、多重アクセス（Ｍｕｌｔｉｐｌｅ  Ａｃｃｅｓｓ方式）が支援される。
【０１３７】
また、本発明が適用可能なＮＲシステムでは、上述した様々なサービスを支援するために柔軟性（Ｆｌｅｘｉｂｉｌｉｔｙ）を重要な設計思想として考慮する。ここで、本発明が適用可能なＮＲシステムにおけるスケジューリング単位をスロット（Ｓｌｏｔ）というとき、ＮＲシステムでは任意のスロットがＰＤＳＣＨ（又は、ＤＬデータを送信する物理チャンネル）送信スロット（以下、ＤＬスロット）又はＰＵＳＣＨ（又は、ＵＬデータを送信する物理チャンネル）送信スロット（以下、ＵＬスロット）に動的に変更できるようにする構造（以下、Ｄｙｎａｍｉｃ  ＤＬ／ＵＬ  ｃｏｎｆｉｇｕｒａｔｉｏｎ）を支援する。
【０１３８】
特に、本発明が適用可能なＮＲシステムにおいて、Ｄｙｎａｍｉｃ  ＤＬ／ＵＬ  ｃｏｎｆｉｇｕｒａｔｉｏｎを支援する場合、ＨＡＲＱ−ＡＣＫ送信に対する高すぎる遅延（Ｌａｔｅｎｃｙ）が求められない限り、複数のＤＬスロットに対するＨＡＲＱ−ＡＣＫが１つのＰＵＣＣＨリソースを介して送信されてもよい。
【０１３９】
図１１は、複数のＤＬスロットに対する複数のＨＡＲＱ−ＡＣＫが単一のＰＵＣＣＨリソースを介して送信される動作を簡単に示す図である。
【０１４０】
図１１に示すように、本発明によるＮＲシステムでは、各々のＤＬスロットに対するＨＡＲＱ−ＡＣＫをそれぞれ決定されるＰＵＣＣＨリソースで送信するのではなく、複数のＤＬスロットに対するＨＡＲＱ−ＡＣＫを結合して（例えば、ＨＡＲＱ−ＡＣＫ  ａｇｇｒｅｇａｔｉｏｎ）、１つのＰＵＣＣＨリソース（又は、ＨＡＲＱ−ＡＣＫ及び／又はＣＳＩ（ｃｈａｎｎｅｌ  ｓｔａｔｅ  ｉｎｆｏｒｍａｔｉｏｎ）などのＵＬ制御情報を物理チャンネル）で送信する動作を支援する。このような動作は、ＵＬ制御オーバーヘッド（ｃｏｎｔｒｏｌ  ｏｖｅｒｈｅａｄ）を減少することができる。
【０１４１】
ここで、本発明では、１つ以上のＤＬスロットに対するＨＡＲＱ−ＡＣＫが送信されるＰＵＣＣＨリソースを割り当てる方法について説明し、さらに、１つ以上のＤＬスロットが複数のＤＬスロットからなる場合、複数のＤＬスロットに対するＨＡＲＱ−ＡＣＫを結合して単一のＰＵＣＣＨリソースで送信する方法について詳細に説明する。
【０１４２】
説明の便宜のために、本発明では、特定の複数のＰＤＳＣＨに対するＨＡＲＱ−ＡＣＫを結合して特定の単一ＰＵＣＣＨリソース（又は、特定の単一ＰＵＳＣＨリソースにおけるＵＣＩ（ＵＬ  ｃｏｎｔｒｏｌ  ｉｎｆｏｒｍａｔｉｏｎ）送信領域）で送信することを指示する動作をポーリング（Ｐｏｌｌｉｎｇ）ベースのＨＡＲＱ−ＡＣＫフィードバック動作と称し、この動作を指示するＤＣＩ（ｄｏｗｎｌｉｎｋ  ｃｏｎｔｒｏｌ  ｉｎｆｏｒｍａｔｉｏｎ）をポーリングＤＣＩと称する。また、以下では、ＤＬ割り当て（ＤＬ  ａｓｓｉｇｎｍｅｎｔ）はＰＤＳＣＨのスケジューリングを指示するＤＣＩを意味して、ＵＬグラント（ＵＬ  ｇｒａｎｔ）はＰＵＳＣＨのスケジューリングを指示するＤＣＩを意味する。
【０１４３】
また、本発明において、ＤＡＩ（ｄｏｗｎｌｉｎｋ  ａｓｓｉｇｎｍｅｎｔ  ｉｎｄｅｘ）はＤＬ割り当てに含まれてＰＤＳＣＨのスケジューリング順を指示する値を意味する。このとき、ＤＡＩに対するビットフィールドがｋビットであるとき、ＤＡＩ値は０，１，…，Ｌ（＝２ｋ）−１のうちいずれか１つの値であってもよく、１つのＤＡＩ値は複数のスケジューリング順を意味してもよい。
【０１４４】
一例として、Ｐ＝１，２，…，Ｍ番目のスケジューリングが可能であるとき、スケジューリング順Ｐは（Ｐ−１）ｍｏｄ  ＬのＤＡＩ値で表されてもよい。
【０１４５】
以下の表４に、Ｌ＝４、Ｍ＝８である場合の例示を示す。一例として、５番目のスケジューリングは、（５−１）ｍｏｄ  ４＝０のＤＡＩ値で表される。このとき、端末が連続して（Ｌ−１）個のＤＡＩ値をミス（ｍｉｓｓｉｎｇ）しない限り、スケジューリング順に対する曖昧さ（Ａｍｂｉｇｕｉｔｙ）は生じない。よって、端末はＤＡＩ値に基づいてＰＤＳＣＨスケジューリング順に対するカウンター（Ｃｏｕｎｔｅｒ）を行うことができる。
【０１４６】
【表４】
2020506579.tif 000006
【０１４７】
以下、１つ以上のＤＬスロットに対するＨＡＲＱ−ＡＣＫが送信されるＰＵＣＣＨリソースを割り当てる方法について詳細に説明する。
【０１４８】
３．１．ＰＵＣＣＨリソース割り当て方法
【０１４９】
３．１．１．第１のＰＵＣＣＨリソース割り当て方法
【０１５０】
基地局が特定のＤＬ割り当てを用いてスケジュールされたＰＤＳＣＨに対するＨＡＲＱ−ＡＣリソース（又は、ＰＵＣＣＨリソース）を割り当てるとき、基地局は特定のＰＤＳＣＨのＨＡＲＱ−ＡＣＫ送信のためのＨＡＲＱ−ＡＣＫリソース（又は、ＰＵＣＣＨリソース）又はＵＬ制御領域を以下のうち１つ以上の変数に基づいて暗示的な方法で割り当てる。
【０１５１】
（１）ＤＬ割り当てが送信された（Ｓｔａｒｔｉｎｇ）ＣＣＥ（Ｃｏｎｔｒｏｌ  Ｃｈａｎｎｅｌ  Ｅｌｅｍｅｎｔ）インデックス
【０１５２】
（２）ＤＬ割り当てが送信されたＤＬ制御領域インデックス
【０１５３】
（３）ＤＬ割り当てが指示したＰＤＳＣＨ領域の（Ｓｔａｒｔｉｎｇ）ＰＲＢ（Ｐｈｙｓｉｃａｌ  Ｒｅｓｏｕｒｃｅ  Ｂｌｏｃｋ）インデックス
【０１５４】
（４）ＤＬ割り当てが指示したＨＡＲＱ−ＡＣＫタイミング
【０１５５】
ここで、ＤＬ制御領域（又は、ＵＬ制御領域）は、ＰＤＣＣＨ（又は、ＰＵＣＣＨ）を送信可能な時間及び周波数リソース領域を意味する。
【０１５６】
また、ＨＡＲＱ−ＡＣＫタイミングは、ＤＬ割り当ての受信時点に対するＰＤＳＣＨ送信時点（Ｔ１）とＰＤＳＣＨ送信時点に対するＨＡＲＱ−ＡＣＫ送信時点（Ｔ２）とが結合された値（Ｔ１＋Ｔ２）であってもよい。
【０１５７】
より具体的には、本発明が適用可能なＮＲシステムでは、特定のＰＤＳＣＨに対するＨＡＲＱ−ＡＣＫ送信時点が複数存在し、特定のＵＬ制御領域においてＣＣＥインデックスは同一であるものの、互いに異なるＨＡＲＱ−ＡＣＫタイミングを有する複数のＰＤＳＣＨが共存する場合が生じ得る。このとき、ＣＣＥインデックスに基づいてＰＵＣＣＨリソースが割り当てられる場合、複数のＰＤＳＣＨ間のＰＵＣＣＨリソースが衝突する問題が生じ得る。
【０１５８】
よって、本発明では、ＰＵＣＣＨリソースを暗示的な方法で割り当てる場合、さらにＨＡＲＱ−ＡＣＫタイミングを変数として考慮する方案を提案する。一例として、基地局は特定のＰＤＳＣＨに対して｛ＤＬ割り当ての（Ｓｔａｒｔｉｎｇ）ＣＣＥインデックス、ＨＡＲＱタイミング｝の結合、又は｛ＰＤＳＣＨ領域の（Ｓｔａｒｔｉｎｇ）ＰＲＢインデックス、ＨＡＲＱタイミング｝の結合、又は｛ＤＬ割り当てのＤＬ制御領域インデックス、ＨＡＲＱタイミング｝の結合によってＰＵＣＣＨリソース（又は、ＵＬ制御領域）を割り当てることができる。
【０１５９】
第１のＰＵＣＣＨリソースの割り当て方法は、本発明の別の提案方案と対峙しない限り、互いに組み合わされて適用されてもよい。
【０１６０】
３．１．２．第２のＰＵＣＣＨリソース割り当て方法
【０１６１】
基地局が特定のＤＬ割り当てを用いてスケジュールされたＰＤＳＣＨに対するＨＡＲＱ−ＡＣＫリソース（又は、ＰＵＣＣＨリソース）を割り当てるとき、基地局はＤＣＩ（例えば、ＤＬ  ａｓｓｉｇｎｍｅｎｔ）で複数のＵＬ制御領域（又は、ＨＡＲＱ−ＡＣＫリソースグループ或いはＰＵＣＣＨリソースグループ）のうち１つを動的に指示して、当該ＵＬ制御領域（又は、ＨＡＲＱ−ＡＣＫリソースグループ或いはＰＵＣＣＨリソースグループ）においては、以下のうち１つ以上の変数に基づいて、ＨＡＲＱ−ＡＣＫリソース（又は、ＰＵＣＣＨリソース）を暗示的な方法で割り当てる。
【０１６２】
（１）ＤＬ割り当てが送信された（Ｓｔａｒｔｉｎｇ）ＣＣＥインデックス
【０１６３】
（２）ＤＬ割り当てが送信されたＤＬ制御領域インデックス
【０１６４】
（３）ＤＬ割り当てが指示したＰＤＳＣＨ領域の（Ｓｔａｒｔｉｎｇ）ＰＲＢインデックス
【０１６５】
（４）ＤＬ割り当てが指示したＨＡＲＱ−ＡＣＫタイミング
【０１６６】
ここで、ＤＬ制御領域（又は、ＵＬ制御領域）はＰＤＣＣＨ（又は、ＰＵＣＣＨ）を送信可能な時間及び周波数リソース領域を意味する。
【０１６７】
また、ＨＡＲＱ−ＡＣＫタイミングは、ＤＬ割り当ての受信時点に対するＰＤＳＣＨ送信時点（Ｔ１）とＰＤＳＣＨ送信時点に対するＨＡＲＱ−ＡＣＫ送信時点（Ｔ２）とが結合された値（Ｔ１＋Ｔ２）であってもよい。
【０１６８】
また、基地局は、ＤＣＩ内の特定のビットフィールド（以下、ＡＲＩ（ＡＣＫ／ＮＡＣＫ  ｒｅｓｏｕｒｃｅ  ｉｎｄｉｃａｔｏｒ））の特定の状態（Ｓｔａｔｅ）がＵＬ制御領域（又は、ＨＡＲＱ−ＡＣＫリソースグループ或いはＰＵＣＣＨリソースグループ）を指示するように設定するか、又は特定の単一ＰＵＣＣＨリソースを指示するように（上位層信号などによって）設定してもよい。特に、後者の場合、基地局はＡＲＩの特定の状態によってＰＵＣＣＨリソースを端末に直接通知することができる。換言すれば、基地局はＤＣＩにおけるＡＲＩの各々の状態（ｓｔａｔｅ）が複数のＰＵＣＣＨリソースで構成されたＰＵＣＣＨリソースグループに対応するか（例えば、基地局はＰＵＣＣＨリソースグループのうち用いるＰＵＣＣＨグループをＡＲＩを用いて指示して、指示されたグループ内において端末が実際に用いるＰＵＣＣＨリソースは暗示的な方法で決定）、単一ＰＵＣＣＨリソースに対応するように（例えば、端末は基地局がＡＲＩを用いて指示したＰＵＣＣＨリソースをそのまま使用）ＵＥに設定してもよい。
【０１６９】
より具体的には、本発明において、基地局はＨＡＲＱ−ＡＣＫリソース（又は、ＰＵＣＣＨリソース）を割り当てるための方法として、明示的な指示（Ｅｘｐｌｉｃｉｔ  ｉｎｄｉｃａｔｉｏｎ）及び暗示的な指示（Ｉｍｐｌｉｃｉｔ  ｉｎｄｉｃａｔｉｏｎ）を両方活用することができる。
【０１７０】
一例として、基地局は予め上位層信号又はシステム情報によって端末に複数のＵＬ制御領域を設定して、ＤＣＩ（例えば、ＤＬ割り当て）を介して特定のＰＤＳＣＨに対するＨＡＲＱ−ＡＣＫリソースとして前記設定された複数のＵＬ制御領域のうち１つのＵＬ制御領域を指示することができる。これに対応して、端末が実際にＨＡＲＱ−ＡＣＫを送信するＵＬ制御領域内のＨＡＲＱ−ＡＣＫリソース（又は、ＰＵＣＣＨリソース）は、ＤＬ割り当てが送信された（Ｓｔａｒｔｉｎｇ）ＣＣＥインデックス、ＤＬ制御領域インデックス、ＰＤＳＣＨが割り当てられた領域の（Ｓｔａｒｔｉｎｇ）ＰＲＢインデックス、ＨＡＲＱタイミングのうち１つ以上を変数とする関数に基づいて決定される。
【０１７１】
以下、Ｃｏｕｎｔｅｒ  ＤＡＩ（ｄｏｗｎｌｉｎｋ  ａｓｓｉｇｎｍｅｎｔ  ｉｎｄｅｘ）（以下、ｃ−ＤＡＩ）は（スケジュールされた）ＰＤＳＣＨ（又は、Ｔｒａｎｓｐｏｒｔ  ｂｌｏｃｋ（以下、ＴＢ）又はＣｏｄｅ  ｂｌｏｃｋ  ｇｒｏｕｐ（以下、ＣＢＧ））間の順序を通知するＤＣＩ（例えば、ＤＬ  ｓｃｈｅｄｕｌｉｎｇ  ＤＣＩ）における特定のインデックス値を意味して、Ｔｏｔａｌ  ＤＡＩ（以下、ｔ−ＤＡＩ）はＨＡＲＱ−ＡＣＫ報告対象となる全体のＰＤＳＣＨ（又は、ＴＢ或いはＣＢＧ）数を通知するＤＣＩ（例えば、ＤＬ  ｓｃｈｅｄｕｌｉｎｇ  ＤＣＩ）における特定のインデックス値を意味する。このとき、端末がＨＡＲＱ−ＡＣＫペイロードを構成することにおいて、ｃ−ＤＡＩ順序に従ってｉｎｐｕｔ  ｂｉｔｓを構成することができる。説明の便宜のために、以下では、ＤＡＩはｃ−ＤＡＩを意味してもよい。
【０１７２】
基地局は（ＨＡＲＱ−ＡＣＫ送信のための）ＰＵＣＣＨリソース集合を設定して、特定のＰＤＳＣＨに対するＤＣＩ（例えば、ＤＬ  ａｓｓｉｇｎｍｅｎｔ）で（ＨＡＲＱ−ＡＣＫ送信のための）ＰＵＣＣＨリソース集合内の副−集合（ｓｕｂｓｅｔ）を指示する。仮に、副−集合内に２つ以上のＰＵＣＣＨリソースが存在する場合、基地局は、以下のうち１つ以上の変数に基づいて（副−集合内の複数のＰＵＣＣＨリソースのうち）１つのＰＵＣＣＨリソースを暗示的な方法でＵＥに割り当てる。
【０１７３】
［１］ＤＬ  ａｓｓｉｇｎｍｅｎｔが送信された（Ｓｔａｒｔｉｎｇ）ＣＣＥインデックス
【０１７４】
［２］ＤＬ  ａｓｓｉｇｎｍｅｎｔが送信されたＤＬ制御領域インデックス
【０１７５】
［３］ＤＬ  ａｓｓｉｇｎｍｅｎｔが指示したＰＤＳＣＨ領域の（Ｓｔａｒｔｉｎｇ）ＰＲＢインデックス
【０１７６】
［４］ＤＬ  ａｓｓｉｇｎｍｅｎｔが指示したＨＡＲＱ−ＡＣＫタイミング
【０１７７】
［５］ＤＬ  ａｓｓｉｇｎｍｅｎｔが指示したＢＷＰ（ｂａｎｄｗｉｄｔｈ  ｐａｒｔ）インデックス
【０１７８】
このとき、基地局が端末に複数のＰＤＳＣＨに対するＨＡＲＱ−ＡＣＫを（スロット及び／又はシンボルの観点から）同一の時間リソース（又は、同一のＰＵＣＣＨリソース）に送信するように指示した場合、端末は基地局が指示したＰＵＣＣＨリソース集合内の副−集合（ｓｕｂｓｅｔ）においてＩｍｐｌｉｃｉｔ  ｍａｎｎｅｒ（Ｉｍｐｌｉｃｉｔ  ｍａｐｐｉｎｇ）でＰＵＣＣＨリソースが割り当てられるとき、以下のうち１つ以上の変数を活用する。
【０１７９】
１］（複数のＰＤＳＣＨのうち端末が（ＤＡＩ観点から）最後に受信したＰＤＳＣＨに対応される）ＤＬ  ａｓｓｉｇｎｍｅｎｔが送信された（Ｓｔａｒｔｉｎｇ）ＣＣＥインデックス
【０１８０】
２］（複数のＰＤＳＣＨのうち端末が（ＤＡＩ観点から）最後に受信したＰＤＳＣＨに対応される）ＤＬ  ａｓｓｉｇｎｍｅｎｔが送信されたＤＬ制御領域インデックス
【０１８１】
３］（複数のＰＤＳＣＨのうち端末が（ＤＡＩ観点から）最後に受信したＰＤＳＣＨに対応される）ＤＬ  ａｓｓｉｇｎｍｅｎｔが指示したＰＤＳＣＨ領域の（Ｓｔａｒｔｉｎｇ）ＰＲＢインデックス
【０１８２】
４］（複数のＰＤＳＣＨのうち端末が（ＤＡＩ観点から）最後に受信したＰＤＳＣＨに対応される）ＤＬ  ａｓｓｉｇｎｍｅｎｔが指示したＨＡＲＱ−ＡＣＫタイミング
【０１８３】
５］（複数のＰＤＳＣＨのうち端末が（ＤＡＩ観点から）最後に受信したＰＤＳＣＨに対応される）ＤＬ  ａｓｓｉｇｎｍｅｎｔが指示したＢＷＰ（ｂａｎｄｗｉｄｔｈ  ｐａｒｔ）インデックス
【０１８４】
ここで、基地局は（ＤＡＩ観点から）最後の一部のＤＬ  ａｓｓｉｇｎｍｅｎｔに対して暗示的なマッピングを決定する変数が同一の値を有するようにスケジュールすることができる。
【０１８５】
ここで、Ｓｅｍｉ−ｓｔａｔｉｃ  ｃｏｄｅｂｏｏｋがせっていされたばあい、さいごにじゅしんしたＰＤＳＣＨはＨＡＲＱ−ＡＣＫを（スロット及び／又はシンボル観点から）同一の時間リソース（又は、同一のＰＵＣＣＨリソース）に送信する複数のＰＤＳＣＨのうちスロットインデックスが最大（又は、最小）、ＣＣインデックスは最小（又は、最大）であるＰＤＳＣＨを意味してもよい。
【０１８６】
具体例として、仮に端末が各々のＰＤＳＣＨに対応する（ＤＬ  ａｓｓｉｇｎｍｅｎｔ）ＣＣＥ  インデックスに基づいて（ＰＵＣＣＨリソース集合内）（選択された）副−集合内のＰＵＣＣＨリソースを暗示的な方法（暗示的なマッピング）で選択する場合、基地局が複数のＰＤＳＣＨに対するＣＣＥインデックスを全て一致させる場合に限って端末は複数のＰＤＳＣＨに対するＨＡＲＱ−ＡＣＫを同一のＰＵＣＣＨリソースで（ＡＣＫ／ＮＡＣＫ  ｂｕｎｄｌｉｎｇ又はＡＣＫ／ＮＡＣＫ  ｍｕｌｔｉｐｌｅｘｉｎｇなどの方式で）送信することができる。このような構成は、基地局のスケジューリングを大きく制約する。ここで、これを解決するための方法として、端末は（ＤＡＩ観点から）最後に受信したＰＤＳＣＨに対応する（ＤＬ  ａｓｓｉｇｎｍｅｎｔ）ＣＣＥインデックスに基づいて（ＰＵＣＣＨリソース集合内）（選択された）副−集合内のＰＵＣＣＨリソースを暗示的な方法（暗示的なマッピング）で選択することができ、これによって基地局のスケジューリング制約をより緩和することができる。
【０１８７】
さらに、本発明によるＮＲシステムにおいて、端末がＣＣＥ（ｃｏｎｔｒｏｌ  ｃｈａｎｎｅｌ  ｅｌｅｍｅｎｔ）インデックス観点からＰＤＣＣＨ検出を行う領域である検索領域（Ｓｅａｒｃｈ  ｓｐａｃｅ）は、以下の表のように定義される。
【０１８８】
【表５−１】
2020506579.tif 000007
【０１８９】
【表５−２】
2020506579.tif 000008
【０１９０】
【表５−３】
2020506579.tif 000009
【０１９１】
【表５−４】
2020506579.tif 000010
【０１９２】
このとき、基地局は上位層又はＲＭＳＩ（ｒｅｍａｉｎｉｎｇ  ｓｙｓｔｅｍ  ｉｎｆｏｒｍａｔｉｏｎ）を介して（ＨＡＲＱ−ＡＣＫ送信のための）ＰＵＣＣＨリソース集合を設定して、特定のＰＤＳＣＨに対するＤＣＩ（例えば、ＤＬ  ａｓｓｉｇｎｍｅｎｔ）で（ＨＡＲＱ−ＡＣＫ送信のための）ＰＵＣＣＨリソース集合内の副−集合（ｓｕｂｓｅｔ）を指示する。仮に、副−集合内に２つ以上のＰＵＣＣＨリソースがある場合、基地局は以下のうち１つ以上の変数に基づいて（副−集合内の複数のＰＵＣＣＨリソースなど）、１つのＰＵＣＣＨリソースを暗示的な方法（暗示的なマッピング）で割り当てる。
【０１９３】
［１］ＤＬ  ａｓｓｉｇｎｍｅｎｔが送信された（Ｓｔａｒｔｉｎｇ）ＣＣＥインデックス
【０１９４】
［２］ＤＬ  ａｓｓｉｇｎｍｅｎｔが送信されたＰＤＣＣＨ候補インデックス  
【０１９５】
［３］ＤＬ  ａｓｓｉｇｎｍｅｎｔが送信されたＤＬ制御領域インデックス
【０１９６】
［４］ＤＬ  ａｓｓｉｇｎｍｅｎｔが指示したＰＤＳＣＨ領域の（Ｓｔａｒｔｉｎｇ）ＰＲＢインデックス
【０１９７】
［５］ＤＬ  ａｓｓｉｇｎｍｅｎｔが指示したＨＡＲＱ−ＡＣＫタイミング
【０１９８】
［６］ＤＬ  ａｓｓｉｇｎｍｅｎｔが指示したＢＷＰ（ｂａｎｄｗｉｄｔｈ  ｐａｒｔ）インデックス
【０１９９】
このとき、基地局が端末に複数のＰＤＳＣＨに対するＨＡＲＱ−ＡＣＫを（スロット及び／又はシンボル観点から）同一の時間リソース（又は、同一のＰＵＣＣＨリソース）に送信するように指示した場合、端末の（ＡＲＩで指示された特定のＰＵＣＣＨの副−集合内）ＰＵＣＣＨリソースに対する暗示的な方法（暗示的なマッピング）動作は、以下のＰＤＳＣＨに対してのみ適用することができる。
【０２００】
−  ＤＡＩ観点から最後に受信したＰＤＳＣＨ
【０２０１】
−最大（又は、最小）のＣＣ（ｃｏｍｐｏｎｅｎｔ  ｃａｒｒｉｅｒ）インデックス及び／又は最高（又は、最低）のスロットインデックスを有するＰＤＳＣＨ
【０２０２】
一例として、ＤＣＩによって選択されたＰＵＣＣＨの副−集合内のＰＵＣＣＨリソースの数がＭＰＵＣＣＨ個である場合、基地局は（副−集合内の複数のＰＵＣＣＨリソースのうち）１つのＰＵＣＣＨリソースを以下のような暗示的な方法（暗示的なマッピング）で割り当てる。
【０２０３】
具体例として、端末はＤＬ  ａｓｓｉｇｎｍｅｎｔが送信された（Ｓｔａｒｔｉｎｇ）ＣＣＥインデックスをＣＣＥ結合レベル（ａｇｇｒｅｇａｔｉｏｎ  ｌｅｖｅｌ）で割った値に（ｃｅｉｌｉｎｇ（又は、ｆｌｏｏｒｉｎｇ））を適用して、（ｃｅｉｌｉｎｇ（又は、ｆｌｏｏｒｉｎｇ））を適用した値にＭＰＵＣＣＨに対するモジュロ（ｍｏｄｕｌｏ）演算を適用して、最終的な（ＰＵＣＣＨ副−集合内）ＰＵＣＣＨリソースインデックスを導出する。一例として、表５のように、検索領域を設計する場合、上述した方法によって割り当てられるＰＵＣＣＨリソースインデックスｋは、以下の数式で算出される。
【０２０４】
【数１】
2020506579.tif 000011
【０２０５】
別の例として、端末はＤＬ  ａｓｓｉｇｎｍｅｎｔが送信されたＰＤＣＣＨ候補インデックスにＭＰＵＣＣＨに対するモジュロ演算を適用して、最終的な（ＰＵＣＣＨ副−集合内）ＰＵＣＣＨリソースインデックスを導出する。一例として、表５のように、検索領域を設計する場合、上述した方法によって割り当てられるＰＵＣＣＨリソースインデックスｋは、以下の数式で算出される。
【０２０６】
【数２】
2020506579.tif 000012
【０２０７】
変形例として、基地局は、以下のうち１つ以上の変数に基づいてＵＬ制御領域（又は、ＨＡＲＱ−ＡＣＫリソースグループ或いはＰＵＣＣＨリソースグループ）を暗示的な方法で割り当て（又は、指示）する。
【０２０８】
１）ＤＬ割り当てが送信された（Ｓｔａｒｔｉｎｇ）ＣＣＥインデックス
【０２０９】
２）ＤＬ割り当てが送信されたＤＬ制御領域インデックス
【０２１０】
３）ＤＬ割り当てが指示したＰＤＳＣＨ領域の（Ｓｔａｒｔｉｎｇ）ＰＲＢインデックス
【０２１１】
４）ＤＬ割り当てが指示したＨＡＲＱ−ＡＣＫタイミング
【０２１２】
次いで、基地局はＤＣＩ（例えば、ＤＬ  ａｓｓｉｇｎｍｅｎｔ）内の特定のビットフィールド（例えば、ＡＲＩ）を介して暗示的な方法で割り当てられた（又は、指示された）ＵＬ制御領域におけるＨＡＲＱ−ＡＣＫリソース（又は、ＰＵＣＣＨリソース）候補のうち１つを動的に指示する。
【０２１３】
このとき、基地局は（上位層信号などによって）ＡＲＩの指示対象となるＰＵＣＣＨリソース集合がＤＬ割り当て送信リソース及び／又はＰＤＳＣＨ送信リソースに基づいた暗示的な方法によって決定されるように設定するか、又は特定の単一ＰＵＣＣＨリソース集合で決定されるように設定する。換言すれば、基地局は複数のＰＵＣＣＨリソースで構成されたＰＵＣＣＨリソース集合を複数設定するか（このとき、端末がＨＡＲＱ−ＡＣＫ送信のためにいずれのＰＵＣＣＨリソース集合を使用するかは暗示的に決定し、決定された集合において端末が実際に使用するＰＵＣＣＨリソースはＡＲＩによって指示）、又は複数のＰＵＣＣＨリソースを１つのＰＵＣＣＨリソース集合のみで設定するか（このとき、端末が当該ＰＵＣＣＨリソース集合において実際に使用するＰＵＣＣＨリソースはＡＲＩによって指示）否かを端末に設定する。
【０２１４】
別の変形例として、基地局が複数のＰＵＣＣＨリソースプール（ｒｅｓｏｕｒｃｅ  ｐｏｏｌ）を設定した状態において、基地局はＵＥ（ｇｒｏｕｐ）共通ＤＣＩで１つのＰＵＣＣＨリソースプールを指示して、以下のうち１つ以上の変数に基づいて、ＰＵＣＣＨリソースプールにおける特定のＰＵＣＣＨリソースを暗示的な方法で指示する。
【０２１５】
１>  ＤＬ割り当てが送信された（Ｓｔａｒｔｉｎｇ）ＣＣＥインデックス
【０２１６】
２>  ＤＬ割り当てが送信されたＤＬ制御領域インデックス
【０２１７】
３>  ＤＬ割り当てが指示したＰＤＳＣＨ領域の（Ｓｔａｒｔｉｎｇ）ＰＲＢインデックス
【０２１８】
４>  ＤＬ割り当てが指示したＨＡＲＱ−ＡＣＫタイミング
【０２１９】
別の変形例として、基地局が複数のＰＵＣＣＨリソースセット（ｒｅｓｏｕｒｃｅ  ｓｅｔ）を設定した状態において、基地局はＵＥ（ｇｒｏｕｐ）共通のＤＣＩで１つのＰＵＣＣＨリソースセットを指示して、その後、ＤＣＩ（例えば、ＤＬ  ａｓｓｉｇｎｍｅｎｔ）における特定のビットフィールド（例えば、ＡＲＩ）を用いてＰＵＣＣＨリソースセットにおける特定のＰＵＣＣＨリソースを指示する。
【０２２０】
第２のＰＵＣＣＨリソース割り当て方法は、本発明の他の提案方案と対峙しない限り、互いに組み合わされて適用されてもよい。
【０２２１】
３．１．３．第３のＰＵＣＣＨリソース割り当て方法
【０２２２】
基地局は端末にポーリングモード（Ｐｏｌｌｉｎｇ  ｍｏｄｅ）又は非−ポーリングモード（Ｎｏｎ-ｐｏｌｌｉｎｇ  ｍｏｄｅ）のうち１つを上位層信号又はＤＣＩを用いて変更して、各モードによってＨＡＲＱ-ＡＣＫリソース（又は、ＰＵＣＣＨリソース）指示を以下のように行う。
【０２２３】
（１）ポーリングモードの場合、基地局はＨＡＲＱ-ＡＣＫリソース（又は、ＰＵＣＣＨリソース）指示をポーリングＤＣＩを介して指示する。このとき、ポーリングＤＣＩはＤＬ割り当てと同一であるか又は別のＤＣＩが適用されてもいよい。
【０２２４】
（２）非−ポーリングモードの場合、基地局はＨＡＲＱ-ＡＣＫリソース（又は、ＰＵＣＣＨリソース）指示を毎ＤＬ割り当てによって指示する。
【０２２５】
より具体的には、基地局がポーリングモードと非−ポーリングモードを端末に設定可能であるとき、ＨＡＲＱ-ＡＣＫリソース（又は、ＰＵＣＣＨリソース）指示を行うＤＣＩは互いに区分できる。
【０２２６】
一例として、ポーリングモードの場合、ポーリング動作を指示するポーリングＤＣＩがＨＡＲＱ-ＡＣＫリソース（又は、ＰＵＣＣＨリソース）を指示することが望ましい。ポーリングＤＣＩがＤＬ割り当てとは別のＤＣＩで設計される場合、ＤＬ割り当て内のＨＡＲＱ-ＡＣＫリソース（又は、ＰＵＣＣＨリソース）を指示するビットフィールドは省略されてもよいため、ＤＬ制御オーバーヘッド観点から望ましい。
【０２２７】
一方、非−ポーリングモードの場合、各々のＰＤＳＣＨにおいてＨＡＲＱ-ＡＣＫ送信時点が異なることがあるため、毎ＤＬ割り当てごとにＨＡＲＱ-ＡＣＫリソース（又は、ＰＵＣＣＨリソース）を指示するフィールドを含むことが望ましい。
【０２２８】
第３のＰＵＣＣＨリソース割り当て方法は、本発明の別の提案方案と対峙しない限り、互いに組み合わされて適用されてもよい。
【０２２９】
３．１．４．第４のＰＵＣＣＨリソース割り当て方法
【０２３０】
基地局が第１のＤＣＩ（例えば、１ｓｔ  ＤＣＩ）と第２のＤＣＩ（例えば、２ｎｄ  ＤＣＩ）ベースの２段階（２-ｓｔｅｐ）ＤＣＩを活用してＤＬ割り当てを行うとき、基地局は第２のＤＣＩを介してＮ個のＨＡＲＱ-ＡＣＫリソース（又は、ＰＵＣＣＨリソース）集合のうち１つの集合を指示して、第１のＤＣＩを介して前記選択されたＨＡＲＱ-ＡＣＫリソース（又は、ＰＵＣＣＨリソース）集合内のＭ個のＨＡＲＱ-ＡＣＫリソース（又は、ＰＵＣＣＨリソース）のうち１つを動的に指示することができる。
【０２３１】
ここで、Ｎ個のＨＡＲＱ-ＡＣＫリソース（又は、ＰＵＣＣＨリソース）集合は、予め基地局の上位層信号を介して設定されてもよい。
【０２３２】
また、ＨＡＲＱ-ＡＣＫリソース（又は、ＰＵＣＣＨリソース）集合を指示する第２のＤＣＩが存在しない場合、端末は（予め約束された、又は上位層信号で設定された）基本（Ｄｅｆａｕｌｔ）ＨＡＲＱ-ＡＣＫリソース（又は、ＰＵＣＣＨリソース）集合を仮定した状態において、基本ＨＡＲＱ-ＡＣＫリソース（又は、ＰＵＣＣＨリソース）集合におけるＭ個のＨＡＲＱ-ＡＣＫリソース（又は、ＰＵＣＣＨリソース）のうち第１のＤＣＩによって動的に指示されたリソースをＨＡＲＱ-ＡＣＫリソースとして仮定する。
【０２３３】
また、基地局が第２のＤＣＩを用いてＨＡＲＱ-ＡＣＫリソース（又は、ＰＵＣＣＨリソース）集合を設定するとき、基地局はＨＡＲＱ-ＡＣＫリソース（又は、ＰＵＣＣＨリソース）集合が有効な時間区間に関する情報も共に通知することができる。
【０２３４】
図１２は、基地局が２つのＤＣＩを介してＨＡＲＱ-ＡＣＫリソース集合及び選択されたリソース集合におけるＨＡＲＱ-ＡＣＫリソースを指示する動作を簡単に示す図である。
【０２３５】
図１２に示すように、基地局は第２のＤＣＩに含まれた１ビットサイズのＡＳＩ（ＡＣＫ-ＮＡＣＫ  ｒｅｓｏｕｒｃｅ  ｓｅｔ  ｉｎｄｉｃａｔｏｒ）を用いてＨＡＲＱ-ＡＣＫリソース集合の２つのうち１つを指示して、第１のＤＣＩに含まれた２ビットサイズのＡＲＩ（ＡＣＫ-ＮＡＣＫ  ｒｅｓｏｕｒｃｅ  ｉｎｄｉｃａｔｏｒ）を用いて選択されたＨＡＲＱ-ＡＣＫリソース集合における４つのＨＡＲＱ-ＡＣＫリソースのうち１つを指示する。このとき、第２のＤＣＩで送信されるＡＳＩは基地局が必要となる場合に限って機械的に送信することができ、第１のＤＣＩは第２のＤＣＩにおけるＡＳＩの存否について通知することができる。
【０２３６】
上述のような構成によって、ＨＡＲＱ-ＡＣＫリソース指示に対する柔軟性を高めて、固定して用いられるＤＬ制御オーバーヘッドを緩和する効果が得られる。
【０２３７】
第４のＰＵＣＣＨリソース割り当て方法は、本発明の他の提案方案と対峙しない限り、互いに組み合わされて適用されてもよい。
【０２３８】
３．１．５．第５のＰＵＣＣＨリソース割り当て方法
【０２３９】
基地局が端末にＨＡＲＱ-ＡＣＫリソース（又は、ＰＵＣＣＨリソース）を指示するとき、基地局はＤＬ割り当てからＤＬデータの遅延（ＤＬ  ａｓｓｉｇｎｍｅｎｔ-ｔｏ-ＤＬ  ｄａｔａ  ｄｅｌａｙ）及びＤＬデータからＨＡＲＱ-ＡＣＫの遅延（ＤＬ  ｄａｔａ-ｔｏ-ＨＡＲＱ-ＡＣＫ  ｄｅｌａｙ）の結合をジョイント指示（Ｊｏｉｎｔ  ｉｎｄｉｃａｔｉｏｎ）することができる。
【０２４０】
より具体的には、基地局が単一のビットフィールドを用いて複数の状態のうち１つを指示する場合、複数の状態のうち１つは特定のＤＬ  ａｓｓｉｇｎｍｅｎｔ-ｔｏ-ＤＬ  ｄａｔａ  ｄｅｌａｙ値とＤＬ  ｄａｔａ-ｔｏ-ＨＡＲＱ-ＡＣＫ  ｄｅｌａｙ値との組み合わせを意味する。
【０２４１】
一例として、基地局がＨＡＲＱ  ｔｉｍｉｎｇ  Ｘを指示することができる。このとき、各々のＨＡＲＱ  ｔｉｍｉｎｇ  ＸはＨＡＲＱ  ｔｉｍｉｎｇ  １=｛ＤＬ  ａｓｓｉｇｎｍｅｎｔ  ｔｏ  ＤＬ  ｄａｔａ  ｄｅｌａｙ＝Ａ１，ＤＬ  ｄａｔａ  ｔｏ  ＨＡＲＱ−ＡＣＫ  ｄｅｌａｙ＝Ｂ１｝、ＨＡＲＱ  ｔｉｍｉｎｇ  ２＝｛ＤＬ  ａｓｓｉｇｎｍｅｎｔ  ｔｏ  ＤＬ  ｄａｔａ  ｄｅｌａｙ＝Ａ２，ＤＬ  ｄａｔａ  ｔｏ  ＨＡＲＱ−ＡＣＫ  ｄｅｌａｙ＝Ｂ２｝、…のように、ＤＬ  ａｓｓｉｇｎｍｅｎｔ−ｔｏ−ＤＬ  ｄａｔａ  ｄｅｌａｙ値とＤＬ  ｄａｔａ−ｔｏ−ＨＡＲＱ−ＡＣＫ  ｄｅｌａｙ値との組み合わせに対応される。
【０２４２】
第５のＰＵＣＣＨリソース割り当て方法は、本発明の他の提案方法と対峙しない限り、互いに組み合わされて適用されてもよい。
【０２４３】
以下、ＰＵＣＣＨリソースプールは複数のＰＵＣＣＨリソースで構成された集合を意味して、ＰＲＢ（ｐｈｙｓｉｃａｌ  ｒｅｓｏｕｒｃｅ  ｂｌｏｃｋ）は時間及び周波数軸のリソース領域においてリソース割り当てのための基本単位を意味すると仮定する。
【０２４４】
また、以下では、検索領域（Ｓｅａｒｃｈ  ｓｐａｃｅ）は端末がＤＣＩ（ｄｏｗｎｌｉｎｋ  ｃｏｎｔｒｏｌ  ｉｎｆｏｒｍａｔｉｏｎ）検出を行うとき、実際に検出を行う論理的（又は、物理的）リソースを意味する。
【０２４５】
また、以下では、ＵＣＩ（ｕｐｌｉｎｋ  ｃｏｎｔｒｏｌ  ｉｎｆｏｒｍａｔｉｏｎ）はＨＡＲＱ−ＡＣＫ、ＣＳＩ（Ｃｈａｎｎｅｌ  Ｓｔａｔｅ  Ｉｎｆｏｒｍａｔｉｏｎ）フィードバックなどの情報を含んでもよい。
【０２４６】
また、以下では、ＲＡＣＨ（ｒａｎｄｏｍ  ａｃｃｅｓｓ  ｃｈａｎｎｅｌ）過程は、以下の４段階で構成された過程を意味する。特に、基地局の観点におけるＲＡＣＨ過程は、以下の２段階及び／又は４段階を意味する。
【０２４７】
−  １段階：端末のＲＡＣＨ（Ｒａｎｄｏｍ  Ａｃｃｅｓｓ  Ｃｈａｎｎｅｌ）プリアンブル送信
【０２４８】
−  ２段階：（ＲＡＣＨプリアンブルに対応した）基地局のＲＡＲ（ｒａｎｄｏｍ  ａｃｃｅｓｓ  ｒｅｓｐｏｎｓｅ）送信。ここで、ＲＡＲは仮ＵＥ  ＩＤを含む。
【０２４９】
−  ３段階：（ＲＡＲに対応した）端末の第３のメッセージ（例えば、ＲＲＣ  ｃｏｎｎｅｃｔｉｏｎ  ｒｅｑｕｅｓｔ  ｍｅｓｓａｇｅ）送信。ここで、第３のメッセージはＵＥ  ｉｄｅｎｔｉｔｙを含む。
【０２５０】
−  ４段階：（第３のメッセージに対応した）基地局の第４のメッセージ（例えば、Ｍｓｇ.４，ｃｏｎｔｅｎｔｉｏｎ  ｒｅｓｏｌｕｔｉｏｎ  ｍｅｓｓａｇｅ）を送信する。
【０２５１】
３．１．６．第６のＰＵＣＣＨリソース割り当て方法
【０２５２】
基地局は端末に基本ＰＵＣＣＨリソースプールに関する設定情報を以下のうち１つの方法によって通知する。
【０２５３】
（１）予め約束された方式
【０２５４】
（２）放送（Ｂｒｏａｄｃａｓｔ）情報（例えば、ＭＩＢ（ｍａｓｔｅｒ  ｉｎｆｏｒｍａｔｉｏｎ  ｂｌｏｃｋ））及び／又はシステム情報（例えば、ＳＩＢ（ｓｙｓｔｅｍ  ｉｎｆｏｒｍａｔｉｏｎ  ｂｌｏｃｋ））に（端末共通の）基本（Ｄｅｆａｕｌｔ）ＰＵＣＣＨリソースプールの設定情報が含まれて送信される。
【０２５５】
（３）ＲＡＣＨ過程において、ＲＡＲに（端末特定の）基本ＰＵＣＣＨリソースプールの設定情報が含まれて送信される。
【０２５６】
（４）ＲＡＣＨ過程において、第４のメッセージに（端末特定の）基本ＰＵＣＣＨリソースプールの設定情報が含まれて送信される。
【０２５７】
ここで、基本ＰＵＣＣＨリソースプールにおける（特定のＰＤＳＣＨに対する）ＵＣＩを送信する特定のＰＵＣＣＨリソースは、以下のうち１つの方法で指示される。
【０２５８】
１）（特定のＰＤＳＣＨをスケジュールする）ＤＣＩで基本ＰＵＣＣＨリソースプールにおける特定のＰＵＣＣＨリソースを指示（即ち、ｅｘｐｌｉｃｉｔ  ｍａｎｎｅｒ）
【０２５９】
２）ＤＬ制御リソース割り当て情報及び／又はＤＬデータリソース割り当て情報及び／又はＨＡＲＱ−ＡＣＫタイミング情報に基づいてＰＵＣＣＨリソースを暗示的な方法（Ｉｍｐｌｉｃｉｔ  ｍａｎｎｅｒ）で指示する。
【０２６０】
ここで、端末は基本ＰＵＣＣＨリソースプールベースのＰＵＣＣＨリソース割り当てを以下のような場合に適用する。
【０２６１】
１> （端末特定の）ＰＵＣＣＨリソースプールが上位層信号（例えば、ＲＲＣ  ｓｉｇｎａｌｉｎｇ）を介して適用（又は、設定）されない場合
【０２６２】
２>  特定のＤＣＩ  ｆｏｒｍａｔに対応するＨＡＲＱ−ＡＣＫ送信時
【０２６３】
３>  特定の検索領域（例えば、Ｃｏｍｍｏｎ  ｓｅａｒｃｈ  ｓｐａｃｅ）に対応するＨＡＲＱ−ＡＣＫ送信時
【０２６４】
４>  特定のデータ（例えば、Ｍｓｇ．４）に対応するＨＡＲＱ−ＡＣＫ送信時
【０２６５】
より具体的に、本発明が適用可能なＮＲシステムにおいて、基地局は複数のＰＵＣＣＨリソースからなるＰＵＣＣＨリソース集合を上位層信号（例えば、ＲＲＣ  ｓｉｇｎａｌｉｎｇ）によって設定して、（ＰＤＳＣＨをスケジュールする）ＤＣＩでＰＵＣＣＨリソース集合における特定のＰＵＣＣＨリソースを指示する。
【０２６６】
但し、ＲＡＣＨ過程の直後、端末はＰＵＣＣＨリソース集合に関する情報を上位層信号で設定される前であり得る。この状況を考えて、以下のような基本ＰＵＣＣＨリソース割り当て方法が考慮される。
【０２６７】
一例として、基地局はＲＡＣＨ過程においてＲＡＲ（又は、Ｍｓｇ．４）を介して（端末特定の）基本ＰＵＣＣＨリソース集合を設定して、その後、（ＰＤＳＣＨをスケジュールする）ＤＣＩを介して基本ＰＵＣＣＨリソース集合における特定のＰＵＣＣＨリソースを指示する。
【０２６８】
別の例として、基地局はシステム情報によって（端末共通の）基本ＰＵＣＣＨリソース集合を設定して、その後、（ＰＤＳＣＨをスケジュールする）ＤＣＩにおけるリソース割り当て情報又はＰＤＳＣＨに関するリソース割り当て情報などに基づいて、基本ＰＵＣＣＨリソースプールにおける特定のＰＵＣＣＨリソースを暗示的な方法によって指示する。このとき、端末は、基地局が（端末特定の）ＰＵＣＣＨリソース集合を上位層信号（例えば、ＲＲＣ  ｓｉｇｎａｌｉｎｇ）を介して設定する前まで、基本ＰＵＣＣＨリソース集合ベースのＰＵＣＣＨリソース割り当て方式を活用することができる。仮に、（端末特定の）ＰＵＣＣＨリソースプールが上位層信号（例えば、ＲＲＣ  ｓｉｇｎａｌｉｎｇ）によってその後設定される場合は、端末は設定されたＰＵＣＣＨリソース集合ベースのＰＵＣＣＨリソース割り当て方式を行うことができる。一例として、基地局は基本ＰＵＣＣＨ割り当て方式として、上述した第１のＰＵＣＣＨリソース割り当て方法のように暗示的な方法でＰＵＣＣＨリソースを割り当てるが、上位層信号を介してＰＵＣＣＨリソース集合が設定される場合、ＤＣＩを介して設定されたＰＵＣＣＨリソース集合における特定のＰＵＣＣＨリソースを指示して割り当ててもよい。
【０２６９】
第６のＰＵＣＣＨリソース割り当て方法は、本発明の他の提案方案と対峙しない限り、互いに組み合わされて適用されてもよい。
【０２７０】
３．１．７．第７のＰＵＣＣＨリソース割り当て方法
【０２７１】
基地局は端末に上位層信号を介してＰＵＣＣＨリソースプールを設定して、ＤＣＩを介して設定されたＰＵＣＣＨリソースプールにおける特定のＰＵＣＣＨリソースを割り当てることができる。このとき、ＰＵＣＣＨリソースプールが設定される前まで、端末は（特定のＰＤＳＣＨに対する）ＵＣＩ送信のために、以下のような基本ＰＵＣＣＨリソース割り当てを適用してもよい。
【０２７２】
（１）ＤＬ制御リソース割り当て情報及び／又はＤＬデータリソース割り当て情報及び／又はＨＡＲＱ−ＡＣＫタイミング情報に基づいて、ＰＵＣＣＨリソースを暗示的な方法によって割り当てる（例えば、特定の規則に従ってＰＵＣＣＨリソース割り当てる）。
【０２７３】
（２）放送情報（例えば、ＭＩＢ）及び／又はシステム情報（例えば、ＳＩＢ）及び／又はＲＡＲ及び／又はＭｓｇ．４で特定のＰＵＣＣＨリソースを割り当てる。
【０２７４】
（３）基本ＰＵＣＣＨリソースプールは、放送情報（例えば、ＭＩＢ）及び／又はシステム情報（例えば、ＳＩＢ）及び／又はＲＡＲ及び／又はＭｓｇ．４によって設定され、ＤＣＩで基本ＰＵＣＣＨリソースプールにおける特定のＰＵＣＣＨリソースを割り当てる。
【０２７５】
ここで、基本ＰＵＣＣＨリソース割り当ては、特定のＤＣＩフォーマット又は特定の検索領域（例えば、Ｃｏｍｍｏｎ  ｓｅａｒｃｈ  ｓｐａｃｅ）又は特定のデータ（例えば、Ｍｓｇ．４）に対応するＨＡＲＱ−ＡＣＫ送信時にも適用できる。
【０２７６】
より具体的には、本発明が適用可能なＮＲシステムにおいて、基地局は複数のＰＵＣＣＨリソースで構成されたＰＵＣＣＨリソース集合を上位層信号（例えば、ＲＲＣ  ｓｉｇｎａｌｉｎｇ）によって設定して、（ＰＤＳＣＨをスケジュールする）ＤＣＩを介してＰＵＣＣＨリソース集合における特定のＰＵＣＣＨリソースを指示する。   
【０２７７】
但し、ＲＡＣＨ過程の直後、端末はＰＵＣＣＨリソース集合に関する情報を上位層信号で設定される前であり得る。この状況を考えて、以下のような基本ＰＵＣＣＨリソース割り当て方法が考慮される。
【０２７８】
一例として、基地局は、ＲＡＣＨ過程においてＲＡＲ（又は、Ｍｓｇ．４）によって（端末特定の）基本ＰＵＣＣＨリソース集合を設定して、その後、（ＰＤＳＣＨをスケジュールする）ＤＣＩによって基本ＰＵＣＣＨリソース集合における特定のＰＵＣＣＨリソースを指示する。別の例として、基地局は（ＰＤＳＣＨをスケジュールする）ＤＣＩにおけるリソース割り当て情報又はＰＤＳＣＨに関するリソース割り当て情報などに基づいて、基本ＰＵＣＣＨリソースプールにおける特定のＰＵＣＣＨリソースを暗示的な方法で指示する。このとき、端末は、基地局が（端末特定の）ＰＵＣＣＨリソース集合を上位層信号（例えば、ＲＲＣ  ｓｉｇｎａｌｉｎｇ）によって設定する前まで、基本ＰＵＣＣＨリソース集合ベースのＰＵＣＣＨリソース割り当て方式を活用することができる。仮に、（端末特定の）ＰＵＣＣＨリソースプールが上位層信号（例えば、ＲＲＣ  ｓｉｇｎａｌｉｎｇ）によって設定される場合、端末は設定されたＰＵＣＣＨリソース集合ベースのＰＵＣＣＨリソース割り当て方式を行うことができる。一例として、基地局は基本ＰＵＣＣＨ割り当て方式として、上述した第１のＰＵＣＣＨリソース割り当て方法のように暗示的な方法でＰＵＣＣＨリソースを割り当てるものの、上位層信号によってＰＵＣＣＨリソース集合が設定される場合、ＤＣＩによって設定されたＰＵＣＣＨリソース集合における特定のＰＵＣＣＨリソースを指示して割り当ててもよい。
【０２７９】
まとめると、端末は、基地局からＨＡＲＱ−ＡＣＫ送信用ＰＵＣＣＨリソースが（ＵＥ特定として）設定される前まで、ＤＬデータ受信に対するＨＡＲＱ−ＡＣＫ送信、及び／又は特定のＤＣＩフォーマット及び／又は特定の検索領域（例えば、ｃｏｍｍｏｎ  ｓｅａｒｃｈ  ｓｐａｃｅ）及び／又は特定のＤＬデータ（例えば、Ｍｓｇ．４）に対応するＨＡＲＱ−ＡＣＫ送信に用いられる基本ＰＵＣＣＨリソースを定義する。
【０２８０】
ここで、基本ＰＵＣＣＨリソースは、特定の放送信号及び／又は特定のシステム情報及び／又はＲＡＲ及び／又はＭｓｇ４によって設定されるか、又は特定の規則に従ってＤＬデータ送信リソース及び／又は当該ＤＬデータをスケジュールするＤＣＩ送信に用いられたＤＬ制御リソースをベースとして決定される。
【０２８１】
第７のＰＵＣＣＨリソース割り当て方法は、本発明の他の提案方案と対峙しない限り、互いに組み合わされて適用されてもよい。
【０２８２】
３．１．８．第８のＰＵＣＣＨリソース割り当て方法
【０２８３】
基地局は、特定のＤＬ割り当てによってスケジュールされたＰＤＳＣＨに関するＨＡＲＱ−ＡＣＫ情報を送信するＰＵＣＣＨに対して、単一又は複数の（端末特定の）ＰＵＣＣＨタイプを準−静的な上位層信号（例えば、ＲＲＣ  ｓｉｇｎａｌｉｎｇ）によって設定することができる。このとき、端末に（端末特定の）ＰＵＣＣＨタイプが設定される前（又は、ＲＲＣ  ｃｏｎｎｅｃｔｉｏｎの前）に送信されたＰＤＳＣＨ又はＵＥ（ｇｒｏｕｐ）共通の検索領域上に送信されたＤＣＩによってスケジュールされたＰＤＳＣＨ（及び／又はＭｓｇ４送信）の場合、基地局は端末が使用する単一の又は複数の基本ＰＵＣＣＨタイプ情報を以下のうち１つの方法によって通知する。
【０２８４】
（１）予め約束された方式（例えば、ＰＵＣＣＨタイプのうちカバレッジが最も広いタイプ）
【０２８５】
（２）放送情報（例えば、ＭＩＢ（ｍａｓｔｅｒ  ｉｎｆｏｒｍａｔｉｏｎ  ｂｌｏｃｋ））及び／又はシステム情報（例えば、ＳＩＢ（ｓｙｓｔｅｍ  ｉｎｆｏｒｍａｔｉｏｎ  ｂｌｏｃｋ））に（端末共通の）基本ＰＵＣＣＨタイプ情報が含まれて送信される。
【０２８６】
（３）ＲＡＣＨ過程において、ＲＡＲ（又は、Ｍｓｇ４）に（端末特定の）基本ＰＵＣＣＨタイプ情報が含まれて送信される。
【０２８７】
複数の基本ＰＵＣＣＨタイプが設定された場合、特定のＰＵＣＣＨ送信に対して複数の基本ＰＵＣＣＨタイプのうちいずれのＰＵＣＣＨタイプが用いられるかは、以下のうち１つ以上の方式によって決定される。
【０２８８】
１）ＰＵＣＣＨ送信に対応するＤＣＩ（例えば、ＤＬ  ａｓｓｉｇｎｍｅｎｔ）における特定のビットフィールドで（複数の基本ＰＵＣＣＨタイプのうち）特定のＰＵＣＣＨタイプを指示（ｅｘｐｌｉｃｉｔ  ｍａｎｎｅｒ）する。ここで、端末に準−静的な上位層信号で（端末特定の）ＰＵＣＣＨタイプが設定された後（又は、ＲＲＣ  ｃｏｎｎｅｃｔｉｏｎを結んだ後）、ビットフィールドはＰＵＣＣＨ送信時点（例えば、ＵＬタイミング）を指示するビットフィールドと解釈できる。
【０２８９】
２）以下のうち１つ以上の変数に基づいて、（複数の基本ＰＵＣＣＨタイプのうち）特定の基本ＰＵＣＣＨタイプが決定される（ｉｍｐｌｉｃｉｔ  ｍａｎｎｅｒ）
【０２９０】
Ａ）ＰＵＣＣＨ送信に対応するＤＣＩ（例えば、ＤＬ  ａｓｓｉｇｎｍｅｎｔ）の結合レベル（Ａｇｇｒｅｇａｔｉｏｎ  ｌｅｖｅｌ）
【０２９１】
Ｂ）ＰＵＣＣＨ送信対象となる（最大又は毎時点の）ＵＣＩペイロードのサイズ
【０２９２】
ここで、結合レベル（Ａｇｇｒｅｇａｔｉｏｎ  ｌｅｖｅｌ）はＤＣＩが何個の基本リソース単位で構成されるかに関する情報を意味してもよい。
【０２９３】
上述した基本ＰＵＣＣＨタイプ情報は、以下のうち１つ以上の情報を含む。
【０２９４】
１>  Ｓｈｏｒｔ  ＰＵＣＣＨであるか、又はＬｏｎｇ  ＰＵＣＣＨであるか。参考として、ＰＵＣＣＨはＮ個のＯＦＤＭ長未満のＳｈｏｒｔ  ＰＵＣＣＨと、Ｎ個のＯＦＤＭシンボル長以上のＬｏｎｇ  ＰＵＣＣＨとに区分できる。
【０２９５】
２>  ＰＵＣＣＨ送信長（例えば、ＯＦＤＭシンボル数）
【０２９６】
３>  ＰＵＣＣＨにおけるＲＳ（Ｒｅｆｅｒｅｎｃｅ  Ｓｉｇｎａｌ）とＵＣＩとの多重化（Ｍｕｌｔｉｐｌｅｘｉｎｇ）方式（例えば、ＴＤＭ（Ｔｉｍｅ  Ｄｉｖｉｓｉｏｎ  Ｍｕｌｔｉｐｌｅｘｉｎｇ）、ＦＤＭ（Ｆｒｅｑｕｅｎｃｙ  Ｄｉｖｉｓｉｏｎ  Ｍｕｌｔｉｐｌｅｘｉｎｇ）など）
【０２９７】
より具体的に、端末に基地局から（端末特定の）ＲＲＣシグナリングなどの上位層信号によって単一の又は複数のＰＵＣＣＨタイプが設定される場合、ＲＲＣシグナリングが受信可能な時点まで端末が使用する基本ＰＵＣＣＨタイプが定義される必要がある。
【０２９８】
そのための１つの方法として、端末が比較的にカバレッジの広い特定のＰＵＣＣＨタイプ（例えば、Ｌｏｎｇ  ＰＵＣＣＨ）を基本ＰＵＣＣＨタイプとして設定する。
【０２９９】
但し、上述のように、端末が保守的にカバレッジの観点において有利なＰＵＣＣＨタイプを常に基本ＰＵＣＣＨタイプとして活用する場合、ＲＲＣなどの上位層信号で（端末特定の）ＰＵＣＣＨタイプが設定される前の端末は、相対的にリソース活用面において効率性に乏しいＰＵＣＣＨタイプを用いることになる。よって、基地局が端末に複数の基本ＰＵＣＣＨタイプを設定すると、ＤＣＩなどの明示的なシグナリング（Ｅｘｐｌｉｃｉｔ  ｓｉｇｎａｌｉｎｇ）によって複数の基本ＰＵＣＣＨタイプのうち特定のＰＵＣＣＨタイプが指示されたり、ＰＵＣＣＨ送信に対応するＤＬ割り当ての結合レベル及び／又はＵＣＩペイロードサイズに応じて複数の基本ＰＵＣＣＨタイプのうち特定のＰＵＣＣＨタイプが決定されたりする。
【０３００】
これによって、端末にＲＲＣシグナリングで（端末特定の）ＰＵＣＣＨタイプが設定される前にも、端末は端末のチャンネル環境（例えば、ＳＩＮＲ（Ｓｉｇｎａｌ−ｔｏ−Ｉｎｔｅｒｆｅｒｅｎｃｅ  Ｎｏｉｓｅ  Ｒａｔｉｏ）など）に応じて、リソース活用観点から効率的な基本ＰＵＣＣＨタイプを選択して適用することができる。一例として、ＰＵＣＣＨ送信に対応するＤＬ割り当ての結合レベルが高い場合、基地局は端末が比較的に遠いカバレッジ領域にあると仮定して、基本ＰＵＣＣＨタイプをＬｏｎｇ  ＰＵＣＣＨタイプと設定する。
【０３０１】
第８のＰＵＣＣＨリソース割り当て方法は、本発明の他の提案方案と対峙しない限り、互いに組み合わされて適用されてもよい。
【０３０２】
３．１．９．第９のＰＵＣＣＨリソース割り当て方法
【０３０３】
基地局は、特定のＤＬ割り当てによってスケジュールされたＰＤＳＣＨに対するＨＡＲＱ−ＡＣＫ情報を送信するＰＵＣＣＨに対して、単一の又は複数の（端末特定の）ＰＵＣＣＨリソースを端末に準−静的な上位層信号（例えば、ＲＲＣ  ｓｉｇｎａｌｉｎｇ）で設定する。このとき、端末に（端末特定の）ＰＵＣＣＨタイプが設定される前（又は、ＲＲＣ  ｃｏｎｎｅｃｔｉｏｎの前）に送信されたＰＤＳＣＨ又はＵＥ（ｇｒｏｕｐ）共通の検索領域上に送信されたＤＣＩを介してスケジュールされたＰＤＳＣＨ（及び／又はＭｓｇ４送信）の場合、基地局は、以下のうち１つ以上の変数に基づいて、ｎ番目のスロットで受信されたＰＤＳＣＨに対するＨＡＲＱ−ＡＣＫ情報を送信する（ｎ＋ｋ）番目のスロットにおけるＰＵＣＣＨリソースを選択する。
【０３０４】
（１）ＰＤＳＣＨに対するＤＬ割り当てが送信された（Ｓｔａｒｔｉｎｇ）ＣＣＥインデックス
【０３０５】
（２）ＰＤＳＣＨに対するＤＬ割り当てが送信されたＤＬ制御領域インデックス
【０３０６】
（３）ＰＤＳＣＨに対してＤＬ割り当てが指示した（Ｓｔａｒｔｉｎｇ）ＰＲＢインデックス
【０３０７】
このとき、ｋ値は、基本ＨＡＲＱ−ＡＣＫタイミング情報によって決定され、基本ＨＡＲＱ−ＡＣＫタイミング情報は、以下のうち１つの方法によって設定される。
【０３０８】
１）予め約束された方式
【０３０９】
２）放送情報（例えば、ＭＩＢ（ｍａｓｔｅｒ  ｉｎｆｏｒｍａｔｉｏｎ  ｂｌｏｃｋ））及び／又はシステム情報（例えば、ＳＩＢ（ｓｙｓｔｅｍ  ｉｎｆｏｒｍａｔｉｏｎ  ｂｌｏｃｋ））に（端末共通の）基本ＨＡＲＱ−ＡＣＫタイミング情報が含まれて送信される。
【０３１０】
３）ＲＡＣＨ過程において、ＲＡＲ（又は、Ｍｓｇ４）に（端末特定の）基本ＨＡＲＱ−ＡＣＫタイミング情報が含まれて送信される。
【０３１１】
ｎ番目のスロットにおけるＤＬ制御／データリソース（例えば、ＣＣＥ／ＰＲＢ  ｉｎｄｅｘ）は（ｎ＋ｋ）番目のスロットにおけるＰＵＣＣＨリソース（例えば、ＰＵＣＣＨリソースインデックス）と暗示的にリンクされて、端末は、端末にスケジュールされたｎ番目のスロットにおけるＰＤＳＣＨ送信リソース又は対応するＰＤＣＣＨ送信リソースによって（ｎ＋ｋ）番目のスロットにおけるＰＵＣＣＨリソースを決定する。   
【０３１２】
より具体的な例として、端末に（端末特定の）ＲＲＣシグナリングによって複数のＰＵＣＣＨリソースが設定され、基地局は、ＤＬ割り当てにおける特定のビットフィールドによって複数のＰＵＣＣＨリソースのうち１つを指示すると仮定する。このとき、端末がＲＡＣＨ過程を終了した後、（端末特定の）ＲＲＣシグナリングで特定のＰＵＣＣＨリソースが設定されない場合、ＰＵＣＣＨリソース割り当ては、基地局が送信するＤＣＩによって直接に指示されず、ＤＬ割り当てが送信されたＣＣＥインデックスなどによって間接的に指示される。
【０３１３】
このとき、特定のｎ番目のスロットにおいて受信されたＰＤＳＣＨに対するＨＡＲＱ−ＡＣＫを送信するＰＵＣＣＨリソースが暗示的な方法で決定される時点に関する基本情報も別途指示される必要がある。一例として、端末はＳＩＢなどのシステム情報から基本ＨＡＲＱ−ＡＣＫタイミング情報を取得して、基本ＨＡＲＱ−ＡＣＫタイミングに基づいてｎ番目のスロットで受信されたＰＤＳＣＨに対するＨＡＲＱ−ＡＣＫを何番目（例えば、（ｎ＋ｋ）番目）のスロットで送信するかを決定する。
【０３１４】
第９のＰＵＣＣＨリソース割り当て方法は、本発明の他の提案方案と対峙しない限り、互いに組み合わされて適用されてもよい。
【０３１５】
３．１．１０．第１０のＰＵＣＣＨリソース割り当て方法
【０３１６】
端末に基地局から（端末特定の）上位層信号（例えば、ＲＲＣ  ｓｉｇｎａｌｉｎｇ）によってＰＵＣＣＨリソースが設定されない場合、基地局は、端末のための（Ｄｅｆａｕｌｔ）ＰＵＣＣＨリソース情報を以下のうち１つの方法で設定する。
【０３１７】
（１）（セル共通又は端末グループ共通）基本ＰＵＣＣＨリソースプールをＳＩＢ又はＲＡＲ又はＭｓｇ４によって設定する。
【０３１８】
（２）（端末特定の）基本ＰＵＣＣＨリソースセットをＲＡＲ又はＭｓｇ４によって設定する。
【０３１９】
（３）（端末特定の）（単一）ＰＵＣＣＨリソースをＲＡＲ又はＭｓｇ４によって設定する。
【０３２０】
上述のような方法によって、基本ＰＵＣＣＨリソースプール（又は、基本ＰＵＣＣＨリソースセット）が設定された場合、基地局は、以下のうち１つの方法によって特定のＰＤＳＣＨに対するＵＣＩを送信する基本ＰＵＣＣＨリソースを割り当てることができる。
【０３２１】
１）特定のＰＤＳＣＨをスケジュールしたＤＣＩリソース（例えば、Ｓｔａｒｔｉｎｇ又はＥｎｄｉｎｇ  ＣＣＥ  ｉｎｄｅｘ）及び／又は特定のＰＤＳＣＨに対する送信ＰＲＢリソース（例えば、Ｓｔａｒｔｉｎｇ又はＥｎｄｉｎｇ  ＰＲＢ  ｉｎｄｅｘ）及び／又はＵＣＩ送信時点をベースとして定義される暗示的なＰＵＣＣＨリソースマッピング規則（Ｉｍｐｌｉｃｉｔ  ＰＵＣＣＨ  ｒｅｓｏｕｒｃｅ  ｍａｐｐｉｎｇ  ｒｕｌｅ）によって特定のＰＵＣＣＨリソースを割り当てる。ここで、この動作は、（セル共通又は端末グループ共通）基本ＰＵＣＣＨリソースプールが設定された場合に適用される。
【０３２２】
２）設定された複数の基本ＰＵＣＣＨリソースのうち、特定のＰＤＳＣＨをスケジュールしたＤＣＩ内の特定のビットフィールドによって特定のＰＵＣＣＨリソースを割り当てる。ここで、この動作は、（端末特定の）基本ＰＵＣＣＨリソースセットが設定された場合に適用される。
【０３２３】
上述では、基本ＰＵＣＣＨリソースの適用対象となる特定のＰＤＳＣＨは、（セル共通又は端末（グループ）共通）検索領域上に送信されたＤＣＩによってスケジュールされたＰＤＳＣＨ（及び／又はＭｓｇ４送信）であってもよい。
【０３２４】
また、端末は以下のように（時間軸及び周波数軸）送信リソース領域が定義される基本ＵＬ制御領域においてＰＵＣＣＨリソースが（予め約束された方式又はシステム情報（例えば、ＳＩＢ又はＰＢＣＨ）で指示された方式に従って）インデックス（Ｉｎｄｅｘｉｎｇ）されたと仮定して、基地局は、基本ＰＵＣＣＨリソースプール（又は、基本ＰＵＣＣＨリソースセット）として基本ＵＬ制御領域における（全体又は一部）インデックスに対応するＰＵＣＣＨリソースを用いて端末に設定する。
【０３２５】
１>  ＰＢＣＨにおいて指示されたＵＬ送信リソース領域（又は、ＰＢＣＨ送信リソースから類推されるＵＬ送信リソース領域）
【０３２６】
２>  同期信号（ＳＳ，ｓｙｎｃｈｒｏｎｉｚａｔｉｏｎ  ｓｉｇｎａｌ）送信リソースから類推されるＵＬ送信リソース領域
【０３２７】
３>  共通検索領域から類推されるＵＬ送信リソース領域
【０３２８】
ここで、（基本ＵＬ制御領域内又は基本ＰＵＣＣＨリソース対象）ＰＵＣＣＨリソースに対するインデックシングは、ＰＳＳ（Ｐｒｉｍａｒｙ  Ｓｙｎｃｈｒｏｎｉｚａｔｉｏｎ  Ｓｉｇｎａｌ）／ＳＳＳ（Ｓｅｃｏｎｄａｒｙ  Ｓｙｎｃｈｒｏｎｉｚａｔｉｏｎ  Ｓｉｇｎａｌ）／ＰＢＣＨ（Ｐｈｙｓｉｃａｌ  Ｂｒｏａｄｃａｓｔ  Ｃｈａｎｎｅｌ）送信ＢＷ（ｂａｎｄｗｉｄｔｈ）或いは最小のＵＥが活用可能なＢＷ（Ｍｉｎｉｍｕｍ  ＵＥ  ｃａｐａｂｌｅ  ＢＷ）をベースとして決定される。
【０３２９】
より具体的な例として、基地局がＰＢＣＨを送信する（時間及び周波数）リソースから類推可能な基本ＵＬ制御領域が定義され、端末は基本ＵＬ制御領域における（予め約束された方式による）最大Ｎ個のＰＵＣＣＨリソースに対するインデックシングを仮定する。一例として、ＴＤＤシステムである場合、端末はＰＢＣＨが送信される帯域と同一帯域内で基本ＵＬ制御領域が定義されると仮定する。この後、基地局は、ＳＩＢ（又は、ＲＡＲ／Ｍｓｇ４）によって端末に基本ＵＬ制御領域における（全体又は一部）ＰＵＣＣＨリソースに対するインデックス集合の形態で端末に基本ＰＵＣＣＨリソースプール（又は、基本ＰＵＣＣＨリソースセット）を設定する。
【０３３０】
仮に、端末にセル共通（又は、端末共通の）基本ＰＵＣＣＨリソースプールが設定された場合、端末の特定のＰＤＳＣＨに対するＵＣＩ送信のために、セル共通（又は、端末共通）として定義される暗示的なＰＵＣＣＨリソースマッピング規則（Ｉｍｐｌｉｃｉｔ  ＰＵＣＣＨ  ｒｅｓｏｕｒｃｅ  ｍａｐｐｉｎｇ  ｒｕｌｅ）に従って、設定された基本ＰＵＣＣＨリソースプールにおける特定のＰＵＣＣＨリソースが割り当てられる。このとき、暗示的なＰＵＣＣＨリソースマッピング規則は、ＵＣＩ送信対象となる特定のＰＤＳＣＨをスケジュールするＤＣＩのリソース情報及び／又はＰＤＳＣＨがスケジュールされたリソース情報及び／又はＵＬタイミングを入力値として活用して決定される。
【０３３１】
また、端末に（端末特定の）基本ＰＵＣＣＨリソースセットが設定された場合、特定のＰＤＳＣＨに対するＵＣＩ送信のために、基地局は当該ＰＤＳＣＨに対するスケジューリングＤＣＩ内の特定のビットフィールドによって動的に基本ＰＵＣＣＨリソースセットにおける特定の基本ＰＵＣＣＨリソースを割り当てる。このとき、特定のＰＤＳＣＨは、（セル共通又は端末（グループ）共通）検索領域上に送信されたＤＣＩによってスケジュールされたＰＤＳＣＨ（及び／又はＭｓｇ４送信）である。
【０３３２】
更なる例として、端末に、基地局から（端末特定の）上位層信号（例えば、ＲＲＣ  ｓｉｇｎａｌｉｎｇ）によってＰＵＣＣＨリソースが設定されない場合、基地局は、端末のための（基本）ＰＵＣＣＨリソースプール（又は、基本ＰＵＣＣＨリソースセット）情報を以下のうち１つの方法によって伝達する。
【０３３３】
（Ａ）特定のＰＤＳＣＨで複数の端末に対応する複数のＲＡＲが送信される場合、複数のＲＡＲ（これを受信した複数の端末）に共通して適用される基本ＰＵＣＣＨリソースプール情報が特定のＰＤＳＣＨに（例えば、ＭＡＣ  ＣＥ（ｃｏｎｔｒｏｌ  ｅｌｅｍｅｎｔ）形態で）含まれて送信される。
【０３３４】
（Ｂ）特定のＰＤＳＣＨで複数の端末に対応する複数のＲＡＲが送信される場合、複数のＲＡＲの各々に対して個別的な（端末共通の又は端末特定の）ＰＵＣＣＨリソースセット（又は、単一ＰＵＣＣＨリソース）情報が特定のＰＤＳＣＨに含まれて送信される。
【０３３５】
本発明では、説明の便宜のために、上述のような特定の情報ＡがＲＡＲ内の情報（又は、ＲＡＲが送信されたＰＤＳＣＨ内の別の情報）形態で端末に伝達される場合を、特定の情報ＡがＲＡＲ受信過程において伝達されたと表現する。換言すれば、本発明において、特定の情報ＡがＲＡＲ受信過程において伝達されたとは、特定の情報ＡがＲＡＲに含まれる情報の形態で端末に伝達されたことを意味する。
【０３３６】
このとき、上述のように、基本ＰＵＣＣＨリソースプール（又は、基本ＰＵＣＣＨリソースセット）情報がＲＡＲ受信過程において伝達された場合、基地局は以下のうち１つの方法によって特定のＰＤＳＣＨに対するＵＣＩを送信する基本ＰＵＣＣＨリソースを割り当てる。
【０３３７】
Ａ）特定のＰＤＳＣＨをスケジュールしたＤＣＩリソース（例えば、Ｓｔａｒｔｉｎｇ又はＥｎｄｉｎｇ  ＣＣＥ  ｉｎｄｅｘ）及び／又は特定のＰＤＳＣＨに対する送信ＰＲＢリソース（例えば、Ｓｔａｒｔｉｎｇ又はＥｎｄｉｎｇ  ＰＲＢ  ｉｎｄｅｘ）及び／又はＵＣＩ送信時点をベースとして定義される暗示的なＰＵＣＣＨリソースマッピング規則（Ｉｍｐｌｉｃｉｔ  ＰＵＣＣＨ  ｒｅｓｏｕｒｃｅ  ｍａｐｐｉｎｇ  ｒｕｌｅ）に従って、特定のＰＵＣＣＨリソースを割り当てる。ここで、この動作は、（セル共通又は端末グループ共通）基本ＰＵＣＣＨリソースプールが設定された場合に適用される。
【０３３８】
Ｂ）特定のＰＤＳＣＨをスケジュールしたＤＣＩ内の特定のビットフィールドを用いて、設定された複数の基本ＰＵＣＣＨリソースのうち特定のＰＵＣＣＨリソースを割り当てる。ここで、この動作は、（端末特定の）基本ＰＵＣＣＨリソースセットが設定された場合に適用される。
【０３３９】
上述した構成において、基本ＰＵＣＣＨリソースの適用対象となる特定のＰＤＳＣＨは、（セル共通又は端末（グループ）共通）検索領域上に送信されたＤＣＩによってスケジュールされたＰＤＳＣＨ（及び／又はＭｓｇ４送信）である。
【０３４０】
また、基本ＰＵＣＣＨリソースプール（又は、ＰＵＣＣＨリソースセット或いは単一ＰＵＣＣＨリソース）がＲＡＲ受信過程において（ＲＡＲ内の情報又はＲＡＲが送信されたＰＤＳＣＨ内の別の情報）の形態で端末に伝達される場合、端末は、以下の場合、基本ＰＵＣＣＨリソースプール（又は、ＰＵＣＣＨリソースセット或いは単一ＰＵＣＣＨリソース）を最近のＲＡＣＨ過程において受信されたＲＡＲによって伝達された情報として更新して適用するように動作する。
【０３４１】
−競合（Ｃｏｎｔｅｎｔｉｏｎ）ベースのＲＡＣＨ過程におけるＲＡＲ受信過程において基本ＰＵＣＣＨリソースプール（又は、ＰＵＣＣＨリソースセット又は単一ＰＵＣＣＨリソース）情報が伝達され、その後、Ｍｓｇ４受信による競合解消（Ｃｏｎｔｅｎｔｉｏｎ  ｒｅｓｏｌｕｔｉｏｎ）に成功した場合。ここで、端末が競合解消（Ｃｏｎｔｅｎｔｉｏｎ  ｒｅｓｏｌｕｔｉｏｎ）に失敗した場合、端末は、ＲＡＣＨ過程におけるＲＡＲ受信過程において伝達された基本ＰＵＣＣＨリソースプール（又は、ＰＵＣＣＨリソースセット又は単一ＰＵＣＣＨリソース）情報を無視することができる。
【０３４２】
上述した構成において、端末は、特定の競合ベースＲＡＣＨ過程におけるＭｓｇ４受信に対するＨＡＲＱ−ＡＣＫ送信に対しては、競合解消を成功したか否かに関係なく、当該ＲＡＣＨ過程におけるＲＡＲによって伝達された基本ＰＵＣＣＨリソースプール（又は、ＰＵＣＣＨリソースセット或いは単一ＰＵＣＣＨセット）を適用するように動作する。
【０３４３】
また、競合フリー（Ｃｏｎｔｅｎｔｉｏｎ  ｆｒｅｅ）ＲＡＣＨ過程において、端末に、基本ＰＵＣＣＨリソースプール（又は、ＰＵＣＣＨリソースセット或いは単一ＰＵＣＣＨリソース）情報が伝達されないと仮定したり、関連情報を無視したりすることができる。また、競合フリー（Ｃｏｎｔｅｎｔｉｏｎ  ｆｒｅｅ）ＲＡＣＨ過程に伴われるＲＡＲ（又は、ＲＡＲを運ぶＰＤＳＣＨ）のコンテンツには、基本ＰＵＣＣＨリソースプール（又は、ＰＵＣＣＨリソースセット或いは単一ＰＵＣＣＨリソース）情報が含まれないように構成されてもよい。
【０３４４】
また、端末が基地局から（端末特定の）上位層信号（例えば、ＲＲＣ  ｓｉｇｎａｌｉｎｇ）によってＤＬ  ＨＡＲＱ  ｔｉｍｉｎｇ（即ち、ＤＬデータ受信時点に対応するＡＣＫ／ＮＡＣＫ送信時点間の時間間隔）及び／又はＵＬ  ＨＡＲＱ  ｔｉｍｉｎｇ（即ち、ＤＬ制御（ＵＬグラント）受信時点に対応するＵＬデータ送信時点間の時間間隔）が設定されない場合、基地局は端末のための（Ｄｅｆａｕｌｔ）ＤＬ／ＵＬ  ＨＡＲＱ  ｔｉｍｉｎｇ情報を以下のうち１つの方法によって伝達する。
【０３４５】
Ａ>  特定のＰＤＳＣＨで複数の端末に対応する複数のＲＡＲが送信されるとき、複数のＲＡＲ（これを受信した複数の端末）に対して共通して適用される（基本）ＤＬ／ＵＬ  ＨＡＲＱ  ｔｉｍｉｎｇ情報は、特定のＰＤＳＣＨに（例えば、ＭＡＣ  ＣＥ（ｃｏｎｔｒｏｌ  ｅｌｅｍｅｎｔ）タイプで）含まれて送信される。
【０３４６】
Ｂ>  特定のＰＤＳＣＨで複数の端末に対応する複数のＲＡＲが送信されるとき、複数のＲＡＲのそれぞれに対して個別的な（基本）ＤＬ／ＵＬ  ＨＡＲＱ  ｔｉｍｉｎｇ情報は複数のＲＡＲのそれぞれに含まれて送信される。
【０３４７】
また、ＤＬ  ＨＡＲＱ  ｔｉｍｉｎｇ（即ち、ＤＬデータ受信時点に対応するＡＣＫ／ＮＡＣＫ送信時点間の時間間隔）に対する基本（Ｄｅｆａｕｌｔ）値及び／又はＵＬ  ＨＡＲＱ  ｔｉｍｉｎｇ（即ち、ＤＬ制御（ＵＬグラント）受信時点に対応するＵＬデータ送信時点間の時間間隔）に対する基本（Ｄｅｆａｕｌｔ）値が、ＲＡＲ受信過程において（ＲＡＲ内の情報又はＲＡＲが送信されたＰＤＳＣＨ内の別の情報）の形態で端末に伝達される場合、端末は、以下の場合、基本ＵＬ／ＤＬ  ＨＡＲＱ  ｔｉｍｉｎｇ値を最近のＲＡＣＨ過程において受信されたＲＡＲによって伝達された情報として更新して適用するように動作する。
【０３４８】
−競合ベースのＲＡＣＨ過程においてＲＡＲ受信過程で基本ＵＬ／ＤＬ  ＨＡＲＱ  ｔｉｍｉｎｇ情報が伝達され、その後、Ｍｓｇ４受信による競合解消（Ｃｏｎｔｅｎｔｉｏｎ  ｒｅｓｏｌｕｔｉｏｎ）に成功した場合。ここで、端末が競合解消に失敗した場合、端末はＲＡＣＨ過程におけるＲＡＲ受信過程で伝達された基本ＵＬ／ＤＬ  ＨＡＲＱ  ｔｉｍｉｎｇ情報を無視することができる。
【０３４９】
このとき、端末は、特定の競合ベースＲＡＣＨ過程におけるＭｓｇ３送信タイミング及び／又はＭｓｇ４に対するＨＡＲＱ−ＡＣＫ送信タイミングに対しては、競合解消を成功したか否かに関係なく、当該ＲＡＣＨ過程におけるＲＡＲによって伝達された基本ＵＬ／ＤＬ  ＨＡＲＱ  ｔｉｍｉｎｇを適用するように動作する。
【０３５０】
また、競合フリー（Ｃｏｎｔｅｎｔｉｏｎ  ｆｒｅｅ）ＲＡＣＨ過程において、端末は、基本ＵＬ／ＤＬ  ＨＡＲＱ  ｔｉｍｉｎｇ情報が伝達されないと仮定したり、関連情報を無視したりすることができる。また、競合フリーＲＡＣＨ過程に伴われるＲＡＲ（又は、ＲＡＲを運ぶＰＤＳＣＨ）のコンテンツには、基本ＵＬ／ＤＬ  ＨＡＲＱ  ｔｉｍｉｎｇ情報が含まれないように構成される。
【０３５１】
さらに、端末に、基地局から（端末特定の）上位層信号（例えば、ＲＲＣ  ｓｉｇｎａｌｉｎｇ）でＰＵＣＣＨリソースが設定されない場合、基地局は端末のための（基本）ＰＵＣＣＨリソースを以下のうち１つの方法によって割り当てる。
【０３５２】
［１］明示的な指示（Ｅｘｐｌｉｃｉｔ  ｉｎｄｉｃａｔｉｏｎ）
【０３５３】
［Ａ］放送情報（例えば、ＭＩＢ）及び／又はシステム情報（例えば、ＳＩＢ）によって（ＰＵＣＣＨリソースに対する）スーパセット（Ｓｕｐｅｒｓｅｔ）を設定するか、端末が任意接続（Ｒａｎｄｏｍ  ａｃｃｅｓｓ）過程で選択したＲＡＣＨプリアンブルに対応する（ＰＵＣＣＨリソースに対する）スーパセットを仮定
【０３５４】
［Ｂ］ＲＡＲを用いて（ＰＵＣＣＨリソースに対する）スーパセット内のサブセット（Ｓｕｂｓｅｔ）を設定
【０３５５】
［Ｃ］（ＤＬ  ｓｃｈｅｄｕｌｉｎｇ）ＤＣＩにおける特定のビットフィールドを用いて（ＰＵＣＣＨリソースに対する）サブセット内の特定のＰＵＣＣＨリソースを指示
【０３５６】
［２］暗示的な指示（Ｉｍｐｌｉｃｉｔ  ｉｎｄｉｃａｔｉｏｎ）
【０３５７】
［Ａ］放送情報（例えば、ＭＩＢ）及び／又はシステム情報（例えば、ＳＩＢ）によって（ＰＵＣＣＨリソースに対する）スーパセットを設定するか、端末が任意接続過程で選択したＲＡＣＨプリアンブルに対応する（ＰＵＣＣＨリソースに対する）スーパセットを仮定
【０３５８】
［Ｂ］ＲＡＲを用いて（ＰＵＣＣＨリソースに対する）スーパセット内のサブセットを設定。ここで、ＲＡＲが（ＰＵＣＣＨリソースに対する）スーパセット内のサブセットを指示するとき、ＲＡＲはサブセットに対するインデックス形態で特定のサブセットを指示する。換言すれば、（ＰＵＣＣＨリソースに対するスーパセット）内のサブセットは、サブセットインデックスで区分できる。
【０３５９】
［Ｃ］（ＤＬ  ｓｃｈｅｄｕｌｉｎｇ）ＤＣＩに対する送信リソース（例えば、Ｓｔａｒｔｉｎｇ又はＥｎｄｉｎｇ  ＣＣＥ  ｉｎｄｅｘ）及び／又はＰＤＳＣＨに対する送信リソース（例えば、Ｓｔａｒｔｉｎｇ又はＥｎｄｉｎｇ  ＰＲＢ  ｉｎｄｅｘ）及び／又はＰＵＣＣＨ送信時点のＵＣＩ送信時点をベースとして定義される暗示的なＰＵＣＣＨリソースマッピング規則（Ｉｍｐｌｉｃｉｔ  ＰＵＣＣＨ  ｒｅｓｏｕｒｃｅ  ｍａｐｐｉｎｇ  ｒｕｌｅ）に従って、（ＰＵＣＣＨリソースに対する）サブセット内の特定のＰＵＣＣＨリソースを割り当てる。
【０３６０】
上述した構成において、基本ＰＵＣＣＨリソースの適用対象となる特定のＰＤＳＣＨは、（セル共通又は端末（グループ）共通）検索領域上に送信されたＤＣＩによってスケジュールされたＰＤＳＣＨ（及び／又はＭｓｇ４送信）である。
【０３６１】
第１０のＰＵＣＣＨリソース割り当て方法は、本発明の他の提案方案と対峙しない限り、互いに組み合わされて適用されてもよい。
【０３６２】
３．１．１１．第１１のＰＵＣＣＨリソース割り当て方法
【０３６３】
一方、本発明が適用可能なＮＲシステムでは、比較的に多いＯＦＤＭシンボル（例えば、４シンボル以上）で構成されて広いＵＬカバレッジを支援するＰＵＣＣＨ（以下、Ｌｏｎｇ  ＰＵＣＣＨ）と比較的に少ないＯＦＤＭシンボル（例えば、１つ又は２つのシンボル）で構成されて低い遅延（Ｌｏｗ  ｌａｔｅｎｃｙ）送信を支援するＰＵＣＣＨ（以下、Ｓｈｏｒｔ  ＰＵＣＣＨ）を支援する。
【０３６４】
このとき、Ｓｈｏｒｔ  ＰＵＣＣＨは、１つ以上の送信構造を有する。一例として、Ｓｈｏｒｔ  ＰＵＣＣＨで送信されるＵＣＩ（ｕｐｌｉｎｋ  ｃｏｎｔｒｏｌ  ｉｎｆｏｒｍａｔｉｏｎ）の情報量が少ない場合（例えば、１又は２ビット）、基地局は端末に複数のシーケンス（ｓｅｑｕｅｎｃｅ）で構成されたシーケンス集合をＳｈｏｒｔ  ＰＵＣＣＨリソースで割り当て、端末はＳｈｏｒｔ  ＰＵＣＣＨリソースで割り当てられたシーケンスのうち送信するＵＣＩ情報に対応される特定のシーケンスを選択して送信する。このとき、このシーケンスはＬｏｗ  ＰＡＰＲ（ｐｅａｋ  ｐｏｗｅｒ  ｔｏ  ａｖｅｒａｇｅ  ｐｏｗｅｒ  ｒａｔｉｏ）特性を満たすように設計される、以下、説明の便宜のために、シーケンスベースのＳｈｏｒｔ  ＰＵＣＣＨ構造をＳＥＱ−ＰＵＣＣＨという。
【０３６５】
一方、Ｓｈｏｒｔ  ＰＵＣＣＨで送信されるＵＣＩの情報量が多い場合（例えば、３ビット以上）、基地局は端末にＵＣＩ送信のためのＲＥとＲＳ（ｒｅｆｅｒｅｎｃｅ  ｓｉｇｎａｌ）送信のためのＲＥ（ｒｅｓｏｕｒｃｅ  ｅｌｅｍｅｎｔ）とで構成されたＳｈｏｒｔ  ＰＵＣＣＨリソースで割り当てる。このとき、ＲＳ送信ＲＥとＵＣＩ送信ＲＥは、シンボルごとにＦＤＭ方式によって区分でき、端末はＵＣＩに対するコーディングビット（Ｃｏｄｅｄ  ｂｉｔｓ）を生成した後、コーディングビット（Ｃｏｄｅｄ  ｂｉｔｓ）に対する変調シンボル（ｍｏｄｕｌａｔｅｄ  ｓｙｍｂｏｌ）をＵＣＩ送信のためのＲＥで送信する。以下、説明の便宜のために、ＲＳとＵＣＩとの間に（シンボル別）ＦＤＭ方式が適用されたＳｈｏｒｔ  ＰＵＣＣＨ構造をＦＤＭ−ＰＵＣＣＨという。
【０３６６】
上述した構成に基づいて、基地局は上位層信号によってＰＵＣＣＨリソース集合を設定して、（ＤＬ割り当て）ＤＣＩによってＰＵＣＣＨリソース集合における特定のＰＵＣＣＨリソースを指示する。このとき、基地局が設定したＰＵＣＣＨリソース集合におけるＳｈｏｒｔ  ＰＵＣＣＨに対するＰＵＣＣＨリソースは、以下のうち１つ以上の情報を含むように設定される。
【０３６７】
（１）シンボル別の基本情報
【０３６８】
（Ａ）ＰＵＣＣＨフォーマット情報。より具体的に、当該ＰＵＣＣＨ構造がＳＥＱ−ＰＵＣＣＨであるか、又はＦＤＭ−ＰＵＣＣＨであるかを指示する情報を含む。
【０３６９】
（Ｂ）ＰＵＣＣＨパラメータ情報
【０３７０】
１）一例として、ＳＥＱ−ＰＵＣＣＨである場合、ＰＵＣＣＨパラメータ情報は、以下の情報を含む。
【０３７１】
Ａ）シーケンス情報。一例として、シーケンスがＺＣ（Ｚａｄｏｆｆ  Ｃｈｕ）又はＣＡＺＡＣ（Ｃｏｎｓｔａｎｔ  Ａｍｐｌｉｔｕｄｅ  Ｚｅｒｏ  ＡｕｔｏＣｏｒｒｅｌａｔｉｏｎ）シーケンスである場合、シーケンス情報は、ルートインデックス（Ｒｏｏｔ  ｉｎｄｅｘ）ＣＳ（ｃｙｃｌｉｃ  ｓｈｉｆｔ）などを含む。別の例として、シーケンスが擬似任意（Ｐｓｅｕｄｏ−ｒａｎｄｏｍ）又はゴールド（Ｇｏｌｄ）シーケンスである場合、シーケンス情報は、ＯＣＣ（ｏｒｔｈｏｇｏｎａｌ  ｃｏｖｅｒ  ｃｏｄｅ）、スクランブリングシード（Ｓｃｒａｍｂｌｉｎｇ  ｓｅｅｄ）などを含む。
【０３７２】
Ｂ）周波数リソース長さ及びコンム（Ｃｏｍｂ）リソース（例えば、コンムを構成するリソース間のギャップ）情報
【０３７３】
２）別の例として、ＦＤＭ−ＰＵＣＣＨである場合、ＰＵＣＣＨパラメータ情報は、以下の情報を含む。
【０３７４】
Ａ）ＤＭ−ＲＳ（Ｄｅｍｏｄｕｌａｔｉｏｎ  Ｒｅｆｅｒｅｎｃｅ  Ｓｉｇｎａｌ）情報。具体的に、ＤＭ−ＲＳ情報はＲＳ密度（ｄｅｎｓｉｔｙ）、送信電力（例えば、Ｐｏｗｅｒ  ｂｏｏｓｔｉｎｇ）、シーケンス情報などを含む。シーケンスがＺＣ（Ｚａｄｏｆｆ  Ｃｈｕ）又はＣＡＺＡＣ（Ｃｏｎｓｔａｎｔ  Ａｍｐｌｉｔｕｄｅ  Ｚｅｒｏ  ＡｕｔｏＣｏｒｒｅｌａｔｉｏｎ）シーケンスである場合、シーケンス情報は、ルートインデックス（Ｒｏｏｔ  ｉｎｄｅｘ）ＣＳ（ｃｙｃｌｉｃ  ｓｈｉｆｔ）などを含む。別の例として、シーケンスが擬似任意（Ｐｓｅｕｄｏ−ｒａｎｄｏｍ）又はゴールド（Ｇｏｌｄ）シーケンスである場合、シーケンス情報は、ＯＣＣ（ｏｒｔｈｏｇｏｎａｌ  ｃｏｖｅｒ  ｃｏｄｅ）、スクランブリングシード（Ｓｃｒａｍｂｌｉｎｇ  ｓｅｅｄ）などを含む。
【０３７５】
Ｂ）周波数リソース長さ及びコンム（Ｃｏｍｂ）リソース（例えば、コンムを構成するリソース間のギャップ）情報
【０３７６】
（２）シンボル別の追加情報
【０３７７】
（Ａ）オフセット情報。具体的に、オフセット情報は、周波数オフセット（Ｆｒｅｑｕｅｎｃｙ  ｏｆｆｓｅｔ）、シーケンス又はＤＭ−ＲＳに対するＣＳオフセット情報を含む。
【０３７８】
（Ｂ）送信ダイバーシティ（Ｔｒａｎｓｍｉｓｓｉｏｎ  ｄｉｖｅｒｓｉｔｙ）情報。具体的に、この情報は、ＳＯＲＴＤ（Ｓｐａｃｅ  Ｏｒｔｈｏｇｏｎａｌ  Ｒｅｓｏｕｒｃｅ  Ｔｒａｎｓｍｉｔ  Ｄｉｖｅｒｓｉｔｙ）／ＳＦＢＣ（Ｓｐａｃｅ  Ｆｒｅｑｕｅｎｃｙ  Ｂｌｏｃｋ  Ｃｏｄｅｓ）／ＳＴＢＣ（Ｓｐａｃｅ  Ｔｉｍｅ  Ｂｌｏｃｋ  Ｃｏｄｅｓ）などの送信ダイバーシティ法を適用するか否かを指示する。
【０３７９】
上述した構成において、ＰＵＣＣＨが複数のシンボルで構成された場合、各々のシンボルの情報はＰＵＣＣＨリソースに含まれて端末に送信される。
【０３８０】
より具体的に、基地局は、２つのシンボルに対してそれぞれ独立した１−ｓｙｍｂｏｌ  ＰＵＣＣＨを設定して、２−ｓｙｍｂｏｌ  ＰＵＣＣＨを構成する。このとき、各々のシンボルのＰＵＣＣＨリソース情報は当該ＰＵＣＣＨがＳＥＱ−ＰＵＣＣＨであるか、ＦＤＭ−ＰＵＣＣＨであるかによって、それぞれ特定された情報を有するように設定することができる。一例として、当該ＰＵＣＣＨがＳＥＱ−ＰＵＣＣＨである場合には、シーケンスの長さ、Ｒｏｏｔ  ｉｎｄｅｘ、ＣＳリソースなどの情報と、シーケンスが実際に送信されるシンボル及び周波数リソースの位置情報が端末に提供される。別の例として、当該ＰＵＣＣＨがＦＤＭ−ＰＵＣＣＨである場合には、ＤＭ−ＲＳに対するＲＳ  ｄｅｎｓｉｔｙ、ＤＭ−ＲＳに対するシーケンス情報、またシンボル及び周波数リソースの位置情報が端末に提供される。
【０３８１】
第１１のＰＵＣＣＨリソース割り当て方法は、本発明の他の提案方案と対峙しない限り、互いに組み合わされて適用されてもよい。
【０３８２】
３．１．１２．第１２のＰＵＣＣＨリソース割り当て方法
【０３８３】
端末に複数のＢＷＰ（Ｂａｎｄｗｉｄｔｈ  Ｐａｒｔ）が設定される場合、基地局は、上位層信号によってＢＷＰごとにＰＵＣＣＨリソース集合を設定する。この後、基地局が（ＤＬ割り当て）ＤＣＩでＰＵＣＣＨリソース集合における特定のＰＵＣＣＨリソースを指示する場合、端末はＤＣＩの指示対象となるＰＵＣＣＨリソース集合が現在活性化されたＢＷＰに設定されたＰＵＣＣＨリソース集合として仮定されて、この仮定の下、ＤＣＩが指示するＰＵＣＣＨリソースを解釈する。
【０３８４】
ここで、ＢＷＰは、端末に設定された（システム帯域内）特定の周波数帯域及び／又はＯＦＤＭニューマロロジーを意味して、端末には複数のＢＷＰが設定されるが、基地局が活性化させた１つのＢＷＰによって実際の信号送受信を行うと仮定する。
【０３８５】
より具体的な例として、端末に複数のＢＷＰが設定され、端末が実際に信号を送／受信可能なＢＷＰは１時点に１つに制限されると仮定する。このとき、基地局がＰＵＣＣＨリソース集合をＢＷＰに関係なく共有する場合、ＰＵＣＣＨリソース集合は、現在使用しないＰＵＣＣＨリソースを含むことになり、実際に活性化されたＢＷＰ内の動的なＰＵＣＣＨリソース割り当ての自由度が制限される。
【０３８６】
よって、本発明では、好ましくは、ＢＷＰごとにＰＵＣＣＨリソース集合を設定して、端末が実際に活用するＰＵＣＣＨリソース集合は、基地局が端末に活性化させるＢＷＰに対して設定されたＰＵＣＣＨリソース集合と仮定する方案を提案する。すなわち、端末は、基地局がＤＣＩを介してＰＵＣＣＨリソース集合における特定のＰＵＣＣＨリソースを指示する場合、端末は、基地局が意図したＰＵＣＣＨリソース集合を現在端末に対して活性化されたＢＷＰに対して設定されたＰＵＣＣＨリソース集合であるとみなす。
【０３８７】
さらに、端末に全Ｎ個のＢＷＰが設定された場合、ＢＷＰ間において優先順位が付与される。このとき、Ｋ個のＢＷＰが活性化（ａｃｔｉｖｅ）される場合、活性化されたＢＷＰのうち、最も優先順位の高いＢＷＰがＰＵＣＣＨ送信を担当するｐｒｉｍａｒｙ  ＢＷＰとして自動指定される。または、基地局はＢＷＰを活性化させる信号によって、Ｋ個のＢＷＰのうちいずれがＰＵＣＣＨ送信を担当するｐｒｉｍａｒｙ  ＢＷＰであるかを指示してもよい。
【０３８８】
このとき、基地局は、上位層信号によってＢＷＰごとにＰＵＣＣＨリソース集合を設定して、端末はｐｒｉｍａｒｙ  ＢＷＰに設定されたＰＵＣＣＨリソース集合が用いられると仮定する。特に、基地局が（ＤＬ割り当て）ＤＣＩでＰＵＣＣＨリソース集合における特定のＰＵＣＣＨリソースを指示する場合、端末はＤＣＩの指示対象となるＰＵＣＣＨリソース集合をｐｒｉｍａｒｙ  ＢＷＰに設定されたＰＵＣＣＨリソース集合と仮定して、この仮定に基づいてＤＣＩが指示するＰＵＣＣＨリソース指示を解釈する。
【０３８９】
第１２のＰＵＣＣＨリソース割り当て方法は、本発明の他の提案方案と対峙しない限り、互いに組み合わされて適用されてもよい。
【０３９０】
さらに、本発明によって、複数のＤＬスロットに対するＨＡＲＱ−ＡＣＫを結合して単一のＰＵＣＣＨを介して送信する場合、本発明で提案するポーリングベースのＡ／Ｎフィードバック方法について詳細に説明する。
【０３９１】
３．２．ポーリングベースのＡ／Ｎフィードバック方法
【０３９２】
３．２．１．ポーリングＤＣＩ
【０３９３】
基地局がポーリングベースのＨＡＲＱ−ＡＣＫフィードバック動作を支援する場合、基地局は、以下のうち１つ以上の構成をポーリングＤＣＩとして支援する。
【０３９４】
（１）ＤＬ割り当て（ＤＬ  ａｓｓｉｇｎｍｅｎｔ）
【０３９５】
（２）ＵＬグラント（ＵＬ  ｇｒａｎｔ）
【０３９６】
（３）特別ＤＣＩ（Ｓｐｅｃｉａｌ  ＤＣＩ）。即ち、ＤＬ割り当て及びＵＬグラントの他のＤＣＩ
【０３９７】
このとき、ポーリングＤＣＩが特別ＤＣＩである場合、特別ＤＣＩは、複数の端末が共通して検出可能な共通（Ｃｏｍｍｏｎ）ＤＣＩの形態であってもよい。
【０３９８】
具体例として、基地局は、各ＤＬ割り当て内のビットフィールドによってスケジュールするＰＤＳＣＨに対するＨＡＲＱ−ＡＣＫの送信時点（以下、ＨＡＲＱ−ＡＣＫ  ｔｉｍｉｎｇ）を動的に指示して、これに対応して、端末は、ＨＡＲＱ−ＡＣＫ  ｔｉｍｉｎｇが指示されたＤＬ割り当てはポーリングＤＣＩとみなす。このとき、ＨＡＲＱ−ＡＣＫ  ｔｉｍｉｎｇを指示するビットフィールドは、スケジュールするＰＤＳＣＨに対するＨＡＲＱ−ＡＣＫの送信時点を指示するか、ＨＡＲＱ−ＡＣＫの送信を保留する「保留（Ｐｅｎｄｉｎｇ）」状態を指示してもよい。ここで、ＤＬ割り当てによってＨＡＲＱ−ＡＣＫの送信時点が指示される場合、端末は現時点を基準として、その以前までＨＡＲＱ−ＡＣＫ送信を「Ｐｅｎｄｉｎｇ」したＰＤＳＣＨのＨＡＲＱ−ＡＣＫを結合して、ＨＡＲＱ−ＡＣＫ送信時点が指示されたＰＵＣＣＨリソースによって結合されたＨＡＲＱ−ＡＣＫを送信する。
【０３９９】
別の例として、ポーリングベースのＨＡＲＱ−ＡＣＫフィードバック動作に対する指示は、ＤＬ割り当てではなく別のＤＣＩによって指示されてもよい。一例として、基地局はＵＬグラント又は別のポーリングＤＣＩによってその以前までＨＡＲＱ−ＡＣＫ送信が保留されたＰＤＳＣＨに対するＨＡＲＱ−ＡＣＫを結合して特定のＨＡＲＱ−ＡＣＫ  ｔｉｍｉｎｇの特定のＰＵＣＣＨリソースで送信することを指示する。
【０４００】
このとき、別のポーリングＤＣＩは、データスケジューリングとは独立して構成されることで、複数の端末に共通して検出可能な共通ＤＣＩの形態であってもよい。別のポーリングＤＣＩが特定の端末グループに対して共通ＤＣＩである場合、ポーリングＤＣＩにおける各々の端末において参照するビットフィールド領域が区分され、各々の端末において参照するビットフィールド領域は基地局によって予め設定されてもよい。
【０４０１】
また、ポーリングＤＣＩが別の特別ＤＣＩで設計される場合、特別ＤＣＩのペイロードサイズはＤＬ割り当て（又は、ＵＬグラント）のペイロードサイズと同一に設計されてもよい。このとき、特別ＤＣＩにおける一部のビットは、仮想ＣＲＣ（Ｖｉｒｔｕａｌ  Ｃｙｃｌｉｃ  Ｒｅｄｕｎｄａｎｃｙ  Ｃｈｅｃｋ）として活用されるように設計されてもよい。ここで、特別ＤＣＩに対する端末のブラインド検出（Ｂｌｉｎｄ  ｄｅｃｏｄｉｎｇ）の回数は、他のＤＣＩ（例えば、ＤＬ割り当て、ＵＬグラントなど）と同様に維持され、特別ＤＣＩに対する送信信頼度（Ｒｅｌｉａｂｉｌｉｔｙ）を高めることができる。
【０４０２】
ポーリングＤＣＩに対する構成は、本発明の他の提案方案と対峙しない限り、互いに組み合わされて適用されてもよい。
【０４０３】
３．２．２．第１のポーリングベースのＡ／Ｎフィードバック方法
【０４０４】
基地局がＤＬ割り当て内のＤＡＩ値を指示するとき、基地局からポーリング動作が指示された端末は、以下のように、ポーリング対象となる最新のＰＤＳＣＨのＤＡＩ値（以下、Ｌａｓｔ  ＤＡＩ）を仮定する。
【０４０５】
（１）基地局がポーリングＤＣＩで指示したＤＡＩ値をＬａｓｔ  ＤＡＩ値と仮定
【０４０６】
（２）基地局がポーリング動作を指示した時点まで端末が検出した最新のＰＤＳＣＨのＤＡＩ値をＬａｓｔ  ＤＡＩ値と仮定
【０４０７】
次いで、ポーリング動作が指示された端末は、以下のうち１つの方法によってＬａｓｔ  ＤＡＩ値に対応するスケジューリング順までのＰＤＳＣＨに対するＨＡＲＱ−ＡＣＫ情報を結合して単一のＰＵＣＣＨ（又は、ＰＵＳＣＨ内のＵＣＩ送信領域）を介して送信する。
【０４０８】
１）Ｌａｓｔ  ＤＡＩがＫ番目のスケジューリングと判断された場合、（スケジューリング順の観点から）１番目からＫ番目までのＰＤＳＣＨに対するＨＡＲＱ−ＡＣＫ情報を結合してＵＣＩペイロードを構成する。
【０４０９】
２）Ｌａｓｔ  ＤＡＩがＬである場合、Ｌａｓｔ  ＤＡＩ＝Ｌからその以前のＮ個のＤＡＩに対するＨＡＲＱ−ＡＣＫ情報を結合してＵＣＩペイロードを構成する。
【０４１０】
３）Ｌａｓｔ  ＤＡＩ＝Ｋ＜Ｌである場合、当該Ｌａｓｔ  ＤＡＩ＝Ｋからその以前の｛Ｎ−（Ｌ−Ｋ）｝個のＤＡＩに対するＡ／Ｎ（＝ＨＡＲＱ−ＡＣＫ）で、及びｌａｓｔ  ＤＡＩ＝Ｋの以後に該当するその他の｛Ｌ−Ｋ｝個に対してはＮＡＣＫでＵＣＩペイロードを構成する。
【０４１１】
このとき、結合されたＨＡＲＱ−ＡＣＫ情報が送信される単一のＰＵＣＣＨ（又は、ＰＵＳＣＨ内のＵＣＩ送信領域）は、ポーリングＤＣＩで指示されてもよい。
【０４１２】
また、ポーリング対象となるＨＡＲＱ−ＡＣＫ数（又は、ＨＡＲＱ−ＡＣＫ対象のＰＤＳＣＨ数）Ｎは、ＤＡＩの最大値（又は、ＤＡＩが有することのできる値の数）Ｌの倍数で設定されてもよい。
【０４１３】
具体例として、基地局が毎ＤＬ割り当てごとにＤＡＩ値を指示して、その後、ポーリングＤＣＩを介して以前までのＰＤＳＣＨに対するＨＡＲＱ−ＡＣＫ情報を結合するように指示したと仮定する。このとき、ポーリングＤＣＩがポーリング対象となる最後のＰＤＳＣＨに対するＤＡＩ値を含まない場合、基地局がポーリング対象として意図した最後のＰＤＳＣＨと端末がポーリング対象として認識したＰＤＳＣＨとが異なる場合が生じ得る。この場合、端末がポーリング動作に従って構成するＨＡＲＱ−ＡＣＫペイロードは、基地局の期待とは異なる問題が生じ得る。
【０４１４】
よって、本発明では、基地局がポーリングＤＣＩを用いてポーリング対象（又は、ＨＡＲＱ−ＡＣＫ結合の対象）となるＰＤＳＣＨの最新のＰＤＳＣＨのＤＡＩ値（以下、Ｌａｓｔ  ＤＡＩ）を通知する方法を提案する。
【０４１５】
図１３は、本発明の一例によって、Ｌａｓｔ  ＤＡＩ値に対応するＰＤＳＣＨがＫ＝４番目のスケジュールである場合を簡単に示す図である。
【０４１６】
図１３に示すように、Ｌａｓｔ  ＤＡＩ値に対応するＰＤＳＣＨがＫ番目のスケジューリング順である場合、ポーリングＤＣＩを受信した端末は、１番目のスケジューリング順に対応するＰＤＳＣＨからＫ番目のスケジューリング順に対応するＰＤＳＣＨに対するＨＡＲＱ−ＡＣＫ情報を結合して単一のＰＵＣＣＨ（又は、ＰＵＳＣＨ内のＵＣＩ送信領域）を介して送信することができる。
【０４１７】
別の例として、基地局は、ＤＡＩ次元（ｄｏｍａｉｎ）においてポーリング動作によって結合されるＰＤＳＣＨ数（例えば、Ｎ）を上位層信号又はＤＣＩ（例えば、ポーリングＤＣＩ）によって通知してもよい。このとき、ポーリングＤＣＩによってＬａｓｔ  ＤＡＩ値が指示される場合、端末はＬａｓｔ  ＤＡＩ値を基準として逆順にポーリング対象ＰＤＳＣＨを把握することができる。
【０４１８】
図１４は、本発明の別の例によって、Ｌａｓｔ  ＤＡＩ値（Ｍ）が１であり、ＤＡＩ値の数（Ｌ）は４であり、ポーリング動作によって結合されるＰＤＳＣＨの数（Ｎ）は６である場合を簡単に示す図である。
【０４１９】
ＤＡＩ値が０，１，…，Ｌ−１のうち１つであり、ポーリングＤＣＩで指示したＬａｓｔ  ＤＡＩの値がＭである場合、端末は１番目のポーリング対象ＰＤＳＣＨに対するＤＡＩ値はＬａｓｔ  ＤＡＩ値と仮定して、その後、Ｐ＝２，３，…，Ｎ番目のポーリング対象ＰＤＳＣＨに対するＤＡＩ値は（Ｍ−Ｐ＋１）ｍｏｄ  Ｌと期待する。すなわち、端末はポーリング動作の指示時点を基準として時間軸方向の逆順に一連のＤＡＩ値、Ｍ，（Ｍ−１）ｍｏｄ  Ｌ，（Ｍ−２）ｍｏｄ  Ｌ，…，（Ｍ−Ｎ＋１）ｍｏｄ  Ｌに対応する一連の（最新）Ｎ個のＰＤＳＣＨに対するＨＡＲＱ−ＡＣＫをポーリング対象としてみなす。
【０４２０】
このように、図１３に示す方式によれば、ＨＡＲＱ−ＡＣＫを結合するとき、ペイロードサイズはＬａｓｔ  ＤＡＩ値によって可変してもよい。一方、図１４に示す方式によれば、基地局が指示したＰＤＳＣＨ数（Ｎ）によって、ＨＡＲＱ−ＡＣＫを結合とき、ペイロードサイズが決定される。換言すれば、図１３において端末は、４つのＰＤＳＣＨに対応するＨＡＲＱ−ＡＣＫペイロードサイズのみ構成すればよいが、図１４において端末は、Ｎ（例えば、６）個のＰＤＳＣＨに対するＨＡＲＱ−ＡＣＫペイロードサイズを構成しなければならない。
【０４２１】
また、端末がＤＡＩ値に基づいてポーリング対象ＰＤＳＣＨを把握する場合、基地局は上位層信号又はＤＣＩ（例えば、Ｐｏｌｌｉｎｇ  ＤＣＩ）によって（Ｐｏｌｌｉｎｇ  ＤＣＩの受信時点対比）ポーリング対象ＰＤＳＣＨが存在する時間区間を端末に通知することができる。このとき、端末は時間区間内のポーリング対象となる特定のＤＡＩ値が検出されない場合、当該ＤＡＩに対するＨＡＲＱ−ＡＣＫはＮＡＣＫとみなし、ＨＡＲＱ−ＡＣＫの結合を行う。図１３及び図１４において、有効時間（Ｖａｌｉｄ  ｔｉｍｅ）と表記された時間区間は、ポーリングＤＣＩ受信時点に比べてポーリング対象ＰＤＳＣＨが存在する時間区間を意味して、当該時間区間は基地局が端末に通知することができる。
【０４２２】
さらに、基地局は、ＤＬ割り当てによって複数のＰＤＳＣＨに対するグループＩＤを指示して、このとき、端末は同一グループＩＤを有する一連のＰＤＳＣＨに対してＤＡＩ値が循環繰り返して割り当てられると仮定する。すなわち、ＤＡＩ値に基づいたＰＤＳＣＨスケジューリング順に対する端末のカウンター（Ｃｏｕｎｔｅｒ）は同一のグループＩＤを有するＰＤＳＣＨグループ別に行われる。ここで、端末は同一のグループＩＤを有するＰＤＳＣＨに対して、上述した第１のポーリングベースのＡ／Ｎフィードバック方法を行うことができる。
【０４２３】
第１のポーリングベースのＡ／Ｎフィードバック方法は、本発明の他の提案方案と対峙しない限り、互いに組み合わされて適用されてもよい。
【０４２４】
３．２．３．第２のポーリングベースのＡ／Ｎフィードバック方法
【０４２５】
基地局はポーリング動作によって結合されたＨＡＲＱ−ＡＣＫに対するペイロードサイズを以下のうち１つの方法を用いて端末に通知してもよい。
【０４２６】
（１）上位層信号によって準−静的に設定する。
【０４２７】
（２）ポーリングＤＣＩ（又は、別のｄｙｎａｍｉｃ  ｓｉｇｎａｌｉｎｇ）によって動的に設定する。
【０４２８】
ここで、ポーリング対象となるＨＡＲＱ−ＡＣＫ数（又は、ＨＡＲＱ−ＡＣＫ対象ＰＤＳＣＨ数）ＮはＤＡＩ最大値（又は、ＤＡＩが有することのできる値の数）Ｌの倍数で設定される。
【０４２９】
具体例として、基地局がＤＡＩ次元（ｄｏｍａｉｎ）においてＮ個のＰＤＳＣＨに対するＨＡＲＱ−ＡＣＫの結合を指示する場合、端末はポーリングＤＣＩで指示されたＬａｓｔ  ＤＡＩ値（例えば、Ｍ）を基準として以前のＮ個のＤＡＩ値（例えば、Ｍ，（Ｍ−１）ｍｏｄ  Ｌ，（Ｍ−２）ｍｏｄ  Ｌ，…，（Ｍ−Ｎ）ｍｏｄ  Ｌ、ここで、ＬはＤＡＩ値を指示するビットフィールドが表現可能な全体の状態（Ｓｔａｔｅ）数）を有する（最新の）ＰＤＳＣＨに対するＨＡＲＱ−ＡＣＫを結合してペイロードを構成することができる。このとき、基地局は端末にポーリング対象ＰＤＳＣＨの数であるＮ値を上位層信号によって準−静的な方式で設定するか、又はＤＣＩ（例えば、Ｐｏｌｌｉｎｇ  ＤＣＩ）によって動的な方式で設定してもよい。一例として、基地局がＤＣＩによってＮ値を指示する場合、基地局は予め上位層信号によってＮ値の候補群を設定して、ＤＣＩによって候補群のうち特定値を動的に指示してもよい。
【０４３０】
第２のポーリングベースのＡ／Ｎフィードバック方法は、本発明の他の提案方案と対峙しない限り、互いに組み合わされて適用されてもよい。
【０４３１】
３．２．４．第３のポーリングベースのＡ／Ｎフィードバック方法
【０４３２】
端末がＤＬ割り当て内のＤＡＩ値に基づいてＰＤＳＣＨスケジューリング順に対するカウンター（以下、ＤＡＩベースＣｏｕｎｔｅｒ）を動作させる場合、端末はＤＡＩベースＣｏｕｎｔｅｒ値を以下のうち１つの方法によって初期化することができる。
【０４３３】
（１）（周期的な）所定の時間区間ごとにＤＡＩベースカウンター値を初期化
【０４３４】
（２）ＤＡＩを指示するビットフィールドが特定の状態を指示する場合、ＤＡＩベースカウンター値を初期化
【０４３５】
（３）基地局からポーリング動作が指示される場合、カウンター値を初期化
【０４３６】
（４）基地局がＤＬ割り当てによって複数のＰＤＳＣＨに対するＧＡＩ（ｇｒｏｕｐ  ａｓｓｉｇｎｍｅｎｔ  ｉｎｄｅｘ）を指示して、ＧＡＩが指示する状態を変更される場合、ＤＡＩベースカウンター値を初期化
【０４３７】
（５）別の初期化無し
【０４３８】
ここで、上述した（１）における（周期的な）所定の時間区間は予め約束されるか（例えば、ｒａｄｉｏ  ｆｒａｍｅ）、又は基地局によって上位層信号で設定されてもよい。
【０４３９】
具体的に、端末が図１２のようにＬａｓｔ  ＤＡＩ値に対応するＰＤＳＣＨスケジューリング順までのＨＡＲＱ−ＡＣＫ情報を結合する場合、ある時点に端末はＰＤＳＣＨスケジューリング順に対するカウンター値を初期化しなければならない。端末がカウンター値を初期化しない場合、Ｌａｓｔ  ＤＡＩ値に対応するＰＤＳＣＨスケジューリング順が無限に増加して、結合されるＨＡＲＱ−ＡＣＫペイロードサイズが大きくなり過ぎる。よって、端末は所定の条件によってＰＤＳＣＨスケジューリング順に対するカウンター値を初期化する必要がある。
【０４４０】
そのための１つの方法として、端末は（周期的な）所定の時間区間ごとにＤＡＩベースカウンター値を初期化する。一例として、本発明が適用可能なＮＲシステムにおいて、ラジオフレーム（Ｒａｄｉｏ  ｆｒａｍｅ）が定義される場合、端末はラジオフレームの開始と同時にＰＤＳＣＨスケジューリング順に対するＤＡＩベースのカウンター値を初期化する。また、基地局がＤＡＩ値を指示するビットフィールドで特定の状態を指示するか、ポーリング動作を指示する場合、端末はＤＡＩベースカウンター値を初期化してもよい。
【０４４１】
別の方法として、基地局がＤＬ割り当てによって複数のＰＤＳＣＨに対するＧＡＩ（ｇｒｏｕｐ  ａｓｓｉｇｎｍｅｎｔ  ｉｎｄｅｘ）を指示するとき、端末はＧＡＩが指示する状態が変更される場合、ＤＡＩベースカウンター値を初期化する。
【０４４２】
一例として、ＤＡＩは２ビットサイズであり、ＧＡＩは１ビットサイズであると仮定する。次いで、基地局は１番目から７番目までのＰＤＳＣＨに対してＤＡＩ値を循環繰り返して０，１，２，３，０，１，２を与えた後、この７個のＰＤＳＣＨに対するポーリング動作（以下、第１のポーリング）を指示したと仮定する。その後の時点に基地局はカウンター値を再び初期化して、１番目から４番目までのＰＤＳＣＨに対してＤＡＩ値を循環繰り返して０，１，２，３を与えた後、この４個のＰＤＳＣＨに対するポーリング動作（以下、第２のポーリング）を指示したと仮定する。この場合、端末が第１のポーリング指示を完全に受信できない場合（例えば、ｍｉｓｓｉｎｇ）、基地局は最初の７個のＰＤＳＣＨに対する第１のポーリング及びその後の４個のＰＤＳＣＨに対する第２のポーリング動作を意図したが、端末は８番目のＰＤＳＣＨを逃したと判断して、全１２個のＰＤＳＣＨに対するポーリングを指示されたと解釈する。換言すれば、端末としては、ＤＡＩ値０，１，２，３，０，１，２，Ｘ，０，１，２，３の以後にポーリング指示を受信したと判断する。
【０４４３】
このような問題点を解決するために、基地局は最初の７個のＰＤＳＣＨに対してはＧＡＩ値０を与えて、その後の４個のＰＤＳＣＨに対してはＧＡＩ値１を与える。この場合、端末はＧＡＩ値が変更されるとき、ＤＡＩベースＰＤＳＣＨスケジューリング順に対するカウンター値を初期化して、基地局が７個のＰＤＳＣＨに対する第１のポーリングと４個のＰＤＳＣＨに対する第２のポーリングが指示されたことを認知できる。このとき、ポーリングＤＣＩはポーリング対象となるＰＤＳＣＨに対するＧＡＩ値を含んで端末に伝達される。
【０４４４】
上述した構成とは異なり、図１３のように基地局が指示したポーリング対象ＰＤＳＣＨ対象数によってＬａｓｔ  ＤＡＩ値を基準として時間方向の逆順にＮ個の循環するＤＡＩ値に対応するＰＤＳＣＨがポーリング動作の対象となる場合、端末はＤＡＩベースのＰＤＳＣＨスケジューリング順に対するカウンター値を初期化する必要がない場合がある。この場合、ＤＡＩ値は絶対的なＰＤＳＣＨスケジューリング順を意味するよりは、隣接したＰＤＳＣＨ間の相対的な順序を意味してもよい。
【０４４５】
第３のポーリングベースのＡ／Ｎフィードバック方法は、本発明の他の提案方案と対峙しない限り、互いに組み合わされて適用されてもよい。
【０４４６】
３．２．５．第４のポーリングベースのＡ／Ｎフィードバック方法
【０４４７】
基地局がポーリングＤＣＩを介してポーリング対象となるＰＤＳＣＨが送信された時間区間及び／又は周波数リソース集合（例えば、キャリア）を指示して、これに対応して、ポーリングＤＣＩを受信した端末は、以下の１つの方法によってＨＡＲＱ−ＡＣＫを結合して単一のＰＵＣＣＨ（又は、ＰＵＳＣＨ内のＵＣＩ送信領域）に送信することができる。
【０４４８】
（１）ポーリングＤＣＩで指示された時間区間及び／又は周波数リソース集合におけるＤＡＩ値（又は、ＤＡＩ値が指示するＰＤＳＣＨスケジューリング順）が１，２，…，Ｎに対応するＰＤＳＣＨに対するＨＡＲＱ−ＡＣＫを結合する。
【０４４９】
（２）ポーリングＤＣＩで指示された時間区間及び／又は周波数リソース集合における全Ｎ個のスケジューリング単位に対応されるＰＤＳＣＨに対するＨＡＲＱ−ＡＣＫを結合する。
【０４５０】
ここで、Ｎは、予め約束された値、基地局が上位層信号で設定した値、又はポーリングＤＣＩで指示した値であり得る。
【０４５１】
また、上述のように結合されたＨＡＲＱ−ＡＣＫが送信される単一のＰＵＣＣＨ（又は、ＰＵＳＣＨ内のＵＣＩ送信領域）は、ポーリングＤＣＩで指示されてもよい。
【０４５２】
また、ポーリングＤＣＩではなくＤＬ割り当てによってＨＡＲＱ−ＡＣＫ送信時点及び／又はリソースが指示されたＰＤＳＣＨは、上述したポーリング（又は、ＨＡＲＱ−ＡＣＫ結合）対象から除外されてもよい。
【０４５３】
より具体的に、基地局はポーリングＤＣＩによってポーリング対象となるＰＤＳＣＨ送信区間を指示することができる。このとき、端末はＰＤＳＣＨ送信区間内の実際に送信されたＰＤＳＣＨのうち、ＤＡＩ値（又は、ＤＡＩ値が指示するＰＤＳＣＨスケジューリング順）が１，２，…，Ｎに対応するＰＤＳＣＨのＨＡＲＱ−ＡＣＫを結合して、ポーリングＤＣＩが指示した単一のＰＵＣＣＨリソースで送信することができる。特定のＤＡＩ値（又は、特定のＰＤＳＣＨスケジューリング順）に対応するＰＤＳＣＨ（又は、ＤＬ割り当て）のない場合、端末は当該ＤＡＩ値に対応するＨＡＲＱ−ＡＣＫをＮＡＣＫとみなし、ＨＡＲＱ−ＡＣＫの結合を行うことができる。また、端末は基地局がポーリングＤＣＩによって指示した時間区間及び／又は周波数リソースにおける全Ｎ個のスケジューリング単位でＰＤＳＣＨ送信が行われたと仮定して、各々のＰＤＳＣＨに対するＨＡＲＱ−ＡＣＫを結合することができる。仮に、特定のスケジューリング単位で実際にＰＤＳＣＨ送信が行われない場合、端末は当該ＰＤＳＣＨに対するＨＡＲＱ−ＡＣＫをＮＡＣＫとみなして、ＨＡＲＱ−ＡＣＫ結合を行う。
【０４５４】
第４のポーリングベースのＡ／Ｎフィードバック方法は、本発明による他の提案方案と対峙しない限り、互いに組み合わされて適用されてもよい。
【０４５５】
３．２．６．第５のポーリングベースのＡ／Ｎフィードバック方法
【０４５６】
基地局は端末にポーリング動作可否を上位層信号によって準−静的な方式で設定することができる。
【０４５７】
本発明が適用可能なＮＲシステムにおいて、常に、上述したポーリング動作を支援する場合、ポーリングＤＣＩによる更なる制御シグナリングオーバーヘッド（Ｃｏｎｔｒｏｌ  ｓｉｇｎａｌｉｎｇ  ｏｖｅｒｈｅａｄ）が発生し得る。よって、制御シグナリングオーバーヘッド観点において、基地局が必要に応じて準−静的な方式で端末にポーリング動作を支援する「Ｐｏｌｌｉｎｇ  ｍｏｄｅ」又はポーリング動作を支援しない「Ｎｏｎ  Ｐｏｌｌｉｎｇ  ｍｏｄｅ」を設定することより効率的であり得る。   
【０４５８】
また、基地局が端末にＭ個のスロットに対するポーリング動作を支援するように設定した場合、既存のＮ個のＨＡＲＱプロセス数は、Ｎ＋Ｍ以上と増加し得る。このとき、増加したＨＡＲＱプロセス数は基地局のポーリング動作の支援可否に応じて暗示的な方法（Ｉｍｐｌｉｃｉｔ  ｍａｎｎｅｒ）によって適用されるか、基地局によって別として設定されてもよい。
【０４５９】
第５のポーリングベースのＡ／Ｎフィードバック方法は、本発明による他の提案方案と対峙しない限り、互いに組み合わされて適用されてもよい。
【０４６０】
３．２．７．第６のポーリングベースのＡ／Ｎフィードバック方法
【０４６１】
基地局が互いに異なるポーリングＤＣＩで同一のＰＵＣＣＨ（又は、ＰＵＳＣＨ内のＵＣＩ送信領域）に対するポーリングを指示する場合（例えば、ｍｕｌｔｉｐｌｅ  ｐｏｌｌｉｎｇ  ＤＣＩ）、基地局は各々のポーリングＤＣＩに対応するＨＡＲＱ−ＡＣＫグループ間の結合順を以下のうち１つの方法で通知することができる。
【０４６２】
（１）ポーリングＤＣＩはポーリングＤＣＩ間の順序情報を含む。ここで、端末はポーリングＤＣＩに含まれた順序情報に基づいて、ＨＡＲＱ−ＡＣＫグループ間の結合順を決定する。
【０４６３】
（２）ポーリングＤＣＩに対するＲＮＴＩ（Ｒａｄｉｏ  Ｎｅｔｗｏｒｋ  Ｔｅｍｐｏｒａｒｙ  Ｉｄｅｎｔｉｆｉｅｒ）はポーリングＤＣＩ間の順序情報を暗示することができる。ここで、端末はポーリングＤＣＩに対するＲＮＴＩによって暗示された順序情報に基づいて、ＨＡＲＱ−ＡＣＫグループ間の結合順を決定することができる。
【０４６４】
より具体的に、ポーリングＤＣＩを介してＨＡＲＱ−ＡＣＫが結合可能なＰＤＳＣＨ数がＮ個である場合、基地局はＰＵＣＣＨの送信容量（Ｃａｐａｃｉｔｙ）に応じて（例えば、ＰＵＣＣＨの送信容量が十分である場合）、Ｍ個のポーリングＤＣＩを介してＭ＊Ｎ個のＰＤＳＣＨに対するＨＡＲＱ−ＡＣＫを結合して送信することを端末に指示することができる。
【０４６５】
このとき、複数のポーリングＤＣＩに対応する複数のＨＡＲＱ−ＡＣＫグループ間のＨＡＲＱ−ＡＣＫ結合順が定義される必要がある。一例として、この順序は、ポーリングＤＣＩに含まれた順序情報で端末に伝達されるか、又は端末がポーリングＤＣＩを検出する過程において暗示的な方法（Ｉｍｐｌｉｃｉｔ  ｍａｎｎｅｒ）で取得することができる。仮に、ポーリングＤＣＩ間の順序情報がポーリングＤＣＩ内の特定のビットフィールドによって指示する場合、順序情報はＤＡＩと同様に、制限されたＬ個の値を表現するビットフィールドによって指示されてもよく、当該ビットフィールドはＬ個の値を循環繰り返す形態でカウンター機能を行ってもよい。
【０４６６】
第６のポーリングベースのＡ／Ｎフィードバック方法は、本発明の他の提案方案と対峙しない限り、互いに組み合わされて適用されてもよい。
【０４６７】
３．２．８．第７のポーリングベースのＡ／Ｎフィードバック方法
【０４６８】
基地局がポーリングＤＣＩで（単一のＰＵＣＣＨ（又は、ＰＵＳＣＨ）リソースへの）ポーリング動作を指示したＰＤＳＣＨ（又は、ＨＡＲＱ−ＡＣＫ）のうち同一のＨＡＲＱプロセスインデックスを有するＰＤＳＣＨが存在する場合、端末は以下のうち１つの動作を行うことができる。
【０４６９】
（１）各ＰＤＳＣＨに対応するＨＡＲＱ−ＡＣＫを区分して結合する。
【０４７０】
（２）同一のＨＡＲＱプロセスに対するＨＡＲＱ−ＡＣＫは１回のみ送信する。
【０４７１】
具体的に、基地局が初期送信したＰＤＳＣＨと再送信したＰＤＳＣＨに対して、単一のＰＵＣＣＨリソースでポーリング動作を指示した場合、ポーリングＤＣＩを介してポーリング動作が指示されたＰＤＳＣＨ（又は、ＨＡＲＱ−ＡＣＫ）のうち、同一のＨＡＲＱプロセスに対するＰＤＳＣＨ（又は、ＨＡＲＱ−ＡＣＫ）が存在する場合が生じ得る。
【０４７２】
このとき、端末は簡単に、同一のＨＡＲＱプロセスインデックスを有しても、各々ＰＤＳＣＨのＨＡＲＱ−ＡＣＫを区分してポーリング動作のためのＨＡＲＱ−ＡＣＫ結合を行う。
【０４７３】
ただし、上述したように、初期送信と再送信とを区分しない場合、同一のＨＡＲＱプロセスはインデックスに対するＨＡＲＱ−ＡＣＫ情報であるにもかかわらず、ＵＣＩペイロードを重なって占めるという問題点が生じる。換言すれば、上述の方法は、ＵＬ制御シグナリングオーバーヘッド（ＵＬ  ｃｏｎｔｒｏｌ  ｓｉｇｎａｌｉｎｇ  ｏｖｅｒｈｅａｄ）観点から非効率である得る。よって、端末は同一のＨＡＲＱプロセスに対するＨＡＲＱ−ＡＣＫは１回のみ送信してもよい。
【０４７４】
第７のポーリングベースのＡ／Ｎフィードバック方法は、本発明の他の提案方法と対峙しない限り、互いに組み合わされて適用されてもよい。
【０４７５】
３．２．９．第８のポーリングベースのＡ／Ｎフィードバック方法
【０４７６】
基地局は複数のＰＤＳＣＨに対するＨＡＲＱ−ＡＣＫ送信を行うＰＵＣＣＨ（ＰＵＣＣＨ  １）と単一のＰＤＳＣＨに対するＨＡＲＱ−ＡＣＫ送信を行うＰＵＣＣＨ（ＰＵＣＣＨ  ２）に対して、互いに異なるＰＵＣＣＨフォーマット又は互いに異なるＰＵＣＣＨリソース量を設定することができる。
【０４７７】
このとき、ＰＵＣＣＨフォーマット又はＰＵＣＣＨリソースが異なることは、ＰＵＣＣＨが送信されるシンボル数が異なることを意味してもよい。一例として、ＰＵＣＣＨ  ２は１つ又は２つのシンボルを介して送信されるＰＵＣＣＨ（例えば、Ｓｈｏｒｔ  ＰＵＣＣＨ）に対応して、ＰＵＣＣＨ  １は４つ以上のシンボルを介して送信されるＰＵＣＣＨ（例えば、Ｌｏｎｇ  ＰＵＣＣＨ）に対応してもよい。
【０４７８】
具体的に、基地局が複数のＰＤＳＣＨに対するポーリング動作を指示する場合、ＨＡＲＱ−ＡＣＫ結合によって送信するＵＬ制御ペイロードサイズは、単一のＰＤＳＣＨに対するＨＡＲＱ−ＡＣＫを送信する場合のＵＬ制御ペイロードサイズに比べて相対的に大きくてもよい。よって、ＰＵＣＣＨ  １は多くのＰＵＣＣＨリソースを用いて、より大きいＵＣＩペイロードサイズの送信を支援することができ、ＰＵＣＣＨ  ２は少ないＰＵＣＣＨリソースを用いて、より小さいＵＣＩペイロードサイズの送信を支援することができる。
【０４７９】
ここで、本発明によるＮＲシステムでは、特定の端末に対して様々なＰＵＣＣＨリソース（例えば、Ｓｈｏｒｔ  ＰＵＣＣＨ、Ｌｏｎｇ  ＰＵＣＣＨなど）が支援できることによって、従来のＬＴＥシステムに対して特定の端末により多いＰＵＣＣＨリソースが設定される必要がある。このとき、上述した第２のＰＵＣＣＨリソース割り当て方法を活用すれば、（たとえ特定の端末に対して設定されるＰＵＣＣＨリソースの数がＬＴＥシステムに比べて増加していても）従来のＬＴＥシステムに比べてシグナリングオーバーヘッドの増加なく端末は２ｂｉｔ  ＡＲＩ及び暗示的な方法（ｉｍｐｌｉｃｉｔ  ｍａｎｎｅｒ）によってＰＵＣＣＨリソースが割り当てられる。
【０４８０】
図１５は、本発明によって、ポーリング対象ＰＤＳＣＨ数又はポーリング対象ＨＡＲＱ−ＡＣＫビットの総和によって結合されたＨＡＲＱ−ＡＣＫ構成方式を変更する構成を簡単に示す図である。
【０４８１】
図１５に示すように、基地局がポーリング動作を指示した複数のＰＤＳＣＨに対するＨＡＲＱ−ＡＣＫ送信を行うＰＵＣＣＨに対して、端末はポーリング対象ＰＤＳＣＨ数（又は、結合するＨＡＲＱ−ＡＣＫビット）によってＨＡＲＱ−ＡＣＫ送信を行うＰＵＣＣＨのＰＵＣＣＨフォーマット又はＰＵＣＣＨリソース量を変更してもよい。また、端末はポーリング対象ＰＤＳＣＨ数（又は、結合するＨＡＲＱ−ＡＣＫビット）によってポーリング対象ＰＤＳＣＨに対する結合されたＨＡＲＱ−ＡＣＫペイロードの構成方案を異ならせて構成してもよい。
【０４８２】
一例として、Ｌ個のＨＡＲＱプロセスが存在して、基地局によりＮ個のＰＤＳＣＨに対するポーリング動作が指示され、各々のＰＤＳＣＨのＨＡＲＱ−ＡＣＫビットサイズは１ビットであると仮定する。このとき、結合するＨＡＲＱ−ＡＣＫビットサイズは、各々のＰＤＳＣＨのＨＡＲＱ−ＡＣＫビットの和で算出され、一例として、そのビットはＮビットである。
【０４８３】
このとき、ＮビットがＬビット未満である場合、端末は、上述した第１のポーリングベースのＡ／Ｎフィードバック方法のように、ＤＡＩ値に基づいて各ＤＡＩ値に対応するＨＡＲＱ−ＡＣＫビットを結合して報告することができる。
【０４８４】
また、ＮビットがＬビット以上である場合、端末はＨＡＲＱプロセスごとにＨＡＲＱ−ＡＣＫ情報を報告することができる。
【０４８５】
上述のような方法によって、端末は結合されたＨＡＲＱ−ＡＣＫペイロードサイズをＬビットに固定することができる。
【０４８６】
第８のポーリングベースのＡ／Ｎフィードバック方法は、本発明の他の提案方案と対峙しない限り、互いに組み合わされて適用されてもよい。
【０４８７】
３．２．１０．第９のポーリングベースのＡ／Ｎフィードバック方法
【０４８８】
基地局は予め複数のＨＡＲＱプロセスインデックスグループを設定して、ポーリングＤＣＩを介してポーリング対象となるＨＡＲＱプロセスインデックスグループを指示してもよい。これに対応して、端末は指示されたＨＡＲＱプロセスインデックスグループ内のＨＡＲＱプロセスインデックスに対するＨＡＲＱ−ＡＣＫ情報を結合して単一のＰＵＣＣＨ（又は、ＰＵＳＣＨ内のＵＣＩ送信領域）で送信してもよい。
【０４８９】
具体例として、基地局が予め上位層信号によって２つのＨＡＲＱプロセスインデックスグループ｛０，１，２，３｝と｛４，５，６，７}を設定したと仮定する。このとき、基地局はポーリングＤＣＩで１ビットサイズの指示子によって２つのＨＡＲＱプロセスインデックスグループのうち特定の１グループに対するポーリング動作（ＨＡＲＱ−ＡＣＫを結合及び報告）を指示する。このような動作は、初期送信と再送信に対して重なってＨＡＲＱ−ＡＣＫを結合する問題を予防することができる。
【０４９０】
また、ポーリングＤＣＩを介したポーリング動作の指示は、ポーリングＤＣＩが特定のＨＡＲＱプロセスインデックスを指示する動作によって暗示されることができる。一例として、ポーリングＤＣＩが特定のＨＡＲＱプロセスインデックスＸを指示する場合、端末はＨＡＲＱプロセスインデックス  Ｘを含むＨＡＲＱプロセスインデックスグループに対するポーリング動作を行うこと（すなわち、ＨＡＲＱプロセスインデックスグループに対するＨＡＲＱ−ＡＣＫを結合して報告すること）と理解することができる。
【０４９１】
変形例として、基地局は端末にスケジューリングの目的ではなくポーリング動作を指示する目的でのみ用いられるＨＡＲＱプロセスインデックス値を（予め約束された方式又は上位層信号によって）設定することができる。これに対応して、端末がＤＬ割り当てによってポーリング動作指示用のＨＡＲＱプロセスインデックスを受信した場合、端末は当該ＤＬ割り当てがデータスケジューリングを指示しないと判断して、当該ＤＬ割り当てにおけるＲＶ（ｒｅｄｕｎｄａｎｃｙ  ｖｅｒｓｉｏｎ）及び／又はＭＣＳ（ｍｏｄｕｌａｔｉｏｎ  ａｎｄ  ｃｏｄｉｎｇ  ｓｃｈｅｍｅ）のためのビットフィールドをポーリング対象ＨＡＲＱプロセスインデックスグループを指示する目的として活用することができる。
【０４９２】
第９のポーリングベースのＡ／Ｎフィードバック方法は、本発明の他の提案方案と対峙しない限り、互いに組み合わされて適用されてもよい。
【０４９３】
３．２．１１．第１０のポーリングベースのＡ／Ｎフィードバック方法
【０４９４】
基地局は以下のうち１つの方法によってポーリング対象から除外されるＰＤＳＣＨを端末に通知してもよい。
【０４９５】
（１）ＤＣＩ（例えば、ＤＬ割り当て）でポーリング対象から除外されるか否かを指示する。
【０４９６】
（２）ＤＣＩ（例えば、ＤＬ割り当て）でＨＡＲＱ−ＡＣＫタイミングを指示して、ＤＣＩ（例えば、ＤＬ  ａｓｓｉｇｎｍｅｎｔ）がポーリングＤＣＩではない場合、当該ＰＤＳＣＨはポーリング対象から除外されるＰＤＳＣＨとみなす。
【０４９７】
（３）ポーリング対象ＰＤＳＣＨに対するＤＣＩとポーリング対象から除外されるＰＤＳＣＨに対するＤＣＩに互いに異なるＵＥ  ＩＤ（例えば、ＲＮＴＩ）ベースのＣＲＣマスキングを行う。
【０４９８】
より具体的に、同一の端末にスケジュールされるＰＤＳＣＨであっても、各々が互いに異なる遅延（Ｌａｔｅｎｃｙ）要求条件を有する場合が存在することがある。このとき、低い遅延（Ｌｏｗ  Ｌａｔｅｎｃｙ）を有するＰＤＳＣＨに対してはポーリング動作を行わずにできる限り早くＨＡＲＱ−ＡＣＫ報告を行った方が好ましいときがある。
【０４９９】
上述のように、ＰＤＳＣＨごとにポーリング動作を適用するか否かが異なる場合、基地局は特定のＰＤＳＣＨに対するポーリング可否を通知してもよい。基地局は特定のＰＤＳＣＨがポーリング対象であるか否かをＤＬ割り当てなどのＤＣＩを用いて、上述した（１）、（２）、（３）の方法のように通知するか、又は上位層信号で当該端末がポーリング動作を行うか否かを設定することができる。
【０５００】
第１０のポーリングベースのＡ／Ｎフィードバック方法は、本発明の他の提案方案と対峙しない限り、互いに組み合わされて適用されてもよい。
【０５０１】
図１６は、本発明による端末の上りリンク信号送信方法を示すフローチャートである。
【０５０２】
先ず、端末は１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を基地局から受信して、ＤＣＩに基づいて１つ以上の下りリンクデータを基地局から受信する（Ｓ１６１０）。
【０５０３】
次いで、端末は基地局から受信した１つ以上の下りリンクに対応する上りリン信号（例えば、上りリンク制御情報）送信のための上りリンクリソースを決定する（Ｓ１６２０）。
【０５０４】
このとき、端末はＤＣＩに含まれた指示情報及びＤＣＩに関する情報に基づいて、上位層シグナリング又はシステム情報によって設定される複数の上りリンク候補リソースのうち１つの上りリンク候補リソースを１つ以上の下りリンクデータに対応する上りリンク信号送信のための上りリンクリソースとして決定してもよい。一例として、基地局とＲＲＣ（Ｒｅｍｏｔｅ  ｒｅｓｏｕｒｃｅ  Ｃｏｎｔｒｏｌ）連結（ｃｏｎｎｅｃｔｉｏｎ）が設定された場合、端末は上位層シグナリングによって設定される複数の上りリンク候補リソースのうち１つの上りリンク候補リソースを上りリンクリソースとして決定することができる。また、基地局とＲＲＣ連結が設定／確率しない場合、端末は基地局から上位層シグナリング（ｈｉｇｈｅｒ  ｌａｙｅｒ  ｓｉｇｎａｌｉｎｇ）受信ができないので、システム情報によって複数の上りリンク候補リソースのうち１つの上りリンク候補リソースを上りリンクリソースとして決定することができる。
【０５０５】
本発明において、システム情報は、システム情報ブロック（ｓｙｓｔｅｍ  ｉｎｆｏｒｍａｔｉｏｎ  ｂｌｏｃｋ，ＳＩＢ）又は残りの最小システム情報（ｒｅｍａｉｎｉｎｇ  ｍｉｎｉｍｕｍ  ｓｙｓｔｅｍ  ｉｎｆｏｒｍａｔｉｏｎ，ＲＭＳＩ）を含んでもよい。
【０５０６】
好ましい一例として、指示情報は、従来のＬＴＥシステムのＡＲＩと同様に２ビットで構成されてもよい。
【０５０７】
また、複数の上りリンク候補リソースは、４つを超える上りリンク候補リソースで構成されてもよい。ここで、２ビットサイズの指示情報のみでは、４つを超える上りリンク候補リソースのうち特定の上りリンク候補リソースを指示することが難しいので、端末は２ビットサイズの指示情報及びＤＣＩに関する情報に基づいて４つを超える上りリンク候補リソースのうち特定の上りリンク候補リソースを上りリンク信号送信のためのリソースとして決定することができる。
【０５０８】
一例として、複数の上りリンク候補リソースは、８つの上りリンク候補リソースで構成されてもよい。このとき、８つの上りリンク候補リソースは、それぞれ２つの上りリンク候補リソースを含む４つの上りリンク候補リソースグループで構成されてもよい。このとき、端末は２ビットサイズの指示情報に基づいて、４つの上りリンク候補リソースグループのうち１つの上りリンク候補リソースグループを決定して、ＤＣＩに関する情報に基づいて、決定された上りリンク候補リソースグループ内の２つの上りリンク候補リソースのうち１つの上りリンク信号送信のためのリソースとして決定することができる。
【０５０９】
本発明において、ＤＣＩに関する情報は、（１）ＤＣＩが送信された開始（ｓｔａｒｔｉｎｇ）制御チャンネル要素（ｃｏｎｔｒｏｌ  ｃｈａｎｎｅｌ  ｅｌｅｍｅｎｔ；ＣＣＥ）インデックス、（２）ＤＣＩが送信された下りリンク制御領域インデックス、（３）ＤＣＩが指示した１つ以上の下りリンクデータの開始物理リソースブロック（ｐｈｙｓｉｃａｌ  ｒｅｓｏｕｒｃｅ  ｂｌｏｃｋ；ＰＲＢ）インデックス、（４）ＤＣＩが指示したＨＡＲＱ（Ｈｙｂｒｉｄ  Ａｕｔｏｍａｔｉｃ  Ｒｅｐｅａｔ  Ｒｅｑｕｅｓｔ）ＡＣＫタイミング、及び（５）ＤＣＩが指示したＢＷＰ（ｂａｎｄｗｉｄｔｈ  ｐａｒｔ）インデックスのうち１つ以上を含むことができる。
【０５１０】
次いで、端末はＳ１６２０ステップによって決定された上りリンクリソースを介して１つ以上の下りリンクデータに対応する上りリンク制御情報を送信する（Ｓ１６３０）。
【０５１１】
このように、本発明において、基地局は１つ以上の下りリンクデータをスケジュールするＤＣＩを介して１つ以上の下りリンクデータに対応する上りリンク信号送信のための上りリンクリソースを指示／割り当てることができる。
【０５１２】
このとき、決定された上りリンクリソースのサイズは、１つ以上の下りリンクデータの数に応じて異ならせて設定されてもよい。
【０５１３】
具体的に、１つの下りリンクデータに対応する上りリンク制御情報を送信する上りリンクリソースは、複数の下りリンクデータに対応する上りリンク制御情報を送信する上りリンクリソースより小さく設定されてもよい。換言すれば、より多い下りリンクデータに対応する上りリンク制御情報を送信するために、上りリンクリソースはより大きく設定されてもよい。
【０５１４】
また、上りリンク制御情報は、１つ以上の下りリンクデータに対する確認応答情報を含むことができる。一例として、上りリンク制御情報は、１つ以上の下りリンクデータに対するＨＡＲＱ−ＡＣＫ／ＮＡＣＫ情報を含んでもよい。
【０５１５】
また、上述において、下りリンクデータは物理下りリンク共有チャンネル（ｐｈｙｓｉｃａｌ  ｄｏｗｎｌｉｎｋ  ｓｈａｒｅｄ  ｃｈａｎｎｅｌ；ＰＤＳＣＨ）に対応することができ、上りリンクリソースは物理上りリンク制御チャンネル（ｐｈｙｓｉｃａｌ  ｕｐｌｉｎｋ  ｃｏｎｔｒｏｌ  ｃｈａｎｎｅｌ；ＰＵＣＣＨ）に対応することができる。
【０５１６】
また、本発明において、複数の上りリンク候補リソースは、帯域幅パート（ｂａｎｄｗｉｄｔｈ  ｐａｒｔ；ＢＷＰ）ごとに設定されてもよい。
【０５１７】
上述した提案方式に対する一例が本発明の具現方法の１つとして含まれてもよいため、一種の提案方式と見なし得ることは明白な事実である。また、上述した提案方式は独立して具現されてもよく、一部の提案方式の組み合わせ（又は、併合）の形態で具現されてもよい。上記提案方法適用の有無に関する情報（又は、上記提案方法の規則に関する情報）は、基地局が端末に予め定義されたシグナル（例えば、物理層シグナル又は上位層シグナル）で知らせるように規則が定義されてもよい。
【０５１８】
４．装置構成
【０５１９】
図１７は、提案する実施例が具現できる端末及び基地局の構成を示す図である。図１７に示す端末及び基地局は、上述した端末と基地局との上りリンク信号の送受信方法の実施例を具現するために動作する。
【０５２０】
端末（ＵＥ：Ｕｓｅｒ  Ｅｑｕｉｐｍｅｎｔ）１は、上りリンクでは送信端として動作し、下りリンクでは受信端として動作することができる。また、基地局（ｅＮＢ又はｇＮＢ）１００は、上りリンクでは受信端として動作し、下りリンクでは送信端として動作する。
【０５２１】
すなわち、端末及び基地局は、情報、データ及び／又はメッセージの送信及び受信を制御するためにそれぞれ、送信機（Ｔｒａｎｓｍｉｔｔｅｒ）１０，１１０及び受信機（Ｒｅｃｅｉｖｅｒ）２０，１２０を含むことができ、情報、データ及び／又はメッセージを送受信するためのアンテナ３０，１３０などを含むことができる。
【０５２２】
また、端末及び基地局はそれぞれ、上述した本発明の実施例を行うためのプロセッサー（Ｐｒｏｃｅｓｓｏｒ）４０，１４０、及びプロセッサーの処理過程を臨時的に又は持続的に記憶できるメモリ５０，１５０を含むことができる。
【０５２３】
このように構成された端末１は受信機２０を介して１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を受信して、ＤＣＩに基づいて１つ以上の下りリンクデータを受信する。次いで、端末１はプロセッサー４０を介して１つ以上の下りリンクデータに対応する上りリンク信号送信のための上りリンクリソースを決定する。このとき、端末１は、ＤＣＩに含まれた指示情報及びＤＣＩに関する情報に基づいて上位層シグナリング又はシステム情報によって設定される複数の上りリンク候補リソースのうち１つの上りリンク候補リソースを１つ以上の下りリンクデータに対応する上りリンク信号送信のための上りリンクリソースとして決定することができる。次いで、端末１は送信機１０を用いて前記決定された上りリンクリソースを介して１つ以上の下りリンクデータに対応する上りリンク制御情報を送信する。
【０５２４】
これに対応して、基地局１００は、送信機１１０を介して端末１に、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を送信して、ＤＣＩに基づいて１つ以上の下りリンクデータを送信する。次いで、基地局１００は受信機１２０によって特定の上りリンクリソースを介して１つ以上の下りリンクデータに対応する上りリンク制御情報を受信する。このとき、特定の上りリンクリソースは、上述のように、ＤＣＩに含まれた指示情報及びＤＣＩに関する情報に基づいて、上位層シグナリング又はシステム情報によって設定される複数の上りリンク候補リソースのうち１つの上りリンク候補リソースとして設定されることができる。
【０５２５】
端末及び基地局に含まれた送信機及び受信機は、データ送信のためのパケット変復調機能、高速パケットチャンネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャンネル多重化機能を行うことができる。また、図１７の端末及び基地局は低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）ユニットをさらに含んでもよい。
【０５２６】
一方、本発明において端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブックＰＣ、スマート（Ｓｍａｒｔ）フォン又はマルチモードマルチバンド（ＭＭ−ＭＢ：Ｍｕｌｔｉ  Ｍｏｄｅ−Ｍｕｌｔｉ  Ｂａｎｄ）端末機などが用いられる。
【０５２７】
ここで、スマートフォンとは、移動通信端末機と個人携帯端末機のメリットを組み合わせた端末機であって、移動通信端末機に個人携帯端末機の機能である日程管理、ファックス送受信及びインターネット接続などのデータ通信機能を統合した端末機を意味することができる。また、マルチモードマルチバンド端末機器とは、マルチモデムチッピを内装して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）のいずれにおいても作動できる端末機のことをいう。
【０５２８】
本発明の実施例は、様々な手段によって具現できる。例えば、本発明の実施例は、ハードウェア、ファームウェア（ｆｉｒｍｗａｒｅ）、ソフトウェア又はこれらの組み合わせなどによって具現できる。
【０５２９】
ハードウェアによる具現の場合、本発明の実施例による方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラ、マイクロコントローラ、マイクロプロセッサーなどによって具現できる。
【０５３０】
ファームウェアやソフトウェアによる具現の場合、本発明の実施例による方法は、上述した機能又は動作を行うモジュール、順序又は関数などの形態として具現できる。例えば、ソフトウェアコードは、メモリユニット５０、１５０に格納されてプロセッサー４０、１４０によって駆動されてもよい。メモリユニットは、プロセッサーの内部又は外部に位置することができ、既知の様々な手段によってプロセッサーとデータをやり取りすることができる。
【０５３１】
本発明は、本発明の技術的アイデア及び必須的特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。また、特許請求の範囲で明示的な引用関係のない請求項を組み合せて実施例を構成するか、出願後の補正によって新しい請求項として含ませ得ることは自明である。
【産業上の利用可能性】
【０５３２】
本発明の実施例は、様々な無線接続システムに適用することができる。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は、様々な無線接続システムのみならず、様々な無線接続システムを応用する全ての技術分野に適用することができる。さらに、提案する方法は、超高周波帯域を用いるｍｍＷａｖｅ通信システムにも適用することができる。
【図１】
2020506579.tif 000013
【図２】
2020506579.tif 000014
【図３】
2020506579.tif 000015
【図４】
2020506579.tif 000016
【図５】
2020506579.tif 000017
【図６】
2020506579.tif 000018
【図７】
2020506579.tif 000019
【図８】
2020506579.tif 000020
【図９】
2020506579.tif 000021
【図１０】
2020506579.tif 000022
【図１１】
2020506579.tif 000023
【図１２】
2020506579.tif 000024
【図１３】
2020506579.tif 000025
【図１４】
2020506579.tif 000026
【図１５】
2020506579.tif 000027
【図１６】
2020506579.tif 000028
【図１７】
2020506579.tif 000029
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
無線通信システムにおいて、端末が基地局に上りリンク信号を送信する方法であって、
前記基地局から、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を受信し、
前記基地局から、前記ＤＣＩに基づいて、前記１つ以上の下りリンクデータを受信し、
前記１つ以上の下りリンクデータに対応する上りリンク信号送信のための上りリンクリソースを決定し、前記上りリンクリソースは、（ｉ）前記ＤＣＩに含まれる指示情報及び（ｉｉ）前記ＤＣＩが送信される制御チャネル要素（ＣＣＥ）インデックスに基づいて、上位層シグナリングにより設定される上りリンク候補リソースセットの中から、決定され、
前記決定された上りリンクリソースを介して前記基地局へ、前記１つ以上の下りリンクデータに対応する上りリンク制御情報を送信することを含む、上りリンク信号の送信方法。
【請求項２】
前記上りリンク候補リソースセットは、前記指示情報が個別に指示できる最大数を超える少なくとも一つの上りリンク候補リソースを含む、請求項１に記載の上りリンク信号の送信方法。
【請求項３】
前記上りリンク候補リソースセットは、それぞれが個別に２つ以上の第１上りリンク候補リソースを含む複数の上りリンク候補リソースグループに分割され、
前記指示情報は、前記複数の上りリンク候補リソースグループの中の一つの上りリンク候補リソースグループを指示し、
前記上りリンクリソースは、前記指示情報により指示される前記一つの上りリンク候補リソースグループに含まれる２つ以上の上りリンク候補リソースの中の前記ＤＣＩについての情報に基づいて決定される、請求項２に記載の上りリンク信号の送信方法。
【請求項４】
前記決定された上りリンクリソースのサイズは、前記１つ以上の下りリンクデータの数にしたがって異なるように設定される、請求項１に記載の上りリンク信号の送信方法 。
【請求項５】
前記上りリンク制御情報は、
前記１つ以上の下りリンクデータについての確認応答情報を含む、請求項１に記載の上りリンク信号の送信方法 。
【請求項６】
前記１つ以上の下りリンクデータは物理下りリンク共有チャンネル（ｐｈｙｓｉｃａｌ  ｄｏｗｎｌｉｎｋ  ｓｈａｒｅｄ  ｃｈａｎｎｅｌ；ＰＤＳＣＨ）に対応する、請求項１に記載の上りリンク信号の送信方法 。
【請求項７】
前記決定された上りリンクリソースは物理上りリンク制御チャンネル（ｐｈｙｓｉｃａｌ  ｕｐｌｉｎｋ  ｃｏｎｔｒｏｌ  ｃｈａｎｎｅｌ；ＰＵＣＣＨ）に対応する、請求項１に記載の上りリンク信号の送信方法 。
【請求項８】
前記上りリンク候補リソースセットは、帯域幅パート（ｂａｎｄｗｉｄｔｈ  ｐａｒｔ；ＢＷＰ）ごとに設定される、請求項１に記載の上りリンク信号の送信方法 。
【請求項９】
前記上りリンクリソースは、前記上位層シグナリングにより設定される前記上りリンク候補リソースセットの中から、
（ｉ）前記ＤＣＩが送信される、前記ＤＣＩ又は前記ＣＣＥに含まれる前記指示情報の一つを含む、第１上りリンクリソース情報であって、前記第１上りリンクリソース情報は、前記上りリンク候補リソースセットの中の複数の上りリンクリソース領域の中の上りリンクリソース領域に関連する、第１上りリンクリソース情報と、
（ｉｉ）前記ＤＣＩ又は前記ＤＣＩが送信される前記ＣＣＥに含まれる前記指示情報のその他を含む、第２上りリンクリソース情報であって、前記第２上りリンクリソース情報は、前記第１上りリンク候補情報に示される前記上りリンクリソース領域内の前記上りリンクリソースに関連する、第２上りリンクリソース情報とに基づいて決定される、請求項１に記載の上りリンク信号の送信方法。
【請求項１０】
無線通信システムにおいて、基地局が端末から上りリンク信号を受信する方法であって、
前記端末に、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を送信し、
前記端末に、前記ＤＣＩに基づいて、前記１つ以上の下りリンクデータを送信し、
前記端末から上りリンクリソースを介して、前記１つ以上の下りリンクデータに対応する上りリンク制御情報を受信することを含み、
前記上りリンクリソースは、（ｉ）前記ＤＣＩに含まれた指示情報及び（ｉｉ）前記ＤＣＩが送信される制御チャネル要素（ＣＣＥ）に基づいて、上位層シグナリングにより設定される上りリンク候補リソースセットの中の１つとして設定される、基地局の上りリンク信号の受信方法。
【請求項１１】
無線通信システムにおいて、基地局に上りリンク信号を送信するように構成された端末であって、
送信部と、
受信部と、
少なくとも一つのプロセッサーと、
前記少なくとも一つのプロセッサーに動作的に接続可能である少なくとも一つのコンピュータメモリであって、前記少なくとも一つのプロセッサーにより実行された時、以下の動作を実行する指示を格納するコンピュータメモリとを含み、
前記基地局から、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を受信し、
前記基地局から、前記ＤＣＩに基づいて、前記１つ以上の下りリンクデータを受信し、
前記１つ以上の下りリンクデータに対応する上りリンク信号送信のための上りリンクリソースを決定し、前記上りリンクリソースは、（ｉ）前記ＤＣＩに含まれる指示情報及び（ｉｉ）前記ＤＣＩが送信される制御チャネル要素（ＣＣＥ）に基づいて、上位層シグナリングにより設定される上りリンク候補リソースセットの中から決定され、
前記基地局に前記決定された上りリンクリソースを介して前記１つ以上の下りリンクデータに対応する上りリンク制御情報を送信する、端末。
【請求項１２】
無線通信システムにおいて、端末から上りリンク信号を受信するように構成された基地局であって、
送信部と、
受信部と、
少なくとも一つのプロセッサーと、
前記少なくとも一つのプロセッサーに動作的に接続可能である少なくとも一つのコンピュータメモリであって、前記少なくとも一つのプロセッサーにより実行された時、以下の動作を実行する指示を格納するコンピュータメモリとを含み、
前記端末に、１つ以上の下りリンクデータをスケジュールする下りリンク制御情報（ｄｏｗｎｌｉｎｋ  ｃｏｎｔｒｏｌ  ｉｎｆｏｒｍａｔｉｏｎ；ＤＣＩ）を送信し、
前記端末に、前記ＤＣＩに基づいて、前記１つ以上の下りリンクデータを送信し、
前記端末から上りリンクリソースを介して前記１つ以上の下りリンクデータに対応する上りリンク制御情報を受信し、
前記上りリンクリソースは、（ｉ）前記ＤＣＩに含まれる指示情報及び（ｉｉ）前記ＤＣＩが送信される制御チャネル要素（ＣＣＥ）インデックスに基づいて、上位層シグナリングによって設定される上りリンク候補リソースセットの中の１つとして設定される、基地局。
【国際調査報告】
2020506579.tif 000030
2020506579.tif 000031
2020506579.tif 000032
2020506579.tif 000033